(57)【特許請求の範囲】
【請求項１】
色弁別能力を向上させるための光学素子であって、マトリックス材料に分散されたルミネセンス化合物を含み、人が前記光学素子を通して見ることを可能にするほどに透明であって、
前記ルミネセンス化合物が、吸収波長の光を吸収し、および発光波長の光を発光し、
ヒト錐体光色素には前記吸収波長より前記発光波長に対する高い感受性があり、
前記光学素子が、可視光に対し９０％より高い透明度を有し、ならびに、
前記光学素子が、人が前記光学素子を通してそれらの色を含有する画像または物体を見ることによってそれらの色をより良好に弁別できるように構成され、
前記光学素子が、前記光学素子を通して物体または画像を見たとき、第１の色座標セットを有する第１の色を、第２の色座標セットを有する第２の色に変換して色の弁別を助けるために、可視光を吸収し、発光され、および、
前記第１の色座標セットと前記第２の色座標セット間の距離が、少なくとも０．０２色座標単位または０．０４色座標単位である、光学素子。
【請求項２】
透明なマトリックス材料中にルミネセンス化合物を含有する光学素子を含み、
前記光学素子が、５４０ｎｍから５５０ｎｍの可視吸収ピーク波長を有し、
前記ルミネセンス化合物が、
【化１】
0006010121.tif 000052
である、色弁別能力を向上させるためのデバイス。
【請求項３】
第１の可視色波長と第２の可視色波長間の視覚不感受性（ｖｉｓｕａｌ  ｉｎｓｅｎｓｉｔｉｖｉｔｙ）を補正するための光学素子であって、
前記光学素子は、透明なマトリックス材料、および、前記透明なマトリックス材料中に分散されたルミネセンス化合物を含み、
前記ルミネセンス化合物は前記第１の可視色波長と重なる発光波長を有し、
前記ルミネセンス化合物はペリレン誘導体色素を含み、
前記ペリレン誘導体色素は式：
【化２】
0006010121.tif 000053
（式中、
Ｒ１およびＲ１’は、独立して、水素、Ｃ１−Ｃ１０アルキル、Ｃ３−Ｃ１０シクロアルキル、Ｃ２−Ｃ１０アルコキシアルキル、Ｃ６−Ｃ１８アリールまたはＣ６−Ｃ２０アリールアルキルであり；ｍは、１、２、３、４または５であり；およびｎは、１、２、３、４または５である）
によって表される、光学素子。
【請求項４】
光学素子を含む接眼レンズであって、
前記光学素子は、透明なマトリックス材料中にルミネセンス化合物を含み、
前記光学素子は、前記光学素子を通して使用者が見る物体または画像の色を変更され、その色の変更が、使用者によるより良好な色弁別を可能にするものであって、
前記ルミネセンス化合物は、吸収波長の光を吸収し、および、発光波長の光を発光し、
ヒト錐体光色素には前記吸収波長より前記発光波長に対する高い感受性があり
前記ルミネセンス化合物は、３８０ｎｍから４５０ｎｍ、４２０ｎｍから４８０ｎｍ、または、５００ｎｍから６００ｎｍの領域内に可視吸収の平均波長を有する、接眼レンズ。
【請求項５】
色弁別能力を向上させるためのデバイスであって、
光学素子は、透明なマトリックス材料中にルミネセンス化合物を含み、
前記光学素子は、Ｍヒト錐体光色素についてのピーク感受性付近の波長領域内の光を吸収し、Ｌヒト錐体光色素についてのピーク感受性付近の波長領域内のより長波長の光を発光し、
前記光学素子は、５１０ｎｍから５５０ｎｍの領域内に可視吸収の中心波長、可視吸収の平均波長、または、可視吸収ピーク波長を有する、デバイス。
【請求項６】
前記第１の色座標セットに最も近い混同色線に垂直な方向の前記第１の色座標セットと前記第２の色座標セット間の距離が、少なくとも０．０２色座標単位である、請求項１に記載の光学素子。
【請求項７】
Ｍヒト錐体光色素についてのピーク感受性付近の波長領域内の光を吸収し、Ｌヒト錐体光色素についてのピーク感受性付近の波長領域内のより長波長の光を発光する、請求項１、３、または６のいずれかに記載の光学素子。
【請求項８】
コーティングである、請求項１、３、６、または７のいずれかに記載の光学素子。
【請求項９】
接眼レンズである、請求項１、３、６、７、または８のいずれかに記載の光学素子を備えるデバイス。
【請求項１０】
アイウェア・アイテムである、請求項１、３、６、７、または８のいずれかに記載の光学素子を備えるデバイス。
【請求項１１】
デバイスであって、
電子表示装置と、
請求項１、３、６、７、または８のいずれかに記載の光学素子と
を含み；
前記表示装置から放射された光の少なくとも一部分が、前記光学素子を通過するように、および前記光学素子が、該光学素子を通過する前記表示装置から放射された光の色を変更されるデバイス。
【請求項１２】
前記光学素子および前記電子表示装置に連結されたタッチスクリーン要素をさらに含み、前記タッチスクリーン要素が、
第１の導電層、第２の導電層、および前記第１の導電層と前記第２の導電層の間のスペーサを含み、前記第１の導電層および前記第２の導電層が、透明である
電子デバイスであって、
前記タッチスクリーンへの使用者による接触が、前記第１の導電層を前記第２の導電層に接触させて、それによって前記第１の導電層と前記第２の導電層の間に電流を流すことを可能にされ；および
前記表示装置から放射される光の少なくとも一部分が、前記タッチスクリーン要素を通過し、かつ前記光学素子を通過される、
請求項１１に記載の電子デバイス。
【請求項１３】
請求項１、３、６、７、または８のいずれかに記載の光学素子を調製するための方法であって、
前記光学素子に使用するためのルミネセンス化合物を選択することを含み；
前記光学素子が、第１の色座標セットを有する色を、第２の色座標セットを有する色に可視光の吸収および発光によって変換され；
前記ルミネセンス化合物が、前記第１の色座標セットと前記第２の色座標セットの間の距離が少なくとも０．０２色座標単位または少なくとも０．０２色座標単位であるように選択される方法。
【請求項１４】
請求項１、３、６、７、または８に記載の光学素子または請求項２，５、または９〜１２のいずれかに記載のデバイスを、前記光学素子を通して個体が画像または物体を見ることができるような位置に置くことを含む、前記光学素子または前記デバイスの使用方法。
【請求項１５】
前記個体が、正常色覚を有する、請求項１４に記載の使用方法。
【請求項１６】
前記個体が、色弁別能力障害を有する、請求項１４に記載の使用方法。
【請求項１７】
前記マトリックス材料が、ガラス、チオウレタン、ポリカーボネート、ポリアクリレート、１つ以上のヘキサフルオロアセトン−テトラフルオロエチレン−エチレンターポリマー（ＨＦＡ／ＴＦＥ／Ｅターポリマー）、ポリメチルメタクリレート（ＰＭＭＡ）、ヒドロゲル、オルガノシロキサン、または、それらの組み合わせを含む、請求項２または５に記載のデバイス、請求項３に記載の光学素子、または、請求項４に記載の接眼レンズ。
【請求項１８】
第２のルミネセンス化合物をさらに含有し、前記第２のルミネセンス化合物が、前記第１の色の発光を増加させる、前記第２の色の発光を増加させる、さらに前記第１の色のピーク発光波長を前記第２の色の波長から分離する、または前記ピーク発光波長を増加させもし、さらに分離もする、請求項１、３、６、７、または８のいずれかに記載の光学素子。
【請求項１９】
前記第２のルミネセンス化合物が、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン、または、４，４’−ビス［Ｎ−（ナフチル）−Ｎ−フェニル−アミノ］ビフェニルである、請求項１８に記載の光学素子。
【請求項２０】
前記接眼レンズが眼内レンズ、ハード・コンタクト・レンズ、または、ソフト・コンタクト・レンズである、請求項４に記載の接眼レンズ、または、請求項１、３、６、７、８、１８、または１９のいずれかに記載の光学素子を含む接眼レンズ。
【発明の詳細な説明】
【技術分野】
【０００１】
一部の実施形態は、人または他の哺乳動物の第１の可視色波長と第２の可視色波長の弁別を補助することができる、色間の視覚不感受性（ｖｉｓｕａｌ  ｉｎｓｅｎｓｉｔｉｖｉｔｙ）を有する人による色弁別を向上させるための、例えば色覚異常の補正のための、光学素子に関する。
【背景技術】
【０００２】
色覚異常は、他者が弁別できる色のうちの一部の色の差を知覚する能力の低下と一般にみなされている。幾つかのタイプの色覚異常が存在する。第１色弱個体は、正常個体より赤色光に対する感受性が低く、それ故、赤色スペクトル端の暗色化作用を被る。第２色弱個体は、赤色スペクトル端の方にシフトされ、その結果、緑色スペクトル領域に対する感受性が低下することとなる、突然変異形態の緑色色素を有する。第１色弱者に類似して、第２色弱者は、赤色、橙色、黄色、緑色スペクトル領域の色相の小さな差を識別することが苦手である。この病態の最も一般的な形態であるこの赤緑色覚異常に起因して、これらの色相の多くが色スペクトルの赤色端の方にシフトしたように見える。他の色覚異常個体は、第３色弱であり、緑色スペクトル領域の方へのシフトを生じさせる突然変異形態の青色色素を有する。
【０００３】
人間の色覚異常の補正のために幾つかの方法が提案されている。下で論ずる参考文献の各々についての内容は、それら全体が参照により本明細書に援用されている。一般に、視覚的色弁別の欠如の補正を行う選択肢としては、示差着色（ｄｉｆｆｅｒｅｎｔｉａｌ  ｃｏｌｏｒａｔｉｏｎ）、濾過、および同時使用レンズ間のスペクトル透過が挙げられる。他の特許は、色覚異常を補正する手法としての他の視覚的指標、例えばクロスハッチング、との関連づけを開示している。
【発明の概要】
【課題を解決するための手段】
【０００４】
本明細書に記載するデバイスを使用して、人の色弁別能力を向上させることができる。これらのデバイスは、正常な色覚を有する個体にとっても、色弁別能力障害を有する個体にとっても有益であり得る。本実施形態は、人が特定または弁別困難と自覚する色に対応する１つ以上の所望の発光帯域幅の透過を向上させる、色間の視覚不感受性を有する人による色弁別の向上、例えば色覚異常の補正、に有用な光学素子に関する。前記帯域幅は、可視波長光の赤色、黄色、緑色または青色領域であり得る。ある実施形態において、前記光学素子は、所望の第１の発光帯域幅の透過を向上させることもでき、第２の発光帯域幅の透過を減少させることもできる。例えば、色覚異常を有する人は、第１の色を知覚できるが、その第１の色と第２の色とを混同することがある。ある実施形態において、前記光学素子は、二色間の対比または鮮明度を強化して、それらの互いとの相違を際立たせることができる。
【０００５】
ある実施形態は、色識別力を向上させる、例えば、第１の可視色波長と第２の可視色波長間の視覚不感受性を補正するための光学素子を提供する。ある実施形態において、前記光学素子は、実質的に透明なマトリックス材料と、その実質的に透明なマトリックス材料内に分散されたルミネセンス化合物とを含有する。ある実施形態において、前記ルミネセンス化合物は、第１の可視色波長と実質的に重なる発光波長を有する。ある実施形態において、前記ルミネセンス化合物は、第１の可視波長で１００％より高い透過率を与えるように選択された量で前記光学素子中に存在する。
【０００６】
一部の実施形態は、マトリックス材料に分散されたルミネセンス化合物を含有する光学素子を含む、色識別力を向上させる、例えば、色弁別能力障害を補正するためのデバイスを含み；前記光学素子は、人が該光学素子を通して見ることを可能にするほどに透明であり；前記ルミネセンス化合物は、吸収波長の光を吸収し、および発光波長の光を発光し、ヒト錐体光色素には、前記吸収波長より前記発光波長に対する実質的に高い感受性があり；ならびにこのデバイスは、人、例えば、色弁別能力障害を有する人が、前記光学素子を通してそれらの色を含有する画像または物体を見ることによってそれらの色をより良好に弁別できるように構成される。
【０００７】
一部の実施形態は、マトリックス材料に分散されたルミネセンス化合物を含有する光学素子を含む、色弁別能力を向上させるためのデバイスを含み；前記光学素子には、人が該光学素子を通して見ることを可能にするほどに透明であり；前記ルミネセンス化合物は、吸収波長の光を吸収し、および発光波長の光を発光し、ヒト錐体光色素には、前記吸収波長より前記発光波長に対する実質的に高い感受性があり；ならびにこのデバイスは、人、例えば、正常色覚を有する人が、前記光学素子を通してそれらの色を含有する画像または物体を見ることによってそれらの色をより良好に弁別できるように構成される。
【０００８】
一部の実施形態は、色識別力を向上させるための、または色弁別能力障害、例えば赤緑色覚異常、を補正するためのデバイスであって、実質的に透明なマトリックス中のルミネセンス化合物を含有する光学素子を含み；ならびに前記光学素子が、Ｍヒト錐体光色素についてのピーク感受性付近の波長領域の光を吸収し、およびＬヒト錐体光色素についてのピーク感受性付近の波長領域のより長波長の光を発光するものであるデバイスを含む。
【０００９】
一部の実施形態は、マトリックス材料に分散されたルミネセンス化合物を含有する光学素子含む、色識別力を向上させるための、または色弁別能力障害、例えば赤緑色覚異常、を補正するためのデバイスを含み；前記光学素子は、該光学素子を通して物体または画像を見たとき、第１の色座標セットを有する第１の色を、第２の色座標セットを有する第２の色に変換して色の弁別を助けるために、可視光を吸収し、発光するように構成され；および前記第１の色座標セットに最も近い混同色線に垂直な方向の前記第１の色座標セットと前記第２の色座標セットの間の距離は、少なくとも約０．０２色座標単位である。
【００１０】
一部の実施形態は、マトリックス材料に分散されたルミネセンス化合物を含有する光学素子を含む、色識別力を向上させるまたは色弁別能力障害を補正するためのデバイスを含み；前記光学素子は人が該光学素子を通して見ることを可能にするほどに透明であり；前記光学素子は、第１の色座標セットを有する第１の色を、第２の色座標セットを有する第２の色に変換するために、より短い波長の光を吸収してより長い波長の光を発光するように構成され；前記第１の色座標セットに最も近い混同色線に垂直な方向の前記第１の色座標セットと前記第２の色座標セットの間の距離は、少なくとも約０．０２色座標単位であり；およびこのデバイスは、色弁別能力障害を有する人が、前記光学素子を通してそれらの色を含有する画像または物体を見ることによってそれらの色をより良好に弁別できるように構成される。
【００１１】
一部の実施形態は、マトリックス材料に分散されたルミネセンス化合物を含有する光学素子含む、色弁別能力を向上させるためのデバイスを含み；前記光学素子は、該光学素子を通して物体または画像を見たとき、第１の色座標セットを有する第１の色を、第２の色座標セットを有する第２の色に変換して色の弁別を助けるために、可視光を吸収し、発光するように構成され；および前記第１の色座標セットと前記第２の色座標セット間の距離は、少なくとも約０．０２色座標単位である。
【００１２】
一部の実施形態は、色弁別能力を向上させるためのデバイスの調製方法を含み、この方法は、第１の色座標セットを有する色を、第２の色座標セットを有する色に可視光の吸収および発光によって変換するように構成された光学素子において使用するためのルミネセンス化合物を選択することを含み；前記ルミネセンス化合物は、前記第１の色座標セットと前記第２の色座標セット間の距離が少なくとも約０．０２色座標単位であるように選択される。
【００１３】
一部の実施形態は、かかる方法によって調製された、色弁別能力を向上させるためのデバイスを含む。
【００１４】
一部の実施形態は、ポリビニルアルコールまたはその誘導体を含むポリマーなどのポリマーと、ローダミンまたはローダミン誘導体とを含有する組成物を含有する光学素子を含む、色識別力に関連した視覚不全を補正するためのデバイスを含む。
【００１５】
一部の実施形態は、色弁別能力障害を補正するためのデバイスの調製方法を含み、この方法は、第１の色座標セットを有する色を、第２の色座標セットを有する色に可視光の吸収および発光によって変換するように構成された光学素子において使用するためのルミネセンス化合物を選択することを含み；前記ルミネセンス化合物は、前記第１の色座標セットに最も近い混同色線に垂直な方向の前記第１の色座標セットと前記第２の色座標セット間の距離が少なくとも約０．０２色座標単位であるように選択される。
【００１６】
一部の実施形態は、かかる方法によって調製された、色弁別能力を向上させるためのデバイスを含む。
【００１７】
一部の実施形態は、実質的に透明なマトリックス中のルミネセンス化合物を含有する光学素子を含む、接眼レンズを含み；このデバイスは、前記光学素子が、該光学素子を通して使用者が見る物体または画像の色を変更して、それにより使用者によるより良好な色弁別を可能にするように構成される。
【００１８】
一部の実施形態は、電子表示装置と、実質的に透明なマトリックス中のルミネセンス化合物を含有する光学素子と、前記光学素子および前記電子表示装置に連結されたタッチスクリーン要素とを含む、電子デバイスを含み；前記タッチスクリーン要素は、第１の導電層、第２の導電層、および該第１の導電層と該第２の導電層の間のスペーサを含み、前記第１の導電層および第２の導電層は、実質的に透明であり；このデバイスは、前記タッチスクリーンへの使用者による接触が、前記第１の導電層を前記第２の導電層に接触させて、それにより前記第１の導電層と前記第２の導電層間に電流を流すことを可能にするように構成され；このデバイスは、前記表示装置から放射される光の少なくとも一部分が、前記タッチスクリーン要素を通過し、かつ前記光学素子を通過するように構成され；前記光学素子は、該光学素子を通過する前記表示装置から放射される光の色を変更する。
【００１９】
一部の実施形態は、コーティングを含む光学素子を含む、デバイスを含み、前記コーティングは、実質的に透明なマトリックス中のルミネセンス化合物を含み；このデバイスは、前記光学素子が、該光学素子を通して使用者が見る物体または画像の色を変更して、それにより、使用者によるより良好な色弁別を可能にするように構成される。
【００２０】
一部の実施形態は、色識別力を向上させるためのデバイスであって、実質的に透明なマトリックス中のルミネセンス化合物を含有する光学素子を含み；および前記光学素子が、約５４０ｎｍから約５５０ｎｍの可視吸収のピーク波長を有するものであるデバイスを含む。
【００２１】
一部の実施形態は、ポリマーとローダミンまたはローダミン誘導体とを含有する組成物を含み；前記ポリマーは、ポリビニルアルコールまたはその誘導体を含み、前記誘導体は、Ｃ１−６エステルまたはＣ１−６アセタールペンダント基を含む。
【００２２】
一部の実施形態は、色弁別能力障害を補正する方法を含み、この方法は、本明細書に記載するデバイスまたは光学素子を、色弁別能力障害を有する個体が該光学素子を通して画像または物体を見ることができるような位置に置くことを含む。
【００２３】
一部の実施形態は、色弁別能力を向上させる方法を含み、この方法は、本明細書に記載するデバイスまたは光学素子を、正常色覚を有する個体が該光学素子を通して画像または物体を見ることができるような位置に置くことを含む。
【００２４】
一般に、本明細書に記載する方法およびデバイスを用いて、色弁別能力障害を有する個体によるおよび／または正常色覚を有する個体による色弁別能力を向上させることができる。
【００２５】
これらおよび他の実施形態をより詳細に下で説明する。
【図面の簡単な説明】
【００２６】
【図１】図１は、混同色線に対してまっすぐに垂直な（ｄｉｒｅｃｔ  ｎｏｒｍａｌ）方向の２色座標間の距離を判定するための方法に関連した概略図である。
【００２７】
【図２】図２Ａおよび２Ｂは、タッチスクリーン要素を含むデバイスの一部の実施形態の概略図である。
【００２８】
【図３】図３は、タッチスクリーン要素を含むデバイスの一部の実施形態の概略図である。
【００２９】
【図４】図４は、タッチスクリーン要素を含むデバイスの一部の実施形態の概略図である。
【００３０】
【図５】図５は、タッチスクリーン要素を含むデバイスの一部の実施形態の概略図である。
【００３１】
【図６】図６は、ここに記載された光学素子の一部の実施形態としての吸収および発光スペクトルを示す。
【００３２】
【図７】図７は、ここに記載された光学素子の一部の実施形態としての光透過スペクトルを示す。
【００３３】
【図８】図８は、ここに記載された光学素子の一部の実施形態としての、商業的に利用可能な物質と対比した光透過スペクトルを示す。
【００３４】
【図９】図９は、ここに記載された光学素子の別の実施形態としての光透過スペクトルを示す。
【００３５】
【図１０】図１０は、ここに記載された光学素子のある実施形態としての光透過スペクトルを示す。
【００３６】
【図１１】図１１は、ここに記載された光学素子の一部の実施形態としての吸収および発光スペクトルを示す。
【００３７】
【図１２】図１２は、ここに記載された光学素子の一部の実施形態としての光透過スペクトルを示す。
【００３８】
【図１３】図１３は、ここに記載された光学素子の一部の実施形態としての吸収および発光スペクトルを示す。
【００３９】
【図１４】図１４は、ここに記載された重合可能な色素の一部の実施形態としての光透過スペクトルを示す。
【００４０】
【図１５】図１５は、ここに記載された重合可能な色素の一部の実施形態としての光透過スペクトルを示す。
【発明を実施するための形態】
【００４１】
光学素子の実施形態は、第１の可視色波長と第２の可視色波長間の視覚不感受性を補正することができる。ある実施形態において、前記光学素子は、第１の可視色波長に対応する発光帯域幅の透過を向上させることにより視覚不感受性を補正する。前記第１の可視色波長は、可視波長光の赤色、橙色、黄色、緑色または青色領域内のものであり得る。ある実施形態において、前記第１の可視色波長は、緑色帯域幅内の波長を含む。ある実施形態において、前記第１の可視色波長は、約４５０ｎｍから約６００ｎｍ、約５００ｎｍから約５８０ｎｍ、または約５２０ｎｍから約５５０ｎｍの領域内のものである。一部の実施形態において、前記ルミネセンス化合物は、前記第１の可視色波長の増強発光をもたらすことができる。
【００４２】
前記第２の可視色波長は、可視波長光の赤色、黄色、橙色、緑色または青色領域内のものであり得る。一般に、前記第１の可視色波長は、前記第２の可視色波長より小さく、これは、前記第１の可視色波長が前記第２の可視色波長より短い、すなわち、より青色シフトしていることを意味する。ある実施形態において、前記第２の可視色波長は、赤色帯域幅内の波長を含む。例えば、赤緑色覚異常を患っている個体については、緑色波長光に対する知覚を増加させること、場合によってはそれと同時に赤色波長光に対する知覚を減少させることが有益であるだろう。ある実施形態において、前記第２の可視色波長は、約５３０ｎｍから約８００ｎｍ、約５６０ｎｍから約７２０ｎｍ、約５８０ｎｍから約７１０ｎｍ、約６００ｎｍから約７００ｎｍ、約５３０ｎｍから約７２０ｎｍ、約５４０ｎｍから約７１０ｎｍ、または約５５０ｎｍから約７００ｎｍの領域内のものである。
【００４３】
前記光学素子を形成するために前記実質的に透明なマトリックス材料中に存在するルミネセンス化合物の量は、様々であり得る。前記第１可視色波長がより容易に色覚異常個体に識別されるような、前記光学素子中の、前記第１の可視色波長の発光を増加させる、前記第２の可視色波長の発光を増加させる、さらに前記第１の色の波長のピーク発光波長を前記第２の色の波長から分離する、または前記ピーク発光波長を増加させもし分離もするルミネセンス化合物の任意の量が適している。１つの実施形態において、前記ルミネセンス化合物は、前記第１の可視色波長で９０％より高い透過率をもたらすように選択された量で前記光学素子中に存在する。これは、特にその光学素子が光吸収色素も含有する場合、驚くべきことである。
【００４４】
この場合、光吸収色素の光吸収帯は、ルミネセンス化合物の発光帯と重なることがあり、その結果、緑色波長の透過率は１００％未満になる。ある実施形態において、前記ルミネセンス化合物は、前記第１の可視波長で９５％より高い、１００％より高い、１０１％より高い、１０２％より高い、１０３％より高い、１０４％より高い、または１０５％より高い透過率をもたらす量で前記発光素子中に存在する。
【００４５】
１つの実施形態において、前記ルミネセンス化合物は、前記第１のピーク発光波長を前記第２のピーク発光波長に対して少なくとも約１ｎｍ、２ｎｍ、５ｎｍまたは８ｎｍシフトさせ、さらに分離する量で存在する。１つの実施形態において、前記ルミネセンス化合物は、強度を増加させもし、前記第１のピーク発光波長を前記第２のピーク発光波長に対して少なくとも１ｎｍ、２ｎｍ、５ｎｍまたは８ｎｍシフトし、さらに分離もする量で存在する。
【００４６】
前記ルミネセンス化合物は、前記実質的に透明なマトリックス材料中に、その組成物の重量に基づき約０．０１重量％から約３０重量％、約０．０１重量％から約２０重量％、約０．０１重量％から約１５重量％、約１重量％から約２０重量％、約１重量％から約１５重量％、約２重量％から約１２重量％、約５重量％から約１０重量％の範囲の量で、もしくは約１０重量％で、またはこれらのうちのいずれかの値によって拘束される量、もしくはこれらのうちのいずれかの値間の量で存在し得る。
【００４７】
前記光学素子に使用されるルミネセンス色素は、様々であり得る。ある実施形態において、前記ルミネセンス化合物は、ペリレン誘導体色素、例えば、場合により置換されているペリレン；場合により置換されているローダミン（場合により場合により置換されているローダミン１１０、場合により置換されているローダミン１２３、場合により置換されているローダミン６Ｇ、場合により置換されているローダミン１１６、場合により置換されているローダミンＢ、場合により置換されているローダミン３Ｂ、場合により置換されているローダミン１９などを含む）；場合により置換されているナイルレッド；場合により置換されているフルオレセイン（場合により置換されているフルオレセインイソチオシアネートなどを含む）；場合により置換されている６−ＦＡＭホスホルアミダイト；場合により置換されている４，４−ジフルオロ−４−ボラ−３ａ，４ａ−ジアザ−ｓ−インダセン（ＢＯＤＩＰＹ）（場合により置換されているＢＯＤＩＰＹ  ＦＬ、場合により置換されているＢＯＤＩＰＹ  Ｒ６Ｇ、場合により置換されているＢＯＤＩＰＹ  ＴＭＲ、場合により置換されているＢＯＤＩＰＹ  ６３０／６５０、場合により置換されているＢＯＤＩＰＹ  ＴＲ、場合により置換されているＢＯＤＩＰＹ  ６３０／６５０、場合により置換されているＢＯＤＩＰＹ  ６５０／６６５などを含む）；場合により置換されているクマリンなど；場合により置換されているピロメテン６０５；またはこれらの組み合わせを含む。
【００４８】
別段の指示がない限り、構造、名称または任意の他の手段による本明細書における化合物へのいずれの言及も、塩（両性イオン形態を含む）；代替固体形態、例えば多形体、溶媒和物、水和物など；互変異性体；または本明細書に記載する化合物に該化合物が本明細書に記載するように使用される条件下で容易に転化され得る任意の他の化学種を含む。
【００４９】
本明細書中で用いる化合物についてのいずれの構造または名称も、あらゆる立体異性体または立体異性体のあらゆる混合物を指すことができる。
【００５０】
別段の指示がない限り、化合物または化学構造特徴部、例えばアルキル、シクロアルキル、アルコキシ、アルコキシアルキル、アリール、アリールアルキル、ペリレンなどを「場合により置換されている」と言うとき、それは、置換基を有さない（すなわち、「非置換の」）特徴部、または「置換されている」特徴部（その特徴部が１つ以上の置換基を有することを意味する）を含む。用語「置換基」は、当業者に公知の通常の意味を有し、この用語は、親化合物または構造特徴部に結合している１つ以上の水素原子に取って替わる部分を含む。一部の実施形態において、置換基は、１５ｇ／ｍｏｌから５０ｇ／ｍｏｌ、１５ｇ／ｍｏｌから１００ｇ／ｍｏｌ、１５ｇ／ｍｏｌから１５０ｇ／ｍｏｌ，１５ｇ／ｍｏｌから２００ｇ／ｍｏｌ、１５ｇ／ｍｏｌから３００ｇ／ｍｏｌ、または１５ｇ／ｍｏｌから５００ｇ／ｍｏｌの分子量（例えば、置換基の原子の原子質量の合計）を有し得る、当該技術分野において公知の通常の有機部分であり得る。一部の実施形態において、置換基は、０〜３０、０〜２０、０〜１０または０〜５個の炭素原子と、Ｎ、Ｏ、Ｓ、Ｓｉ、Ｆ、Ｃｌ、ＢｒまたはＩから独立して選択される０〜３０、０〜２０、０〜１０または０〜５個のヘテロ原子とを含有するが、ただし、該置換基がＣ、Ｎ、Ｏ、Ｓ、Ｓｉ、Ｆ、Ｃｌ、ＢｒまたはＩから選択される少なくとも１個の原子を含有することを条件とする。一部の実施形態において、置換基は、１、２、３、４、５、６、７、８、９、１０、１１または１２個の非水素原子と任意の必要水素原子とからなり得る。一部の非水素原子としては、Ｃ、Ｎ、Ｏ、Ｓ、Ｓｉ、Ｆ、Ｃｌ、Ｂｒ、Ｉ、Ｐなどを挙げることができる。
【００５１】
置換基の例としては、アルキル（直鎖、分岐およびシクロアルキルを含む）、アルケニル（直鎖、分岐およびシクロアルケニルを含む）、アルキニル（直鎖、分岐およびシクロアルキニルを含む）、ヘテロアルキル、ヘテロアルケニル、ヘテロアルキニル、アリール、複素環式置換基（ヘテロアリールおよびヘテロ脂環式置換基を含む）、ヒドロキシ、保護ヒドロキシ、アルコキシ、アリールオキシ、アシル、アシルオキシ、アルキルカルボキシレート、カルボキシレート、チオール、アルキルチオ、アリールチオ、シアノ、ハロ、カルボニル、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、イソシアナト、チオイソシアナト、イソチオシアナト、ニトロ、シリル、スルフェニル、スルフィニル、スルホニル、ハロアルキル、ハロアルコキシ、トリハロメタンスルホニル、トリハロメタンスルホンアミド、およびアミノ（一および二置換アミノ基、ならびにその保護誘導体を含む）など、またはこれらの組み合わせが挙げられるが、それらに限定されない。前のリストの中の用語「これらの組み合わせ」は、置換基が、ある置換基の水素原子が別の置換基によって置換されている上記のいずれかの置換基の組み合わせも含むことがあることを示す。例えば、置換基は、アルキルとアリールの組み合わせ（例えば、アリールアルキル、例えばＣＨ２−フェニル、またはヘテロアリールアルキル、例えばＣ２Ｈ４−ヘテロアリール、など）、アルキルと複素環式置換基の組み合わせ（例えば、ヘテロシクリルアルキル）、アルキルとアルコキシの組み合わせ（例えば、ＣＨ２ＯＣＨ３）、アルキルとハロの組み合わせ（例えば、Ｃ２Ｈ４Ｃｌ、Ｃ３Ｈ６Ｆ、など）、アシルとヒドロキシルの組み合わせ（例えば、−ＣＯＣＨ２ＯＨ）、などであることがある。
【００５２】
便宜上、たとえ分子が完全分子でないことがあっても、分子の一部分または一部における原子の原子質量の合計を示すために、用語「分子量」を分子の一部分または一部に関して用いる。「分子量」は、完全分子を指すこともある。
【００５３】
本明細書において言及する一部の化学名に付随する構造を下に図示する。これらの構造は、下に示すように非置換であってもよく、またはその構造が非置換であるときに水素原子によって通常占有されている任意の位置に独立して置換基があってもよい。
【化１】
0006010121.tif 000002
0006010121.tif 000003
0006010121.tif 000004
0006010121.tif 000005
【００５４】
結合点が、
【化２】
0006010121.tif 000006
によって示されていない限り、結合は、水素原子によって通常占有されている任意の位置で起こることがある。
【００５５】
本明細書において用いる場合、用語「アルキル」は、当該技術分野において一般に理解されている最も広い意味を有し、およびこの用語は、二重または三重結合を含有しない、炭素および水素から成る部分を含む。アルキルは、直鎖アルキル、分岐アルキル、シクロアルキル、またはこれらの組み合わせであることがあり、および一部の実施形態では、１から３５個の炭素原子を含有することがある。一部の実施形態において、アルキルとしては、Ｃ１−１０直鎖アルキル、例えば、メチル（−ＣＨ３）、エチル（−ＣＨ２ＣＨ３）、ｎ−プロピル（−ＣＨ２ＣＨ２ＣＨ３）、ｎ−ブチル（−ＣＨ２ＣＨ２ＣＨ２ＣＨ３）、ｎ−ペンチル（−ＣＨ２ＣＨ２ＣＨ２ＣＨ２ＣＨ３）、ｎ−ヘキシル（−ＣＨ２ＣＨ２ＣＨ２ＣＨ２ＣＨ２ＣＨ３）など；Ｃ３―１０分岐アルキル、例えば、Ｃ３Ｈ７（例えば、イソプロピル）、Ｃ４Ｈ９（例えば、分岐ブチル異性体）、Ｃ５Ｈ１１（例えば、分岐ペンチル異性体）、Ｃ６Ｈ１３（例えば、分岐ヘキシル異性体）、Ｃ７Ｈ１５（例えば、ヘプチル異性体）など；Ｃ３−１０シクロアルキル、例えば、Ｃ３Ｈ５（例えば、シクロプロピル）、Ｃ４Ｈ７（例えば、シクロブチル異性体、例えばシクロブチル、メチルシクロプロピルなど）、Ｃ５Ｈ９（例えば、シクロペンチル異性体、例えばシクロペンチル、メチルシクロブチル、ジメチルシクロプロピルなど）、Ｃ６Ｈ１１（例えば、シクロヘキシル異性体）、Ｃ７Ｈ１３（例えば、シクロヘプチル異性体）など；およびこれらに類するものを挙げることができる。また、一部の実施形態において、アルキル基としては、メチル、エチル、ｎ−プロピル、イソプロピル、ｎ−ブチル、イソブチル、ｓｅｃ−ブチル、ｔｅｒｔ−ブチル、イソヘキシル、イソオクチル、２−エチル−ヘキシルなどを挙げることができる。
【００５６】
アルコキシ基もまた、直鎖である、分岐している、または環式であることがある。有用なアルコキシ基の一部の例としては、メトキシ、エトキシ、プロポキシおよびブトキシが挙げられる。アルコキシアルキル基もまた、直鎖であるまたは分岐していることがある。有用なアルコキシアルキル基の一部の例としては、メトキシメチル、メトキシエチル、メトキシプロピル、エトキシメチル、エトキシエチル、エトキシプロピル、プロポキシメチル、プロポキシエチルおよびプロポキシプロピルが挙げられる。
【００５７】
有用なシクロアルキル基の一部の例としては、シクロペンチル、シクロヘキシルまたはシクロヘプチルが挙げられる。有用なアリール基の一部の例としては、フェニル、ジフェニル、トリル、ナフチル、フェナントリルおよびアントラセニルが挙げられる。有用なアリールアルキル基の一部の例としては、ベンジル、フェネチル、ジフェニルメチル、トリチル、ナフチルメチル、フェナンチルメチルおよびアントラニルメチルが挙げられる。
【００５８】
一部の場合により置換されているペリレンは、式１によって表すことができる：
Ｐｈ１−Ｐｅｒ−Ｐｈ２
式１
【００５９】
式１に関して、Ｐｈ１は、場合により置換されているフェニルであってもよい。前記フェニルが置換されている場合、そのフェニルは、１、２、３、４または５個の置換基を有することができる。任意の置換基がフェニル上に含まれることがある。一部の実施形態において、前記フェニル上の置換基の一部またはすべては、０から１２個の炭素原子と、Ｏ、Ｎ、Ｓ、Ｆ、Ｃｌ、ＢｒおよびＩから独立して選択される０から５個のヘテロ原子とを有することができ（ただし、少なくとも非水素原子があることを条件とする）；および／または１５ｇ／ｍｏｌから２５０ｇ／ｍｏｌまたは約５００ｇ／ｍｏｌの分子量を有することができる。例えば、前記置換基は、Ｃ１−１０アルキル、例えば、ＣＨ３、Ｃ２Ｈ５、Ｃ３Ｈ７、環式Ｃ３Ｈ５、Ｃ４Ｈ９、環式Ｃ４Ｈ７、Ｃ５Ｈ１１、環式Ｃ５Ｈ９、Ｃ６Ｈ１３、環式Ｃ６Ｈ１１、など；Ｃ１−１０アルコキシ、例えば、−ＯＣＨ３、−ＯＣ２Ｈ５、−ＯＣ３Ｈ７、環式−ＯＣ３Ｈ５、−ＯＣ４Ｈ９、環式−ＯＣ４Ｈ７、−ＯＣ５Ｈ１１、環式−ＯＣ５Ｈ９、−ＯＣ６Ｈ１３、環式−ＯＣ６Ｈ１１、など；ハロ、例えば、Ｆ、Ｃｌ、Ｂｒ、Ｉ；ＯＨ；ＣＮ；ＮＯ２；Ｃ１−６フルオロアルキル、例えば、ＣＦ３、ＣＦ２Ｈ、Ｃ２Ｆ５など；Ｃ１−１０エステル、例えば、−Ｏ２ＣＣＨ３、−ＣＯ２ＣＨ３、−Ｏ２ＣＣ２Ｈ５、−ＣＯ２Ｃ２Ｈ５、−Ｏ２Ｃ−フェニル、−ＣＯ２−フェニルなど；Ｃ１−１０アミド、例えば、−ＣＯＮＨ２、−ＣＯＮＨＣＨ３、−ＮＨＣＯ−フェニルなど；Ｃ１−１０ケトン、例えば、−ＣＯＣＨ３、−ＣＯＣ２Ｈ５、−ＣＯＣ３Ｈ７、−ＣＯ−フェニルなど；またはＣ１−１０アミン、例えば、ＮＨ２、ＮＨ（ＣＨ３）、Ｎ（ＣＨ３）２、Ｎ（ＣＨ３）Ｃ２Ｈ５などであってよい。一部の実施形態において、前記フェニルは、Ｃ１−６アルキル、ＣＦ３およびＦから独立して選択される１または２個の置換基で場合により置換されている。一部の実施形態において、前記フェニルは、ＣＦ３置換基を有し、それ以外は非置換である。
【００６０】
式１に関して、Ｐｈ２は、場合により置換されているフェニルであってもよい。前記フェニルが置換されている場合、そのフェニルは、１、２、３、４または５個の置換基を有することができる。任意の置換基がフェニル上に含まれることがある。一部の実施形態において、前記フェニル上の置換基の一部またはすべては、０から１２個の炭素原子と、Ｏ、Ｎ、Ｓ、Ｆ、Ｃｌ、ＢｒおよびＩから独立して選択される０から５個のヘテロ原子とを有することができ（ただし、少なくとも非水素原子があることを条件とする）；および／または１５ｇ／ｍｏｌから２５０ｇ／ｍｏｌまたは約５００ｇ／ｍｏｌの分子量を有することができる。例えば、前記置換基は、Ｃ１−１０アルキル、例えば、ＣＨ３、Ｃ２Ｈ５、Ｃ３Ｈ７、環式Ｃ３Ｈ５、Ｃ４Ｈ９、環式Ｃ４Ｈ７、Ｃ５Ｈ１１、環式Ｃ５Ｈ９、Ｃ６Ｈ１３、環式Ｃ６Ｈ１１、など；Ｃ１−１０アルコキシ、例えば、−ＯＣＨ３、−ＯＣ２Ｈ５、−ＯＣ３Ｈ７、環式−ＯＣ３Ｈ５、−ＯＣ４Ｈ９、環式−ＯＣ４Ｈ７、−ＯＣ５Ｈ１１、環式−ＯＣ５Ｈ９、−ＯＣ６Ｈ１３、環式−ＯＣ６Ｈ１１、など；ハロ、例えば、Ｆ、Ｃｌ、Ｂｒ、Ｉ；ＯＨ；ＣＮ；ＮＯ２；Ｃ１−６フルオロアルキル、例えば、ＣＦ３、ＣＦ２Ｈ、Ｃ２Ｆ５など；Ｃ１−１０エステル、例えば、−Ｏ２ＣＣＨ３、−ＣＯ２ＣＨ３、−Ｏ２ＣＣ２Ｈ５、−ＣＯ２Ｃ２Ｈ５、−Ｏ２Ｃ−フェニル、−ＣＯ２−フェニルなど；Ｃ１−１０アミド、例えば、−ＣＯＮＨ２、−ＣＯＮＨＣＨ３、−ＮＨＣＯ−フェニルなど；Ｃ１−１０ケトン、例えば、−ＣＯＣＨ３、−ＣＯＣ２Ｈ５、−ＣＯＣ３Ｈ７、−ＣＯ−フェニルなど；またはＣ１−１０アミン、例えば、ＮＨ２、ＮＨ（ＣＨ３）、Ｎ（ＣＨ３）２、Ｎ（ＣＨ３）Ｃ２Ｈ５などであってよい。一部の実施形態において、前記フェニルは、Ｃ１−６アルキル、ＣＦ３およびＦから独立して選択される１または２個の置換基で場合により置換されている。一部の実施形態において、前記フェニルは、ＣＦ３置換基を有し、それ以外は非置換である。
【００６１】
式１に関して、Ｐｅｒは、場合により置換されているペリレンであってもよい。前記ペリレンが置換されている場合、そのフェニルは、１、２、３、４、５、６、７，８，９または１０個の置換基を有することができる。任意の置換基がペリレン上に含まれることがある。一部の実施形態において、前記ペリレン上の置換基の一部またはすべては、０から１２個の炭素原子と、Ｏ、Ｎ、Ｓ、Ｆ、Ｃｌ、ＢｒおよびＩから独立して選択される０から５個のヘテロ原子とを有することができ（ただし、少なくとも非水素原子があることを条件とする）；および／または１５ｇ／ｍｏｌから２５０ｇ／ｍｏｌまたは約５００ｇ／ｍｏｌの分子量を有することができる。例えば、前記置換基は、Ｃ１−１０アルキル、例えば、ＣＨ３、Ｃ２Ｈ５、Ｃ３Ｈ７、環式Ｃ３Ｈ５、Ｃ４Ｈ９、環式Ｃ４Ｈ７、Ｃ５Ｈ１１、環式Ｃ５Ｈ９、Ｃ６Ｈ１３、環式Ｃ６Ｈ１１、など；Ｃ１−１０アルコキシ、例えば、−ＯＣＨ３、−ＯＣ２Ｈ５、−ＯＣ３Ｈ７、環式−ＯＣ３Ｈ５、−ＯＣ４Ｈ９、環式−ＯＣ４Ｈ７、−ＯＣ５Ｈ１１、環式−ＯＣ５Ｈ９、−ＯＣ６Ｈ１３、環式−ＯＣ６Ｈ１１、など；ハロ、例えば、Ｆ、Ｃｌ、Ｂｒ、Ｉ；ＯＨ；ＣＮ；ＮＯ２；Ｃ１−６フルオロアルキル、例えば、ＣＦ３、ＣＦ２Ｈ、Ｃ２Ｆ５など；Ｃ１−１０エステル、例えば、−Ｏ２ＣＣＨ３、−ＣＯ２ＣＨ３、−Ｏ２ＣＣ２Ｈ５、−ＣＯ２Ｃ２Ｈ５、−Ｏ２Ｃ−フェニル、−ＣＯ２−フェニルなど；Ｃ１−１０アミド、例えば、−ＣＯＮＨ２、−ＣＯＮＨＣＨ３、−ＮＨＣＯ−フェニルなど；Ｃ１−１０ケトン、例えば、−ＣＯＣＨ３、−ＣＯＣ２Ｈ５、−ＣＯＣ３Ｈ７、−ＣＯ−フェニルなど；またはＣ１−１０アミン、例えば、ＮＨ２、ＮＨ（ＣＨ３）、Ｎ（ＣＨ３）２、Ｎ（ＣＨ３）Ｃ２Ｈ５などであってよい。一部の実施形態において、前記ペリレンは、Ｃ１−６アルキル、ＣＦ３およびＦから独立して選択される１または２個の置換基で場合により置換されている。一部の実施形態において、前記ペリレンは、ＣＦ３置換基を有する。一部の実施形態において、Ｐｅｒは非置換である。
【００６２】
一部の場合により置換されているペリレンは、式２〜７のいずれかによって表すことができる：
【化３】
0006010121.tif 000007
0006010121.tif 000008
【００６３】
一般に、Ｒ２〜Ｒ２３は、Ｈであってもよく、または任意の置換基、例えば、０から１２個の炭素原子と、Ｏ、Ｎ、Ｓ、Ｆ、Ｃｌ、ＢｒおよびＩから独立して選択される０から５個のヘテロ原子とを有するおよび／または１５ｇ／ｍｏｌから３００ｇ／ｍｏｌの分子量を有する置換基であってもよい。一部の実施形態において、Ｒ２〜Ｒ２３は、１、２、３、４、５、６、７、８、９もしくは１０個の炭素原子と、０、１もしくは２個の酸素原子、０もしくは１個の窒素原子および／または０もしくは１個の硫黄原子とを有することがある。Ｒ２〜Ｒ２３のいずれも、ｂ）１個以上の官能基、例えば、Ｃ＝Ｃ、Ｃ≡Ｃ、ＣＯ、ＣＯ２、ＣＯＮ、ＮＣＯ２、ＯＨ、ＳＨ、Ｏ、Ｓ、Ｎ、Ｎ＝Ｃ、Ｆ、Ｃｌ、Ｂｒ、Ｉ、ＣＮ、ＮＯ２、ＣＯ２Ｈ、ＮＨ２などで場合により置換されている、またはｂ）によってもしくはｂ）に場合により接続されている、ａ）１個以上のアルキル部分、アリール部分および／またはヘテロアリール部分を含むことがあり、あるいはアルキル部分を有さない置換基、例えば、Ｆ、Ｃｌ、Ｂｒ、Ｉ、ＮＯ２、ＣＮ、ＮＨ２、ＯＨ、ＣＯＨ、ＣＯ２Ｈなどであることがある。
【００６４】
上に図示した任意の該当する式または構造描写に関して、Ｒ２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２は、Ｈであってもよい。一部の実施形態において、Ｒ２は、ＣＯ２ＲＡであってもよい。
【化４】
0006010121.tif 000009
【００６５】
本明細書に図示する任意の式または構造描写中の各ＲＡは、独立して、ＨまたはＣ１−１２アルキルであってよく、該Ｃ１−１２アルキルとしては、式ＣａＨａ＋１を有する直鎖もしくは分岐アルキル、または式ＣａＨａ―１を有するシクロアルキル（式中のａは、１、２、３、４、５、６、７、８、９、１０、１１もしくは１２である）、例えば、式ＣＨ３、Ｃ２Ｈ５、Ｃ３Ｈ７、Ｃ４Ｈ９、Ｃ５Ｈ１１、Ｃ６Ｈ１３、Ｃ７Ｈ１５、Ｃ８Ｈ１７、Ｃ９Ｈ１９、Ｃ１０Ｈ２１などの直鎖もしくは分岐アルキル、または式Ｃ３Ｈ５、Ｃ４Ｈ７、Ｃ５Ｈ９、Ｃ６Ｈ１１、Ｃ７Ｈ１３、Ｃ８Ｈ１５、Ｃ９Ｈ１７、Ｃ１０Ｈ１９などのシクロアルキルが挙げられる。
【００６６】
本明細書に図示する任意の式または構造描写中の各ＲＢは、独立して、ＨまたはＣ１−１２アルキルであってよく、該Ｃ１−１２アルキルとしては、式ＣａＨａ＋１を有する直鎖もしくは分岐アルキル、または式ＣａＨａ―１を有するシクロアルキル（式中のａは、１、２、３、４、５、６、７、８、９、１０、１１もしくは１２である）、例えば、式ＣＨ３、Ｃ２Ｈ５、Ｃ３Ｈ７、Ｃ４Ｈ９、Ｃ５Ｈ１１、Ｃ６Ｈ１３、Ｃ８Ｈ１７、Ｃ７Ｈ１５、Ｃ９Ｈ１９、Ｃ１０Ｈ２１などの直鎖もしくは分岐アルキル、または式Ｃ３Ｈ５、Ｃ４Ｈ７、Ｃ５Ｈ９、Ｃ６Ｈ１１、Ｃ７Ｈ１３、Ｃ８Ｈ１５、Ｃ９Ｈ１７、Ｃ１０Ｈ１９などのシクロアルキルが挙げられる。
【００６７】
上に図示した任意の該当する式または構造描写に関して、Ｒ３の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ３は、Ｈであってもよい。
【００６８】
上に図示した任意の該当する式または構造描写に関して、Ｒ４の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ４は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；または−Ｏ−Ｃ１−６アルキル、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ４は、Ｈであってもよい。
【００６９】
上に図示した任意の該当する式または構造描写に関して、Ｒ５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ５は、Ｈであってもよい。
【００７０】
上に図示した任意の該当する式または構造描写に関して、式１のように、一部の実施形態において、Ｒ３、Ｒ４およびＲ５の１つは、場合により置換されているフェニルであり、Ｒ３、Ｒ４およびＲ５の他の２つはフェニルでなくてもよい。前記フェニルが置換されている場合、そのフェニルは、１、２、３、４または５個の置換基を有することができる。任意の置換基がフェニル上に含まれることがある。一部の実施形態において、前記フェニル上の置換基の一部またはすべては、０から１２個の炭素原子と、Ｏ、Ｎ、Ｓ、Ｆ、Ｃｌ、ＢｒおよびＩから独立して選択される０から５個のヘテロ原子とを有することができ；および／または１５ｇ／ｍｏｌから約５００ｇ／ｍｏｌの分子量を有することができる。例えば、前記置換基は、Ｃ１−１０アルキル、例えば、ＣＨ３、Ｃ２Ｈ５、Ｃ３Ｈ７、環式Ｃ３Ｈ５、Ｃ４Ｈ９、環式Ｃ４Ｈ７、Ｃ５Ｈ１１、環式Ｃ５Ｈ９、Ｃ６Ｈ１３、環式Ｃ６Ｈ１１、など；Ｃ１−１０アルコキシ；ハロ、例えば、Ｆ、Ｃｌ、Ｂｒ、Ｉ；ＯＨ；ＣＮ；ＮＯ２；Ｃ１−６フルオロアルキル、例えば、ＣＦ３、ＣＦ２Ｈ、Ｃ２Ｆ５など；Ｃ１−１０エステル、例えば、−Ｏ２ＣＣＨ３、−ＣＯ２ＣＨ３、−Ｏ２ＣＣ２Ｈ５、−ＣＯ２Ｃ２Ｈ５、−Ｏ２Ｃ−フェニル、−ＣＯ２−フェニルなど；Ｃ１−１０アミド、例えば、−ＣＯＮＨ２、−ＣＯＮＨＣＨ３、−ＮＨＣＯ−フェニルなど；Ｃ１−１０ケトン、例えば、−ＣＯＣＨ３、−ＣＯＣ２Ｈ５、−ＣＯＣ３Ｈ７、−ＣＯ−フェニルなど；またはＣ１−１０アミン、例えば、ＮＨ２、ＮＨ（ＣＨ３）、Ｎ（ＣＨ３）２、Ｎ（ＣＨ３）Ｃ２Ｈ５などであってよい。一部の実施形態において、前記フェニルは、Ｃ１−６アルキル、ＣＦ３およびＦから独立して選択される１または２個の置換基で場合により置換されている。一部の実施形態において、前記フェニルは、ＣＦ３置換基を有し、それ以外は非置換である。
【００７１】
上に図示した任意の該当する式または構造描写に関して、Ｒ６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ６は、Ｈであってもよい。
【００７２】
上に図示した任意の該当する式または構造描写に関して、Ｒ７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ７は、Ｈであってもよい。
【００７３】
上に図示した任意の該当する式または構造描写に関して、Ｒ８の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ８は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ８は、Ｈであってもよい。一部の実施形態において、Ｒ８は、ＣＯ２ＲＡであってもよい。
【００７４】
上に図示した任意の該当する式または構造描写に関して、Ｒ９の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ９は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ９は、Ｈであってもよい。
【００７５】
上に図示した任意の該当する式または構造描写に関して、Ｒ１０の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１０は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１０は、Ｈであってもよい。
【００７６】
上に図示した任意の該当する式または構造描写に関して、Ｒ１１の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１１は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１１は、Ｈであってもよい。
【００７７】
上に図示した任意の該当する式または構造描写に関して、式１のように、一部の実施形態において、Ｒ９、Ｒ１０およびＲ１１の１つは、場合により置換されているフェニルであり、Ｒ９、Ｒ１０およびＲ１１の他の２つはフェニルでなくてもよい。前記フェニルが置換されている場合、そのフェニルは、１、２、３、４または５個の置換基を有することができる。任意の置換基がフェニル上に含まれることがある。一部の実施形態において、前記フェニル上の置換基の一部またはすべては、０から１２個の炭素原子と、Ｏ、Ｎ、Ｓ、Ｆ、Ｃｌ、ＢｒおよびＩから独立して選択される０から５個のヘテロ原子とを有することができ；および／または１５ｇ／ｍｏｌから約５００ｇ／ｍｏｌの分子量を有することができる。例えば、前記置換基は、Ｃ１−１０アルキル、例えば、ＣＨ３、Ｃ２Ｈ５、Ｃ３Ｈ７、環式Ｃ３Ｈ５、Ｃ４Ｈ９、環式Ｃ４Ｈ７、Ｃ５Ｈ１１、環式Ｃ５Ｈ９、Ｃ６Ｈ１３、環式Ｃ６Ｈ１１、など；Ｃ１−１０アルコキシ；ハロ、例えば、Ｆ、Ｃｌ、Ｂｒ、Ｉ；ＯＨ；ＣＮ；ＮＯ２；Ｃ１−６フルオロアルキル、例えば、ＣＦ３、ＣＦ２Ｈ、Ｃ２Ｆ５など；Ｃ１−１０エステル、例えば、−Ｏ２ＣＣＨ３、−ＣＯ２ＣＨ３、−Ｏ２ＣＣ２Ｈ５、−ＣＯ２Ｃ２Ｈ５、−Ｏ２Ｃ−フェニル、−ＣＯ２−フェニルなど；Ｃ１−１０アミド、例えば、−ＣＯＮＨ２、−ＣＯＮＨＣＨ３、−ＮＨＣＯ−フェニルなど；Ｃ１−１０ケトン、例えば、−ＣＯＣＨ３、−ＣＯＣ２Ｈ５、−ＣＯＣ３Ｈ７、−ＣＯ−フェニルなど；またはＣ１−１０アミン、例えば、ＮＨ２、ＮＨ（ＣＨ３）、Ｎ（ＣＨ３）２、Ｎ（ＣＨ３）Ｃ２Ｈ５などであってよい。一部の実施形態において、前記フェニルは、Ｃ１−６アルキル、ＣＦ３およびＦから独立して選択される１または２個の置換基で場合により置換されている。一部の実施形態において、前記フェニルは、ＣＦ３置換基を有し、それ以外は非置換である。
【００７８】
上に図示した任意の該当する式または構造描写に関して、Ｒ１２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１２は、Ｈであってもよい。
【００７９】
上に図示した任意の該当する式または構造描写に関して、Ｒ１３の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１３は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１３は、Ｈであってもよい。
【００８０】
上に図示した任意の該当する式または構造描写に関して、Ｒ１４の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１４は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１４は、Ｈであってもよい。
【００８１】
上に図示した任意の該当する式または構造描写に関して、Ｒ１５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１５は、Ｈであってもよい。
【００８２】
上に図示した任意の該当する式または構造描写に関して、Ｒ１６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１６は、Ｈであってもよい。
【００８３】
上に図示した任意の該当する式または構造描写に関して、Ｒ１７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１７は、Ｈであってもよい。
【００８４】
上に図示した任意の該当する式または構造描写に関して、Ｒ１８の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１８は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１８は、Ｈであってもよい。
【００８５】
上に図示した任意の該当する式または構造描写に関して、Ｒ１９の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ１９は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ１９は、Ｈであってもよい。
【００８６】
上に図示した任意の該当する式または構造描写に関して、Ｒ２０の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２０は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２０は、Ｈであってもよい。
【００８７】
上に図示した任意の該当する式または構造描写に関して、Ｒ２１の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２１は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２１は、Ｈであってもよい。
【００８８】
上に図示した任意の該当する式または構造描写に関して、Ｒ２２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２２は、Ｈであってもよい。
【００８９】
上に図示した任意の該当する式または構造描写に関して、Ｒ２３の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２３は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２３は、Ｈであってもよい。
【００９０】
上に図示した任意の該当する式または構造描写に関して、式５または６のように、Ｒ１は、Ｈであってよく；Ｃ１−１０アルキル、例えば、ＣＨ３、Ｃ２Ｈ５、Ｃ３Ｈ７、Ｃ４Ｈ９、Ｃ５Ｈ１１、Ｃ６Ｈ１３など、および、Ｃ３−１０シクロアルキル、例えば、Ｃ３Ｈ５、Ｃ４Ｈ７、Ｃ５Ｈ９、Ｃ６Ｈ１１など；Ｃ２−１０アルコキシアルキル；Ｃ６−１８アリール、例えば、場合により置換されているフェニル、場合により置換されているナフチルなど；および、Ｃ６−２０アリールアルキル、例えば、場合により置換されているベンジル、場合により置換されているジフェニルメチル、トリチルなどであってもよい。一部の実施形態において、Ｒ１３は、イソプロピル、イソブチル、イソへキシル、イシオクチル、２−エチル−ヘキシル、ジフェニルメチル、トリチル、または、ジフェニルであってもよい。
【００９１】
上に図示した任意の該当する式または構造描写に関して、式５または６のように、Ｒ１’は、Ｈであってよく；Ｃ１−１０アルキル、例えば、ＣＨ３、Ｃ２Ｈ５、Ｃ３Ｈ７、Ｃ４Ｈ９、Ｃ５Ｈ１１、Ｃ６Ｈ１３など、および、Ｃ３−１０シクロアルキル、例えば、Ｃ３Ｈ５、Ｃ４Ｈ７、Ｃ５Ｈ９、Ｃ６Ｈ１１など；Ｃ２−１０アルコキシアルキル；Ｃ６−１８アリール、例えば、場合により置換されているフェニル、場合により置換されているナフチルなど；および、Ｃ６−２０アリールアルキル、例えば、場合により置換されているベンジル、場合により置換されているジフェニルメチル、トリチルなどであってもよい。一部の実施形態において、Ｒ１’３は、イソプロピル、イソブチル、イソへキシル、イシオクチル、２−エチル−ヘキシル、ジフェニルメチル、トリチル、または、ジフェニルであってもよい。
【００９２】
上に図示した任意の該当する式または構造描写に関して、式５のように、ｍは、１、２、３、４、または５であってもよい。一部の実施形態において、ｍは、１、２、３、または４である。
【００９３】
上に図示した任意の該当する式または構造描写に関して、式５のように、ｎは、１、２、３、４、または５であってもよい。一部の実施形態において、ｎは、１、２、３、または４である。
【００９４】
ある実施形態において、Ｒ１およびＲ１’は、独立して、水素、Ｃ１−Ｃ６アルキル、Ｃ２−Ｃ６アルコキシアルキル、および、Ｃ６−Ｃ１８アリール、またはＣ６−Ｃ２０アリールアルキルである。アルキル基およびアルコキシアルキル基は、分岐、直線、または環状であってもよい。一部の非限定的な例には、イソプロピル、イソブチル、イソへキシル、イシオクチル、２−エチル−ヘキシル、ジフェニルメチル、トリチル、および、ジフェニルが含まれる。
【００９５】
ある実施形態において、前記ルミネセンス化合物は、４，１０−ビス（４−（トリフルオロメチル）フェニル）ペリレン−３，９−ジカルボン酸ジイソブチル（グリーン−１）：
【化５】
0006010121.tif 000010
を含む。
【００９６】
一部の実施形態において、ルミネセンス化合物は、場合により置換されているローダミンまたはローダミン誘導体、例えば、式８、式９または式１０のいずれかの化合物であり得る：
【化６】
0006010121.tif 000011
0006010121.tif 000012
【００９７】
一般に、Ｒ２４〜Ｒ３８は、Ｈであってもよく、または任意の置換基、例えば、０から６個の炭素原子と、Ｏ、Ｎ、Ｓ、Ｆ、Ｃｌ、ＢｒおよびＩから独立して選択される０から５個のヘテロ原子とを有するおよび／または１５ｇ／ｍｏｌから３００ｇ／ｍｏｌの分子量を有する置換基であってもよい。一部の実施形態において、Ｒ２４〜Ｒ３８は、１、２、３、４、５、６、７、８、９もしくは１０個の炭素原子と、０もしくは１個の窒素原子および／または０もしくは１個の硫黄原子とを有することがある。Ｒ２４〜Ｒ３８のいずれも、ｂ）１個以上の官能基、例えば、Ｃ＝Ｃ、Ｃ≡Ｃ、ＣＯ、ＣＯ２、ＣＯＮ、ＮＣＯ２、ＯＨ、ＳＨ、Ｏ、Ｓ、Ｎ、Ｎ＝Ｃ、Ｆ、Ｃｌ、Ｂｒ、Ｉ、ＣＮ、ＮＯ２、ＣＯ２Ｈ、ＮＨ２などで場合により置換されている、またはｂ）によってもしくはｂ）に場合により接続されている、ａ）１個以上のアルキル部分、アリール部分および／またはヘテロアリール部分を含むことがあり、あるいはアルキル部分を有さない置換基、例えば、Ｆ、Ｃｌ、Ｂｒ、Ｉ、ＮＯ２、ＣＮ、ＮＨ２、ＯＨ、ＣＯＨ、ＣＯ２Ｈなどであることがある。
【００９８】
上に図示した任意の該当する式または構造描写に関して、Ｒ２４の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２４は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２４は、Ｈであってもよい。
【００９９】
上に図示した任意の該当する式または構造描写に関して、Ｒ２５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２５は、ＨまたはＣＨ３であってもよい。
【０１００】
上に図示した任意の該当する式または構造描写に関して、Ｒ２６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２６は、Ｈであってもよい。
【０１０１】
上に図示した任意の該当する式または構造描写に関して、Ｒ２７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２７は、Ｈであってもよい。
【０１０２】
上に図示した任意の該当する式または構造描写に関して、Ｒ２８の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２８は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２８は、ＨまたはＣＨ３であってもよい。
【０１０３】
一部の実施形態において、Ｒ２５とＲ２８のいずれもが、Ｈであってもよく、または、Ｒ２５とＲ２８のいずれもが、ＣＨ３であってもよい。
【０１０４】
上に図示した任意の該当する式または構造描写に関して、Ｒ２９の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ２９は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ２９は、Ｈであってもよい。
【０１０５】
上に図示した任意の該当する式または構造描写に関して、Ｒ３０の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３０は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ３０は、Ｈであってもよい。
【０１０６】
上に図示した任意の該当する式または構造描写に関して、Ｒ３１の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３１は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ３１は、Ｈであってもよい。
【０１０７】
上に図示した任意の該当する式または構造描写に関して、Ｒ３２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ３２は、Ｈであってもよい。
【０１０８】
上に図示した任意の該当する式または構造描写に関して、Ｒ３３の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３３は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、Ｒ３３は、Ｈであってもよい。
【０１０９】
上に図示した任意の該当する式または構造描写に関して、Ｒ３４の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３４は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよい。一部の実施形態において、Ｒ３４は、Ｈ、ＣＨ３またはＣＨ２ＣＨ３であってもよい。
【０１１０】
上に図示した任意の該当する式または構造描写に関して、Ｒ３５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよい。一部の実施形態において、Ｒ３５は、Ｈ、ＣＨ３またはＣＨ２ＣＨ３であってもよい。
【０１１１】
一部の実施形態において、Ｒ３４とＲ３５のいずれもが、ＨまたはＣＨ３であってもよく、もしくは、Ｒ３４がＨであり、Ｒ３５が、ＣＨ３またはＣＨ２ＣＨ３であってもよい。
【０１１２】
上に図示した任意の該当する式または構造描写に関して、Ｒ３６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよい。一部の実施形態において、Ｒ３６は、Ｈ、ＣＨ３またはＣＨ２ＣＨ３であってもよい。
【０１１３】
上に図示した任意の該当する式または構造描写に関して、Ｒ３７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、Ｒ３７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよい。一部の実施形態において、Ｒ３７は、Ｈ、ＣＨ３またはＣＨ２ＣＨ３であってもよい。
【０１１４】
一部の実施形態において、Ｒ３６とＲ３７のいずれもが、ＨまたはＣＨ３であってもよく、もしくは、Ｒ３６がＨであり、Ｒ３７が、ＣＨ３またはＣＨ２ＣＨ３であってもよい。
【０１１５】
上に図示した任意の該当する式または構造描写に関して、Ｒ３８の一部の非限定的な例としては、ＲＡを挙げることができる。一部の実施形態において、Ｒ３８は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよい。一部の実施形態において、Ｒ３８は、Ｈ、ＣＨ３またはＣＨ２ＣＨ３であってもよい。
【０１１６】
一部のルミネセンス化合物は、場合により置換されているＢＯＤＩＰＹまたはＢＯＤＩＰＹ誘導体、例えば、式１１、式１２、式１３、式１４または式１５のいずれかの化合物であり得る：
【化７】
0006010121.tif 000013
0006010121.tif 000014
0006010121.tif 000015
【０１１７】
一般に、ＲＸ１〜ＲＸ７は、Ｈであってもよく、または任意の置換基、例えば、０から６個の炭素原子と、Ｏ、Ｎ、Ｓ、Ｆ、Ｃｌ、ＢｒおよびＩから独立して選択される０から５個のヘテロ原子とを有するおよび／または１５ｇ／ｍｏｌから３００ｇ／ｍｏｌの分子量を有する置換基であってもよい。一部の実施形態において、ＲＸ１〜ＲＸ７は、１、２、３、４、５、６、７、８、９もしくは１０個の炭素原子と、０もしくは１個の窒素原子および／または０もしくは１個の硫黄原子とを有することがある。ＲＸ１〜ＲＸ７のいずれも、ｂ）１個以上の官能基、例えば、Ｃ＝Ｃ、Ｃ≡Ｃ、ＣＯ、ＣＯ２、ＣＯＮ、ＮＣＯ２、ＯＨ、ＳＨ、Ｏ、Ｓ、Ｎ、Ｎ＝Ｃ、Ｆ、Ｃｌ、Ｂｒ、Ｉ、ＣＮ、ＮＯ２、ＣＯ２Ｈ、ＮＨ２などで場合により置換されている、またはｂ）によってもしくはｂ）に場合により接続されている、ａ）１個以上のアルキル部分を含むことがあり、あるいはアルキル部分を有さない置換基、例えば、Ｆ、Ｃｌ、Ｂｒ、Ｉ、ＮＯ２、ＣＮ、ＮＨ２、ＯＨ、ＣＯＨ、ＣＯ２Ｈなどであることがある。
【０１１８】
上に図示した任意の該当する式または構造描写に関して、ＲＸ１の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢ、−ＣＨ２ＯＣＯ２ＲＡなどを挙げることができる。一部の実施形態において、ＲＸ１は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ１は、−ＣＨ２ＯＣＯＣＨ３であってもよい。
【０１１９】
上に図示した任意の該当する式または構造描写に関して、ＲＸ２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ２は、ＣＨ３であってもよい。
【０１２０】
上に図示した任意の該当する式または構造描写に関して、ＲＸ３の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ３は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ３は、−ＣＨ２ＣＨ３であってもよい。
【０１２１】
上に図示した任意の該当する式または構造描写に関して、ＲＸ４の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ４は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ４は、ＣＨ３であってもよい。
【０１２２】
上に図示した任意の該当する式または構造描写に関して、ＲＸ５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ５は、ＣＨ３であってもよい。
【０１２３】
上に図示した任意の該当する式または構造描写に関して、ＲＸ６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ６は、−ＣＨ２ＣＨ３であってもよい。
【０１２４】
上に図示した任意の該当する式または構造描写に関して、ＲＸ７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢなどを挙げることができる。一部の実施形態において、ＲＸ７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体などであってもよい。一部の実施形態において、ＲＸ７は、ＣＨ３であってもよい。
【０１２５】
一部の実施形態では、ルミネセンス化合物を重合してマトリックス材料にすることができる。例えば、前記マトリックス材料は、ルミネセンス基をペンダント基として含有する繰り返し単位を含有することがある。ルミネセンス化合物を重合してマトリックス材料にすることができる多くの方法があるが、一部の実施形態において、ルミネセンス化合物は、重合性置換基を有する、または重合性置換基の重合誘導体である。一部の実施形態では、Ｒ１〜３８、ＲＸ１〜ＲＸ７、およびＲ１’のいずれも、置換ビニル、置換アクリレート、置換アルクアクリレート、エポキシド、ポリオール、ポリイソシアネート、またはこれらの対応する重合誘導体であってよい。一部の実施形態では、Ｒ１〜３８、ＲＸ１〜ＲＸ７、およびＲ１’のいずれが、下の表１に示す重合性置換基Ｍ１、Ｍ２もしくはＭ３、またはこれらの重合誘導体Ｐ１、Ｐ２、Ｐ３であってもよい：
【表１】
0006010121.tif 000016
【０１２６】
本明細書における任意の該当する式または構造描写、例えばＭ２またはＰ２に関して、Ｘは、−、Ｏ、Ｓ、またはＮＨであってよい。
【０１２７】
本明細書における任意の該当する式または構造描写、例えばＭ１またはＰ１に関して、Ｒ３９は、−；Ｏ；Ｃ１−１２アルキル［式ＣａＨ２ａを有する直鎖もしくは分岐アルキル、または式ＣａＨ２ａ―２を有するシクロアルキル（式中のａは、１、２、３、４、５、６、７、８、９、１０、１１もしくは１２である）、例えば、式ＣＨ２、Ｃ２Ｈ４、Ｃ３Ｈ６、Ｃ４Ｈ８、Ｃ５Ｈ１０、Ｃ６Ｈ１２、Ｃ７Ｈ１４、Ｃ８Ｈ１６、Ｃ９Ｈ１８、Ｃ１０Ｈ２０などの直鎖もしくは分岐アルキル、または式Ｃ３Ｈ４、Ｃ４Ｈ６、Ｃ５Ｈ８、Ｃ６Ｈ１０、Ｃ７Ｈ１２、Ｃ８Ｈ１４、Ｃ９Ｈ１６、Ｃ１０Ｈ１８などシクロアルキルを含む］；またはＣ１−１２−Ｏ−アルキル−［式−Ｏ−ＣａＨａ−を有する直鎖もしくは分岐−Ｏ−アルキル、または式−Ｏ−ＣａＨ２ａ−２−を有する−Ｏ−シクロアルキル（式中のａは、１、２、３、４、５、６、７、８、９、１０、１１もしくは１２である）、例えば、式−Ｏ−ＣＨ２−、−Ｏ−Ｃ２Ｈ４−、−Ｏ−Ｃ３Ｈ６−、−Ｏ−Ｃ４Ｈ８−、−Ｏ−Ｃ５Ｈ１０−、−Ｏ−Ｃ６Ｈ１２−、−Ｏ−Ｃ７Ｈ１４−、−Ｏ−Ｃ８Ｈ１６−、−Ｏ−Ｃ９Ｈ１８−、−Ｏ−Ｃ１０Ｈ２０−などの直鎖もしくは分岐アルキル、または式−Ｏ−Ｃ３Ｈ４、−Ｏ−Ｃ４Ｈ６、−Ｏ−Ｃ５Ｈ８、−Ｏ−Ｃ６Ｈ１０、−Ｏ−Ｃ７Ｈ１２、−Ｏ−Ｃ８Ｈ１４、−Ｏ−Ｃ９Ｈ１６、−Ｏ−Ｃ１０Ｈ１８−などの−Ｏ−シクロアルキルを含み、ここでの−Ｏ−は、アルキルのいずれの側にあってもよい（例えば、−Ｏ−アルキル−または−アルキル−Ｏ−）］であってよい。
【０１２８】
本明細書における任意の該当する式または構造描写、例えばＭ１またはＰ１に関して、Ｒ４０は、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、またはＣＯＮＲＡＲＢであってよい。一部の実施形態において、Ｒ４０は、Ｈ；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体など；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１２９】
上に図示した任意の該当する式または構造描写に関して、Ｍ１またはＰ１のように、Ｒ４１の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢであってよい。一部の実施形態において、Ｒ４１は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１３０】
上に図示した任意の該当する式または構造描写に関して、Ｍ１またはＰ１のように、Ｒ４２の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢであってよい。一部の実施形態において、Ｒ４２は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１３１】
本明細書における任意の該当する式または構造描写、例えばＭ２またはＰ２に関して、Ｒ４３は、−；Ｃ１−１２アルキル［式ＣａＨａを有する直鎖もしくは分岐アルキル、または式ＣａＨ２ａ―２を有するシクロアルキル（式中のａは、１、２、３、４、５、６、７、８、９、１０、１１もしくは１２である）、例えば、式ＣＨ２、Ｃ２Ｈ４、Ｃ３Ｈ６、Ｃ４Ｈ８、Ｃ５Ｈ１０、Ｃ６Ｈ１２、Ｃ７Ｈ１４、Ｃ８Ｈ１６、Ｃ９Ｈ１８、Ｃ１０Ｈ２０などの直鎖もしくは分岐アルキル、または式Ｃ３Ｈ４、Ｃ４Ｈ６、Ｃ５Ｈ８、Ｃ６Ｈ１０、Ｃ７Ｈ１２、Ｃ８Ｈ１４、Ｃ９Ｈ１６、Ｃ１０Ｈ１８などシクロアルキルを含む］；またはＣ１−１２−Ｏ−アルキル−［式−Ｏ−ＣａＨａ−を有する直鎖もしくは分岐−Ｏ−アルキル、または式−Ｏ−ＣａＨ２ａ−２−を有する−Ｏ−シクロアルキル（式中のａは、１、２、３、４、５、６、７、８、９、１０、１１もしくは１２である）、例えば、式−Ｏ−ＣＨ２−、−Ｏ−Ｃ２Ｈ４−、−Ｏ−Ｃ３Ｈ６−、−Ｏ−Ｃ４Ｈ８−、−Ｏ−Ｃ５Ｈ１０−、−Ｏ−Ｃ６Ｈ１２−、−Ｏ−Ｃ７Ｈ１４−、−Ｏ−Ｃ８Ｈ１６−、−Ｏ−Ｃ９Ｈ１８−、−Ｏ−Ｃ１０Ｈ２０−などの直鎖もしくは分岐アルキル、または式−Ｏ−Ｃ３Ｈ４、−Ｏ−Ｃ４Ｈ６、−Ｏ−Ｃ５Ｈ８、−Ｏ−Ｃ６Ｈ１０、−Ｏ−Ｃ７Ｈ１２、−Ｏ−Ｃ８Ｈ１４、−Ｏ−Ｃ９Ｈ１６、−Ｏ−Ｃ１０Ｈ１８−などの−Ｏ−シクロアルキルを含み、ここでの−Ｏ−は、アルキルのいずれの側にあってもよい（−Ｏ−はＸに結合していない）］であってよい。
【０１３２】
本明細書における任意の該当する式または構造描写、例えばＭ３またはＰ３に関して、Ｒ４４は、−；Ｏ；Ｃ１−１２アルキル［式ＣａＨａを有する直鎖もしくは分岐アルキル、または式ＣａＨ２ａ―２を有するシクロアルキル（式中のａは、１、２、３、４、５、６、７、８、９、１０、１１もしくは１２である）、例えば、式ＣＨ２、Ｃ２Ｈ４、Ｃ３Ｈ６、Ｃ４Ｈ８、Ｃ５Ｈ１０、Ｃ６Ｈ１２、Ｃ７Ｈ１４、Ｃ８Ｈ１６、Ｃ９Ｈ１８、Ｃ１０Ｈ２０などの直鎖もしくは分岐アルキル、または式Ｃ３Ｈ４、Ｃ４Ｈ６、Ｃ５Ｈ８、Ｃ６Ｈ１０、Ｃ７Ｈ１２、Ｃ８Ｈ１４、Ｃ９Ｈ１６、Ｃ１０Ｈ１８など−Ｏ−シクロアルキルを含む］；またはＣ１−１２−Ｏ−アルキル−［式−Ｏ−ＣａＨａ−を有する直鎖もしくは分岐−Ｏ−アルキル、または式−Ｏ−ＣａＨ２ａ−２−を有する−Ｏ−シクロアルキル（式中のａは、１、２、３、４、５、６、７、８、９、１０、１１もしくは１２である）、例えば、式−Ｏ−ＣＨ２−、−Ｏ−Ｃ２Ｈ４−、−Ｏ−Ｃ３Ｈ６−、−Ｏ−Ｃ４Ｈ８−、−Ｏ−Ｃ５Ｈ１０−、−Ｏ−Ｃ６Ｈ１２−、−Ｏ−Ｃ７Ｈ１４−、−Ｏ−Ｃ８Ｈ１６−、−Ｏ−Ｃ９Ｈ１８−、−Ｏ−Ｃ１０Ｈ２０−などの直鎖もしくは分岐アルキル、または式−Ｏ−Ｃ３Ｈ４、−Ｏ−Ｃ４Ｈ６、−Ｏ−Ｃ５Ｈ８、−Ｏ−Ｃ６Ｈ１０、−Ｏ−Ｃ７Ｈ１２、−Ｏ−Ｃ８Ｈ１４、−Ｏ−Ｃ９Ｈ１６、−Ｏ−Ｃ１０Ｈ１８−などの−Ｏ−シクロアルキルを含み、ここでの−Ｏ−は、アルキルのいずれの側にあってもよい（例えば、−Ｏ−アルキル−または−アルキル−Ｏ−）］であってよい。
【０１３３】
上に図示した任意の該当する式または構造描写に関して、Ｍ３またはＰ３のように、Ｒ４５の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢであってよい。一部の実施形態において、Ｒ４５は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１３４】
上に図示した任意の該当する式または構造描写に関して、Ｍ３またはＰ３のように、Ｒ４６の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢであってよい。一部の実施形態において、Ｒ４６は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１３５】
上に図示した任意の該当する式または構造描写に関して、Ｍ３またはＰ３のように、Ｒ４７の一部の非限定的な例としては、ＲＡ、Ｆ、Ｃｌ、ＣＮ、ＯＲＡ、ＣＦ３、ＮＯ２、ＮＲＡＲＢ、ＣＯＲＡ、ＣＯ２ＲＡ、ＯＣＯＲＡ、ＮＲＡＣＯＲＢ、ＣＯＮＲＡＲＢであってよい。一部の実施形態において、Ｒ４７は、Ｈであってもよく；Ｃ１−６アルキル、例えば、メチル、エチル、プロピル異性体、シクロプロピル、ブチル異性体、シクロブチル異性体、ペンチル異性体、シクロペンチル異性体、ヘキシル異性体、シクロヘキシル異性体などであってもよく；またはＣ１−６アルコキシ、例えば、−Ｏ−メチル、−Ｏ−エチル、−Ｏ−プロピルの異性体、−Ｏ−シクロプロピル、−Ｏ−ブチルの異性体、−Ｏ−シクロブチルの異性体、−Ｏ−ペンチルの異性体、−Ｏ−シクロペンチルの異性体、−Ｏ−ヘキシルの異性体、−Ｏ−シクロヘキシルの異性体など；Ｆ；Ｃｌ；ＣＮ；ＣＦ３；またはＯＣＯＣＨ３であってよい。
【０１３６】
一部の実施形態において、Ｒ１は、Ｍ１、Ｍ２、Ｍ３，Ｐ１、Ｐ２、またはＰ３である。一部の実施形態において、Ｒ１は、Ｍ１である。一部の実施形態において、Ｒ１は、Ｍ２である。一部の実施形態において、Ｒ１は、Ｍ３である。一部の実施形態において、Ｒ１は、Ｐ１である。一部の実施形態において、Ｒ１は、Ｐ２である。一部の実施形態において、Ｒ１は、Ｐ３である。
【０１３７】
一部の実施形態において、Ｒ１’は、Ｍ１、Ｍ２、Ｍ３，Ｐ１、Ｐ２、またはＰ３である。一部の実施形態において、Ｒ１’は、Ｍ１である。一部の実施形態において、Ｒ１’は、Ｍ２である。一部の実施形態において、Ｒ１’は、Ｍ３である。一部の実施形態において、Ｒ１’は、Ｐ１である。一部の実施形態において、Ｒ１’は、Ｐ２である。一部の実施形態において、Ｒ１’は、Ｐ３である。
【０１３８】
一部の実施形態において、Ｒ２は、Ｍ１、Ｍ２、Ｍ３，Ｐ１、Ｐ２、またはＰ３である。一部の実施形態において、Ｒ２は、Ｍ１である。一部の実施形態において、Ｒ２は、Ｍ２である。一部の実施形態において、Ｒ２は、Ｍ３である。一部の実施形態において、Ｒ２は、Ｐ１である。一部の実施形態において、Ｒ２は、Ｐ２である。一部の実施形態において、Ｒ２は、Ｐ３である。
【０１３９】
一部の実施形態において、Ｒ３は、Ｍ１、Ｍ２、Ｍ３，Ｐ１、Ｐ２、またはＰ３である。一部の実施形態において、Ｒ３は、Ｍ１である。一部の実施形態において、Ｒ３は、Ｍ２である。一部の実施形態において、Ｒ３は、Ｍ３である。一部の実施形態において、Ｒ３は、Ｐ１である。一部の実施形態において、Ｒ３は、Ｐ２である。一部の実施形態において、Ｒ３は、Ｐ３である。
【０１４０】
一部の実施形態において、Ｒ４は、Ｍ１、Ｍ２、Ｍ３，Ｐ１、Ｐ２、またはＰ３である。一部の実施形態において、Ｒ４は、Ｍ１である。一部の実施形態において、Ｒ４は、Ｍ２である。一部の実施形態において、Ｒ４は、Ｍ３である。一部の実施形態において、Ｒ４は、Ｐ１である。一部の実施形態において、Ｒ４は、Ｐ２である。一部の実施形態において、Ｒ４は、Ｐ３である。
【０１４１】
一部の実施形態において、Ｒ５は、Ｍ１、Ｍ２、Ｍ３，Ｐ１、Ｐ２、またはＰ３である。一部の実施形態において、Ｒ５は、Ｍ１である。一部の実施形態において、Ｒ５は、Ｍ２である。一部の実施形態において、Ｒ５は、Ｍ３である。一部の実施形態において、Ｒ５は、Ｐ１である。一部の実施形態において、Ｒ５は、Ｐ２である。一部の実施形態において、Ｒ５は、Ｐ３である。
【０１４２】
一部の実施形態において、Ｒ６は、Ｍ１、Ｍ２、Ｍ３，Ｐ１、Ｐ２、またはＰ３である。一部の実施形態において、Ｒ６は、Ｍ１である。一部の実施形態において、Ｒ６は、Ｍ２である。一部の実施形態において、Ｒ６は、Ｍ３である。一部の実施形態において、Ｒ６は、Ｐ１である。一部の実施形態において、Ｒ６は、Ｐ２である。一部の実施形態において、Ｒ６は、Ｐ３である。
【０１４３】
一部の実施形態において、Ｒ７は、Ｍ１、Ｍ２、Ｍ３，Ｐ１、Ｐ２、またはＰ３である。一部の実施形態において、Ｒ７は、Ｍ１である。一部の実施形態において、Ｒ７は、Ｍ２である。一部の実施形態において、Ｒ７は、Ｍ３である。一部の実施形態において、Ｒ７は、Ｐ１である。一部の実施形態において、Ｒ７は、Ｐ２である。一部の実施形態において、Ｒ７は、Ｐ３である。
【０１４４】
一部の実施形態において、Ｒ８は、Ｍ１、Ｍ２、Ｍ３，Ｐ１、Ｐ２、またはＰ３である。一部の実施形態において、Ｒ８は、Ｍ１である。一部の実施形態において、Ｒ８は、Ｍ２である。一部の実施形態において、Ｒ８は、Ｍ３である。一部の実施形態において、Ｒ８は、Ｐ１である。一部の実施形態において、Ｒ８は、Ｐ２である。一部の実施形態において、Ｒ８は、Ｐ３である。
【０１４５】
一部の実施形態において、Ｒ９は、Ｍ１、Ｍ２、Ｍ３，Ｐ１、Ｐ２、またはＰ３である。一部の実施形態において、Ｒ９は、Ｍ１である。一部の実施形態において、Ｒ９は、Ｍ２である。一部の実施形態において、Ｒ９は、Ｍ３である。一部の実施形態において、Ｒ９は、Ｐ１である。一部の実施形態において、Ｒ９は、Ｐ２である。一部の実施形態において、Ｒ９は、Ｐ３である。
【０１４６】
一部の実施形態において、Ｒ１０は、Ｍ１、Ｍ２、Ｍ３，Ｐ１、Ｐ２、またはＰ３である。一部の実施形態において、Ｒ１０は、Ｍ１である。一部の実施形態において、Ｒ１０は、Ｍ２である。一部の実施形態において、Ｒ１０は、Ｍ３である。一部の実施形態において、Ｒ１０は、Ｐ１である。一部の実施形態において、Ｒ１０は、Ｐ２である。一部の実施形態において、Ｒ１０は、Ｐ３である。
【０１４７】
一部の実施形態において、Ｒ１１は、Ｍ１、Ｍ２、Ｍ３，Ｐ１、Ｐ２、またはＰ３である。一部の実施形態において、Ｒ１１は、Ｍ１である。一部の実施形態において、Ｒ１１は、Ｍ２である。一部の実施形態において、Ｒ１１は、Ｍ３である。一部の実施形態において、Ｒ１１は、Ｐ１である。一部の実施形態において、Ｒ１１は、Ｐ２である。一部の実施形態において、Ｒ１１は、Ｐ３である。
【０１４８】
一部の実施形態において、Ｒ１２は、Ｍ１、Ｍ２、Ｍ３，Ｐ１、Ｐ２、またはＰ３である。一部の実施形態において、Ｒ１２は、Ｍ１である。一部の実施形態において、Ｒ１２は、Ｍ２である。一部の実施形態において、Ｒ１２は、Ｍ３である。一部の実施形態において、Ｒ１２は、Ｐ１である。一部の実施形態において、Ｒ１２は、Ｐ２である。一部の実施形態において、Ｒ１２は、Ｐ３である。
【０１４９】
一部の実施形態において、Ｒ１３は、Ｍ１、Ｍ２、Ｍ３，Ｐ１、Ｐ２、またはＰ３である。一部の実施形態において、Ｒ１３は、Ｍ１である。一部の実施形態において、Ｒ１３は、Ｍ２である。一部の実施形態において、Ｒ１３は、Ｍ３である。一部の実施形態において、Ｒ１３は、Ｐ１である。一部の実施形態において、Ｒ１３は、Ｐ２である。一部の実施形態において、Ｒ１３は、Ｐ３である。
【０１５０】
一部の実施形態において、Ｒ１４は、Ｍ１、Ｍ２、Ｍ３，Ｐ１、Ｐ２、またはＰ３である。一部の実施形態において、Ｒ１４は、Ｍ１である。一部の実施形態において、Ｒ１４は、Ｍ２である。一部の実施形態において、Ｒ１４は、Ｍ３である。一部の実施形態において、Ｒ１４は、Ｐ１である。一部の実施形態において、Ｒ１４は、Ｐ２である。一部の実施形態において、Ｒ１４は、Ｐ３である。
【０１５１】
一部の実施形態において、Ｒ１５は、Ｍ１、Ｍ２、Ｍ３，Ｐ１、Ｐ２、またはＰ３である。一部の実施形態において、Ｒ１５は、Ｍ１である。一部の実施形態において、Ｒ１５は、Ｍ２である。一部の実施形態において、Ｒ１５は、Ｍ３である。一部の実施形態において、Ｒ１５は、Ｐ１である。一部の実施形態において、Ｒ１５は、Ｐ２である。一部の実施形態において、Ｒ１５は、Ｐ３である。
【０１５２】
一部の実施形態において、Ｒ１６は、Ｍ１、Ｍ２、Ｍ３，Ｐ１、Ｐ２、またはＰ３である。一部の実施形態において、Ｒ１６は、Ｍ１である。一部の実施形態において、Ｒ１６は、Ｍ２である。一部の実施形態において、Ｒ１６は、Ｍ３である。一部の実施形態において、Ｒ１６は、Ｐ１である。一部の実施形態において、Ｒ１６は、Ｐ２である。一部の実施形態において、Ｒ１６は、Ｐ３である。
【０１５３】
一部の実施形態において、Ｒ１７は、Ｍ１、Ｍ２、Ｍ３，Ｐ１、Ｐ２、またはＰ３である。一部の実施形態において、Ｒ１７は、Ｍ１である。一部の実施形態において、Ｒ１７は、Ｍ２である。一部の実施形態において、Ｒ１７は、Ｍ３である。一部の実施形態において、Ｒ１７は、Ｐ１である。一部の実施形態において、Ｒ１７は、Ｐ２である。一部の実施形態において、Ｒ１７は、Ｐ３である。
【０１５４】
一部の実施形態において、Ｒ１８は、Ｍ１、Ｍ２、Ｍ３，Ｐ１、Ｐ２、またはＰ３である。一部の実施形態において、Ｒ１８は、Ｍ１である。一部の実施形態において、Ｒ１８は、Ｍ２である。一部の実施形態において、Ｒ１８は、Ｍ３である。一部の実施形態において、Ｒ１８は、Ｐ１である。一部の実施形態において、Ｒ１８は、Ｐ２である。一部の実施形態において、Ｒ１８は、Ｐ３である。
【０１５５】
一部の実施形態において、Ｒ１９は、Ｍ１、Ｍ２、Ｍ３，Ｐ１、Ｐ２、またはＰ３である。一部の実施形態において、Ｒ１９は、Ｍ１である。一部の実施形態において、Ｒ１９は、Ｍ２である。一部の実施形態において、Ｒ１９は、Ｍ３である。一部の実施形態において、Ｒ１９は、Ｐ１である。一部の実施形態において、Ｒ１９は、Ｐ２である。一部の実施形態において、Ｒ１９は、Ｐ３である。
【０１５６】
一部の実施形態において、Ｒ２０は、Ｍ１、Ｍ２、Ｍ３，Ｐ１、Ｐ２、またはＰ３である。一部の実施形態において、Ｒ２０は、Ｍ１である。一部の実施形態において、Ｒ２０は、Ｍ２である。一部の実施形態において、Ｒ２０は、Ｍ３である。一部の実施形態において、Ｒ２０は、Ｐ１である。一部の実施形態において、Ｒ２０は、Ｐ２である。一部の実施形態において、Ｒ２０は、Ｐ３である。
【０１５７】
一部の実施形態において、Ｒ２１は、Ｍ１、Ｍ２、Ｍ３，Ｐ１、Ｐ２、またはＰ３である。一部の実施形態において、Ｒ２１は、Ｍ１である。一部の実施形態において、Ｒ２１は、Ｍ２である。一部の実施形態において、Ｒ２１は、Ｍ３である。一部の実施形態において、Ｒ２１は、Ｐ１である。一部の実施形態において、Ｒ２１は、Ｐ２である。一部の実施形態において、Ｒ２１は、Ｐ３である。
【０１５８】
一部の実施形態において、Ｒ２２は、Ｍ１、Ｍ２、Ｍ３，Ｐ１、Ｐ２、またはＰ３である。一部の実施形態において、Ｒ２２は、Ｍ１である。一部の実施形態において、Ｒ２２は、Ｍ２である。一部の実施形態において、Ｒ２２は、Ｍ３である。一部の実施形態において、Ｒ２２は、Ｐ１である。一部の実施形態において、Ｒ２２は、Ｐ２である。一部の実施形態において、Ｒ２２は、Ｐ３である。
【０１５９】
一部の実施形態において、Ｒ２３は、Ｍ１、Ｍ２、Ｍ３，Ｐ１、Ｐ２、またはＰ３である。一部の実施形態において、Ｒ２３は、Ｍ１である。一部の実施形態において、Ｒ２３は、Ｍ２である。一部の実施形態において、Ｒ２３は、Ｍ３である。一部の実施形態において、Ｒ２３は、Ｐ１である。一部の実施形態において、Ｒ２３は、Ｐ２である。一部の実施形態において、Ｒ２３は、Ｐ３である。
【０１６０】
一部の実施形態において、Ｒ２４は、Ｍ１、Ｍ２、Ｍ３，Ｐ１、Ｐ２、またはＰ３である。一部の実施形態において、Ｒ２４は、Ｍ１である。一部の実施形態において、Ｒ２４は、Ｍ２である。一部の実施形態において、Ｒ２４は、Ｍ３である。一部の実施形態において、Ｒ２４は、Ｐ１である。一部の実施形態において、Ｒ２４は、Ｐ２である。一部の実施形態において、Ｒ２４は、Ｐ３である。
【０１６１】
一部の実施形態において、Ｒ２５は、Ｍ１、Ｍ２、Ｍ３，Ｐ１、Ｐ２、またはＰ３である。一部の実施形態において、Ｒ２５は、Ｍ１である。一部の実施形態において、Ｒ２５は、Ｍ２である。一部の実施形態において、Ｒ２５は、Ｍ３である。一部の実施形態において、Ｒ２５は、Ｐ１である。一部の実施形態において、Ｒ２５は、Ｐ２である。一部の実施形態において、Ｒ２５は、Ｐ３である。
【０１６２】
一部の実施形態において、Ｒ２６は、Ｍ１、Ｍ２、Ｍ３，Ｐ１、Ｐ２、またはＰ３である。一部の実施形態において、Ｒ２６は、Ｍ１である。一部の実施形態において、Ｒ２６は、Ｍ２である。一部の実施形態において、Ｒ２６は、Ｍ３である。一部の実施形態において、Ｒ２６は、Ｐ１である。一部の実施形態において、Ｒ２６は、Ｐ２である。一部の実施形態において、Ｒ２６は、Ｐ３である。
【０１６３】
一部の実施形態において、Ｒ２７は、Ｍ１、Ｍ２、Ｍ３，Ｐ１、Ｐ２、またはＰ３である。一部の実施形態において、Ｒ２７は、Ｍ１である。一部の実施形態において、Ｒ２７は、Ｍ２である。一部の実施形態において、Ｒ２７は、Ｍ３である。一部の実施形態において、Ｒ２７は、Ｐ１である。一部の実施形態において、Ｒ２７は、Ｐ２である。一部の実施形態において、Ｒ２７は、Ｐ３である。
【０１６４】
一部の実施形態において、Ｒ２８は、Ｍ１、Ｍ２、Ｍ３，Ｐ１、Ｐ２、またはＰ３である。一部の実施形態において、Ｒ２８は、Ｍ１である。一部の実施形態において、Ｒ２８は、Ｍ２である。一部の実施形態において、Ｒ２８は、Ｍ３である。一部の実施形態において、Ｒ２８は、Ｐ１である。一部の実施形態において、Ｒ２８は、Ｐ２である。一部の実施形態において、Ｒ２８は、Ｐ３である。
【０１６５】
一部の実施形態において、Ｒ２９は、Ｍ１、Ｍ２、Ｍ３，Ｐ１、Ｐ２、またはＰ３である。一部の実施形態において、Ｒ２９は、Ｍ１である。一部の実施形態において、Ｒ２９は、Ｍ２である。一部の実施形態において、Ｒ２９は、Ｍ３である。一部の実施形態において、Ｒ２９は、Ｐ１である。一部の実施形態において、Ｒ２９は、Ｐ２である。一部の実施形態において、Ｒ２９は、Ｐ３である。
【０１６６】
一部の実施形態において、Ｒ３０は、Ｍ１、Ｍ２、Ｍ３，Ｐ１、Ｐ２、またはＰ３である。一部の実施形態において、Ｒ３０は、Ｍ１である。一部の実施形態において、Ｒ３０は、Ｍ２である。一部の実施形態において、Ｒ３０は、Ｍ３である。一部の実施形態において、Ｒ３０は、Ｐ１である。一部の実施形態において、Ｒ３０は、Ｐ２である。一部の実施形態において、Ｒ３０は、Ｐ３である。
【０１６７】
一部の実施形態において、Ｒ３１は、Ｍ１、Ｍ２、Ｍ３，Ｐ１、Ｐ２、またはＰ３である。一部の実施形態において、Ｒ３１は、Ｍ１である。一部の実施形態において、Ｒ３１は、Ｍ２である。一部の実施形態において、Ｒ３１は、Ｍ３である。一部の実施形態において、Ｒ３１は、Ｐ１である。一部の実施形態において、Ｒ３１は、Ｐ２である。一部の実施形態において、Ｒ３１は、Ｐ３である。
【０１６８】
一部の実施形態において、Ｒ３２は、Ｍ１、Ｍ２、Ｍ３，Ｐ１、Ｐ２、またはＰ３である。一部の実施形態において、Ｒ３２は、Ｍ１である。一部の実施形態において、Ｒ３２は、Ｍ２である。一部の実施形態において、Ｒ３２は、Ｍ３である。一部の実施形態において、Ｒ３２は、Ｐ１である。一部の実施形態において、Ｒ３２は、Ｐ２である。一部の実施形態において、Ｒ３２は、Ｐ３である。
【０１６９】
一部の実施形態において、Ｒ３３は、Ｍ１、Ｍ２、Ｍ３，Ｐ１、Ｐ２、またはＰ３である。一部の実施形態において、Ｒ３３は、Ｍ１である。一部の実施形態において、Ｒ３３は、Ｍ２である。一部の実施形態において、Ｒ３３は、Ｍ３である。一部の実施形態において、Ｒ３３は、Ｐ１である。一部の実施形態において、Ｒ３３は、Ｐ２である。一部の実施形態において、Ｒ３３は、Ｐ３である。
【０１７０】
一部の実施形態において、Ｒ３４は、Ｍ１、Ｍ２、Ｍ３，Ｐ１、Ｐ２、またはＰ３である。一部の実施形態において、Ｒ３４は、Ｍ１である。一部の実施形態において、Ｒ３４は、Ｍ２である。一部の実施形態において、Ｒ３４は、Ｍ３である。一部の実施形態において、Ｒ３４は、Ｐ１である。一部の実施形態において、Ｒ３４は、Ｐ２である。一部の実施形態において、Ｒ３４は、Ｐ３である。
【０１７１】
一部の実施形態において、Ｒ３５は、Ｍ１、Ｍ２、Ｍ３，Ｐ１、Ｐ２、またはＰ３である。一部の実施形態において、Ｒ３５は、Ｍ１である。一部の実施形態において、Ｒ３５は、Ｍ２である。一部の実施形態において、Ｒ３５は、Ｍ３である。一部の実施形態において、Ｒ３５は、Ｐ１である。一部の実施形態において、Ｒ３５は、Ｐ２である。一部の実施形態において、Ｒ３５は、Ｐ３である。
【０１７２】
一部の実施形態において、Ｒ３６は、Ｍ１、Ｍ２、Ｍ３，Ｐ１、Ｐ２、またはＰ３である。一部の実施形態において、Ｒ３６は、Ｍ１である。一部の実施形態において、Ｒ３６は、Ｍ２である。一部の実施形態において、Ｒ３６は、Ｍ３である。一部の実施形態において、Ｒ３６は、Ｐ１である。一部の実施形態において、Ｒ３６は、Ｐ２である。一部の実施形態において、Ｒ３６は、Ｐ３である。
【０１７３】
一部の実施形態において、Ｒ３７は、Ｍ１、Ｍ２、Ｍ３，Ｐ１、Ｐ２、またはＰ３である。一部の実施形態において、Ｒ３７は、Ｍ１である。一部の実施形態において、Ｒ３７は、Ｍ２である。一部の実施形態において、Ｒ３７は、Ｍ３である。一部の実施形態において、Ｒ３７は、Ｐ１である。一部の実施形態において、Ｒ３７は、Ｐ２である。一部の実施形態において、Ｒ３７は、Ｐ３である。
【０１７４】
一部の実施形態において、Ｒ３８は、Ｍ１、Ｍ２、Ｍ３，Ｐ１、Ｐ２、またはＰ３である。一部の実施形態において、Ｒ３８は、Ｍ１である。一部の実施形態において、Ｒ３８は、Ｍ２である。一部の実施形態において、Ｒ３８は、Ｍ３である。一部の実施形態において、Ｒ３８は、Ｐ１である。一部の実施形態において、Ｒ３８は、Ｐ２である。一部の実施形態において、Ｒ３８は、Ｐ３である。
【０１７５】
一部の実施形態において、ＲＸ１は、Ｍ１、Ｍ２、Ｍ３，Ｐ１、Ｐ２、またはＰ３である。一部の実施形態において、ＲＸ１は、Ｍ１である。一部の実施形態において、ＲＸ１は、Ｍ２である。一部の実施形態において、ＲＸ１は、Ｍ３である。一部の実施形態において、ＲＸ１は、Ｐ１である。一部の実施形態において、ＲＸ１は、Ｐ２である。一部の実施形態において、ＲＸ１は、Ｐ３である。一部の実施形態において、ＲＸ１は、Ｍ２またはＰ２であり、Ｒ４３は、−ＣＨ２−であり、Ｘは、Ｏであり、ＲＡは、ＣＨ３である。
【０１７６】
一部の実施形態において、ＲＸ２は、Ｍ１、Ｍ２、Ｍ３，Ｐ１、Ｐ２、またはＰ３である。一部の実施形態において、ＲＸ２は、Ｍ１である。一部の実施形態において、ＲＸ２は、Ｍ２である。一部の実施形態において、ＲＸ２は、Ｍ３である。一部の実施形態において、ＲＸ２は、Ｐ１である。一部の実施形態において、ＲＸ２は、Ｐ２である。一部の実施形態において、ＲＸ２は、Ｐ３である。
【０１７７】
一部の実施形態において、ＲＸ３は、Ｍ１、Ｍ２、Ｍ３，Ｐ１、Ｐ２、またはＰ３である。一部の実施形態において、ＲＸ３は、Ｍ１である。一部の実施形態において、ＲＸ３は、Ｍ２である。一部の実施形態において、ＲＸ３は、Ｍ３である。一部の実施形態において、ＲＸ３は、Ｐ１である。一部の実施形態において、ＲＸ３は、Ｐ２である。一部の実施形態において、ＲＸ３は、Ｐ３である。
【０１７８】
一部の実施形態において、ＲＸ４は、Ｍ１、Ｍ２、Ｍ３，Ｐ１、Ｐ２、またはＰ３である。一部の実施形態において、ＲＸ４は、Ｍ１である。一部の実施形態において、ＲＸ４は、Ｍ２である。一部の実施形態において、ＲＸ４は、Ｍ３である。一部の実施形態において、ＲＸ４は、Ｐ１である。一部の実施形態において、ＲＸ４は、Ｐ２である。一部の実施形態において、ＲＸ４は、Ｐ３である。
【０１７９】
一部の実施形態において、ＲＸ５は、Ｍ１、Ｍ２、Ｍ３，Ｐ１、Ｐ２、またはＰ３である。一部の実施形態において、ＲＸ５は、Ｍ１である。一部の実施形態において、ＲＸ５は、Ｍ２である。一部の実施形態において、ＲＸ５は、Ｍ３である。一部の実施形態において、ＲＸ５は、Ｐ１である。一部の実施形態において、ＲＸ５は、Ｐ２である。一部の実施形態において、ＲＸ５は、Ｐ３である。
【０１８０】
一部の実施形態において、ＲＸ６は、Ｍ１、Ｍ２、Ｍ３，Ｐ１、Ｐ２、またはＰ３である。一部の実施形態において、ＲＸ６は、Ｍ１である。一部の実施形態において、ＲＸ６は、Ｍ２である。一部の実施形態において、ＲＸ６は、Ｍ３である。一部の実施形態において、ＲＸ６は、Ｐ１である。一部の実施形態において、ＲＸ６は、Ｐ２である。一部の実施形態において、ＲＸ６は、Ｐ３である。
【０１８１】
一部の実施形態において、ＲＸ７は、Ｍ１、Ｍ２、Ｍ３，Ｐ１、Ｐ２、またはＰ３である。一部の実施形態において、ＲＸ７は、Ｍ１である。一部の実施形態において、ＲＸ７は、Ｍ２である。一部の実施形態において、ＲＸ７は、Ｍ３である。一部の実施形態において、ＲＸ７は、Ｐ１である。一部の実施形態において、ＲＸ７は、Ｐ２である。一部の実施形態において、ＲＸ７は、Ｐ３である。
【０１８２】
一部の実施形態では、Ｒ３０、Ｒ３１、Ｒ３２またはＲ３３のいずれも、重合性基、例えばメタクリレートもしくはプロピル−３−メタクリレート：
【化８】
0006010121.tif 000017
、またはこれらの対応する重合誘導体：
【化９】
0006010121.tif 000018
であってよい。
【０１８３】
式８に関して、一部の実施形態において、Ｒ２４、Ｒ２６、Ｒ２７、Ｒ２９、Ｒ３０、Ｒ３１、Ｒ３２およびＲ３３はＨであり、残りの基は、表２に示すとおりである。
【表２】
0006010121.tif 000019
【０１８４】
式８に関して、一部の実施形態において、Ｒ２４、Ｒ２６、Ｒ２７およびＲ２９；Ｒ３０、Ｒ３１、Ｒ３２およびＲ３３のうちの１つは、Ｒｚ、またはＲｚの重合基であり、Ｒ３０、Ｒ３１、Ｒ３２およびＲ３３の残りの３つの基はＨであり；ならびに式８の残りの基は、表３に示すとおりである。
【表３】
0006010121.tif 000020
0006010121.tif 000021
【０１８５】
一部の実施形態において、ルミネセンス化合物は、ローダミン６Ｇであってもよい。
【０１８６】
光学素子は、１つより多くのルミネセンス化合物を含むことがあり、したがって、該光学素子の吸収および発光スペクトルは、それらのルミネセンス化合物のうちの１つのものと異なることがある。例えば、光学素子のスペクトルは、個々の色素のスペクトルの組み合わせ、例えば、濃度関連合計であることがある。
【０１８７】
前記光学素子は、第１の色もしくは第２の色の鮮明度を向上するために、第１の色と第２の色間のスペクトル分離を増加させるために；または前記鮮明度の向上および第１の色の波長と第２の色の波長間のスペクトル分離の増加、両方のために、第２のルミネセンス化合物（または第２のルミネセンス材料）を含む場合がある。ある実施形態において、前記第２のルミネセンス化合物は、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン［ＫＲ材料］、または４，４’−ビス［Ｎ−（ナフチル）−Ｎ−フェニル−アミノ］ビフェニルである。１つの実施形態において、前記第２のルミネセンス化合物は、第１の可視色または第２の可視色の鮮明度を増加させて、該第１の色と該第２の色、例えば緑色か赤色か、の間の弁別性を増加させる。ある実施形態において、前記第２のルミネセンス化合物は、第１の可視色のピーク波長を第２の可視色に対してダウンシフト（赤色シフト）させて、第１の色と第２の色間の弁別性を増加させる。ある実施形態において、前記第２のルミネセンス化合物は、鮮明度を増加させもし、第１の可視色のピーク波長と第２の可視色のピーク波長間のスペクトル分離を増加させもして、第１色と第２の可視色間の弁別を強化する。
【０１８８】
一部の実施形態において、前記第２のルミネセンス化合物は、第１の波長で吸収し、第２の発光波長で発光する。ある実施形態において、前記第２の発光波長は、強化または増強が望まれる波長に実質的に近い、例えば、強化が望まれる色の実質的に同じピーク波長である、または強化が望まれる色の重なりの小さい所望の傾きに実質的に沿っている。
【０１８９】
ある実施形態において、前記第１の色が緑色である場合には、前記ルミネセンス材料の所望の発光ピーク波長は、緑色発光ピークと実質的に同じであることがある。例えば、ある実施形態において、前記ピークが緑色、例えば約５３０ｎｍである場合には、前記第２の発光ピーク波長は、約５１５ｎｍと約５４５ｎｍの間、約５２０ｎｍと約５４０ｎｍの間、または約５２５ｎｍと約５３５ｎｍの間であることがある。ある実施形態において、前記第１の色が赤色である場合には、前記所望の波長が前記発光ピークの赤色ショルダーに沿っていることがあり、そのショルダーは、前記第２の色（緑色）発光スペクトルとの重なりが小さい。例えば、１つの実施形態において、前記ピークが赤色である場合には、前記第２の発光ピーク波長は、約５５０ｎｍと約６００ｎｍの間、約５５０ｎｍと約５９０ｎｍの間、または約５５０ｎｍと約５７０ｎｍの間であることがある。
【０１９０】
もう１つの実施形態において、前記第２のルミネセンス化合物は、選択ピーク波長をダウンシフト（赤色シフト）して、第１の色と第２の色間の弁別性を増加させる。例えば、前記第２のルミネセンス化合物は、緑色感受性波長と実質的に同じ吸収ピーク波長、および赤色感受性波長のピーク辺りの発光ピーク波長または該感受性の傾きに沿った発光ピーク波長を有することができる。ある実施形態において、ストークスシフトが小さいルミネセンス材料を用いると、実質的に緑色光が吸収され、より長いまたはより赤色の波長で再発光される。
【０１９１】
もう１つの実施形態において、ルミネセンス材料は、上に記載したように第１色および第２の色の鮮明度を増加させもし、それらの色間のスペクトル分離を増加させもする。
【０１９２】
一部の実施形態において、前記ルミネセンス化合物または前記光学素子は、吸収波長の光を吸収し、発光波長の光を発光し、ヒト錐体光色素には前記吸収波長より前記発光波長に対する実質的に高い感受性がある。例えば、前記ヒト錐体光色素は、発光波長に対して、吸収波長に対しての少なくとも約１．５、約２、約３もしくは約４倍、および／または約１０倍、約２０倍、約５０倍もしくは約１００倍以下、感受性であり得る。一部の実施形態において、ヒト錐体光色素は、前記ルミネセンス化合物によって発光される可視光と比較して、前記ルミネセンス化合物によって吸収される可視光の少なくとも約５０％、少なくとも約７０％、少なくとも約８０％もしくは少なくとも約９０％、および／または約１００％以下に対して感受性が低い。
【０１９３】
同じ光色素に関して吸収および発光感受性を比較するという条件で、強化される感受性は、任意の光色素、例えば、正常ヒト錐体中波長感受性（Ｍ）光色素、変異体ヒト錐体中波長感受性（ＭＶ）色素、正常ヒト錐体長波長感受性（Ｌ）光色素、変異体ヒト錐体長波長感受性（ＬＶ）光色素、または正常ヒト錐体短波長感受性（Ｓ）光色素に関してであり得る。
【０１９４】
一部の実施形態において、ルミネセンス特徴部、例えば光学素子、ルミネセンス化合物、またはルミネセンス化合物の組み合わせは、約３８０ｎｍから約４５０ｎｍ、約４２０ｎｍから約４８０ｎｍ、約５１０ｎｍから約５５０ｎｍ、約５２０ｎｍから約５４０ｎｍ、または約５３０ｎｍから約５５０ｎｍの領域内に、可視吸収の中心波長、可視吸収の平均波長、可視吸収のピーク波長、可視吸収の最大波長、またはその可視吸収の少なくとも約２０％、約５０％、約７０％もしくは約９０％を有する。一部の実施形態において、ルミネセンス特徴部は、約５００ｎｍから約６００ｎｍ、約５４０ｎｍから約５８０ｎｍ、約５５０ｎｍから約５７０ｎｍ、または約５６０ｎｍから約５８０ｎｍの領域内に、可視発光の中心波長、可視発光の平均波長、可視発光のピーク波長、可視発光の最大波長、またはその可視吸収の少なくとも約２０％、約５０％、約７０％もしくは約９０％を有する。
【０１９５】
可視吸収の中心波長は、該中心波長より長い波長を有する吸収可視光子の数が、該中心波長より短い波長を有する吸収可視光子の数と実質的に同じである波長である。可視発光の中心波長は、該中心波長より長い波長を有する放射可視光子の数が、該中心波長より短い波長を有する放射可視光子の数と実質的に同じである波長である。中心波長は、可視スペクトルの面積を実施的に二等分に分割する波長を選択することによりスペクトルから目測することができる。可視吸収（または可視発光）の平均波長は、可視領域のすべての光子の平均波長である。可視吸収または可視発光のピーク波長は、可視領域のスペクトルのピークである。可視吸収または可視発光の最大波長は、可視スペクトルの最高ピーク波長である。本明細書において用いる場合、用語「吸収」、「吸収する」またはこれらの用語の一形態を、「可視吸収の中心波長、可視吸収の平均波長、可視吸収のピーク波長、可視吸収の最大波長、または可視光吸収の少なくとも約５０％、約８０％または約９０％が発生する波長領域」の省略表現として用いる。本明細書において用いる場合、用語「発光」、「発光する」またはこれらの用語の一形態を、「可視発光の中心波長、可視発光の平均波長、可視発光のピーク波長、可視発光の最大波長、または可視光発光の少なくとも約５０％、約８０％または約９０％が発生する波長領域」の省略表現として用いる。
【０１９６】
一部の実施形態において、光学素子は、Ｍヒト錐体光色素についてのピーク感受性付近の波長領域、例えば、相対感受性（表４）が少なくとも約０．９（例えば、約５１０ｎｍから約５５０ｎｍ）、約０．９３、約０．９５、約０．９６、約０．９７、約０．９８、約０．９９または約１．０である波長領域の光を吸収することができ；およびＬヒト錐体光色素についてのピーク感受性付近の波長領域内のより長い波長、例えば、相対感受性（表４）が少なくとも０．９（例えば、Ｍヒト錐体光色素についての約５４０ｎｍから約５８０ｎｍ）、約０．９３、約０．９５、約０．９６、約０．９７、約０．９８、約０．９９または約１．０である波長領域の光を発光することができる。光学素子は、一般に、吸収する波長より高い波長で、例えば、少なくとも約５ｎｍ、約１０ｎｍ、約２０ｎｍまたは約３０ｎｍ高い波長で発光することができる。一部の実施形態において、光学素子は、Ｍヒト錐体光色素についてのピーク感受性に対してわずかに赤色シフトしている吸収を有することがあり、およびＬヒト錐体光色素についてのピーク感受性に対してわずかに青色シフトしている発光を有することがある。
【０１９７】
Ｍ、Ｌ、Ｓ、ＭＶおよびＬＶヒト光色素の相対感受性を表４に収載する。これらの相対感受性は、各光色素について最大感受性が１．００になるように倍率変更されている。光学素子、ルミネセンス化合物、またはルミネセンス化合物の組み合わせについての適する吸収および発光波長を表４の値の任意のセットから導出することができる。例えば、ルミネセンス化合物は、Ｍ光色素についての低感受性領域、例えば、約３８４ｎｍから約４４０ｎｍ、約３８０ｎｍから約４１０ｎｍ、またはこれらの領域内の表４中の任意の値によって定義される任意の他の領域で吸収することができ；およびＭ光色素についての高感受性領域、例えば、約４６５ｎｍから約５８５ｎｍ、約５１０ｎｍから約５５０ｎｍ、またはこれらの領域内の表４中の任意の値によって定義される任意の他の領域で発光することができる。一部の実施形態において、ルミネセンス化合物は、Ｌ光色素についての低感受性領域、例えば、約３８４ｎｍから約４６０ｎｍ、約３８０ｎｍから約４３０ｎｍ、またはこれらの領域内の表４中の任意の値によって定義される任意の他の領域で吸収することができ；およびＬ光色素についての高感受性領域、例えば、約４９５ｎｍから約６２０ｎｍ、約５４０ｎｍから約５８０ｎｍ、またはこれらの領域内の表４中の任意の値によって定義される任意の他の領域で発光することができる。
【０１９８】
光学素子、ルミネセンス化合物、またはルミネセンス化合物の組み合わせについての適する吸収および発光領域も表４からの感受性値より導出することができる。例えば、所与の光色素について、吸収領域は、約０．１５より下、約０．２より下、約０．２５より下、または約０．３より下の感受性値を有する波長に相当することがあり、および発光領域は、表４からの約０．４より上、約０．５より上、約０．６より上、約０．７より上、約０．８より上、約０．９より上、または約１より上辺りの感受性値を有する波長に相当することがある。表４から導出される領域としては、中心可視波長領域、平均可視波長領域、ピーク可視波長領域、最大可視波長領域などを挙げることができ、または可視スペクトルにおける光子の少なくとも約５０％、約７０％、約８０％もしくは約９０％が発光もしくは吸収される領域を挙げることができる。一部の実施形態において、吸収は、Ｍ光色素についての少なくとも約０．５、約０．６、約０．７、約０．８、約０．９、約１以下の感受性値に相当することがある。
【表４】
0006010121.tif 000022
0006010121.tif 000023
0006010121.tif 000024
0006010121.tif 000025
0006010121.tif 000026
0006010121.tif 000027
0006010121.tif 000028
【０１９９】
また、一部の実施形態において、光学素子は、約５３０ｎｍから約５４０ｎｍ、約５３４ｎｍから約５３７ｎｍ、約５３５ｎｍから約５３６ｎｍ、約５４５ｎｍから約５６５ｎｍ、約５４９ｎｍから約５６２ｎｍ、約５３５ｎｍ、約５３６ｎｍ、約５４９ｎｍ、約５５７ｎｍまたは約５６２ｎｍで吸収することができ；およびこれらの領域の１つにおいて約９０％未満、約８５％未満または約８０％未満の透過率を有することができる。
【０２００】
一部の実施形態において、光学素子は、約５４０ｎｍから約５５０ｎｍ、約５４５ｎｍから約５５０ｎｍ、もしくは約５４７ｎｍで吸収することができ；および／または約５６０ｎｍから約５８０ｎｍ、約５６５ｎｍから約５７５ｎｍ、もしくは約５６９ｎｍで発光することができる。
【０２０１】
一部の実施形態において、光学素子は、第１の色座標セットを有する第１の色を第２の色座標セットを有する第２の色に変換するために光を吸収および発光するように、例えば、より短波長の光を吸収し、より長波長の光を放出するように構成される。一部の実施形態において、前記第１の色座標セットと第２の色座標セット間の距離は、少なくとも約０．００５、約０．０１、約０．０２、約０．０３、約０．０４、または約０．０５色座標単位であることがある。２つの色座標セット、（ｘ１，ｙ１）と（ｘ２，ｙ２）、間の距離Δは、式：
【数１】
0006010121.tif 000029
によって得ることができる。
【０２０２】
色識別能力障害を有する個体について、前記第１の色座標セットに最も近い混同色線に垂直な方向の前記第１の色座標セットと前記第２の色座標セット間の距離（以後、「法線距離」と呼ぶ）は、少なくとも約０．０２、約０．０３、約０．０４または約０．０５色座標単位であることがある。「色座標単位」は、ＣＩＥ色三角形での距離を指す。ＣＩＥ（１９３２）．「Ｃｏｍｍｉｓｓｉｏｎ  Ｉｎｔｅｒｎａｔｉｏｎａｌｅ  ｄｅ  Ｉ’Ｅｃｌａｉｒａｇｅ  ｐｒｏｃｅｅｄｉｎｇｓ」、１９３１．Ｃａｍｂｒｉｄｇｅ  Ｕｎｉｖｅｒｓｉｔｙ  Ｐｒｅｓｓ、Ｃａｍｂｒｉｄｇｅ。この例示的基準は、１９３１  ＣＩＥ  ＸＹＺ色空間として当該技術分野において公知であり、国際照明委員会（Ｉｎｔｅｒｎａｔｉｏｎａｌ  Ｃｏｍｉｓｓｉｏｎ  ｏｎ  Ｉｌｌｕｍｉｎａｔｉｏｎ）によって設定された。例えば、ＣＩＥ色（０．３３２，３４５）は、ｙ軸からの距離が０．３３２色座標単位であり、ｘ軸からの距離が０．３４５色座標単位である。本開示のために、ＣＩＥ色三角形における２つの色座標（ｘ，ｙ）を「ｘ色座標」および「ｙ色座標」と呼ぶことにする。
【０２０３】
例えば、表５は、色識別能力障害を有する個体に関して用いるための光学素子によって色がどのように変換され得るのかを示す。一部の光学素子は、色Ａを色Ａ’に変換することができ、および／または色Ｂを色Ｂ’に変換することができる。法線距離は、第１の色座標の混同色線に垂直な距離を第２の色座標の混同色線に垂直な距離から引くことによって得ることができる。負（−）の距離値は、その点が混同色線より低いｙ値を有することを示し、および正の距離値は、その点が混同色線より高いｙ値を有することを示す。Ａの色座標に最も近い混同色線に垂直な方向のＡの色座標とＡ’の色座標間の距離は、約０．００９５である。Ｂの座標に最も近い混同色線に垂直な方向のＢの色座標とＢ’の色座標間の距離は、約０．０１３３である。
【表５】
0006010121.tif 000030
【０２０４】
一部の実施形態において、前記ｘ色座標は、約０．２９０から約０．２９５、約０．３２５から約０．３３５、約０．３３０から約０．３３５、約０．３７０から約０．３７５、約０．３７５から約０．３８５、約０．３８０から約０．３８５、約０．４７５から約０．４８５、約０．４７５から約０．４８０、約０．５１から約０．５２、約０．５２０から約０．５２５、約０．５２０から約０．５２３、約０．５６から約０．５７、約０．５７０から約０．５７５、約０．２９３、約０．３３２、約０．３７、約０．３７１、約０．３７９、約０．４７６、約０．４７８、約０．４８２、約０．５１４、約０．５６６、もしくは約０．５７３であり得；および／またはｙの色座標は、約０．３４から約０．３５、約０．３８５から約０．３９５、約０．３９５から約０．４００、約０．４１から約０．４２、約０．４６５から約０．４７０、約０．４６５から約０．４７５、約０．４８から約０．４９、約０．４９５から約０．５０、約０．４６から約０．４７、約０．３４４、約０．３４５、約０．３９、約０．３９８、約０．４６３、約０．４６８、約０．４７、約０．４８６、もしくは約０．４９７であり得る。
【０２０５】
一部の実施形態において、前記第１の色座標セットは、約（０．３７５〜０．３８０，０．４８５〜０．４９０）、約（０．４７５〜０．４８０，０．４１０〜０．４１５）、約（０．３３０〜０．３３５，０．３４０〜０．３４５）、約（０．５７０〜０．５７５，０．３４０〜０．３４５）、約（０．５１０〜０．５１５，０．３４０〜０．３４４）、約（０．４８０〜０．４８５，０．３８８〜０．３９２）、約（０．４７５〜０．４８０，０．４６８〜０．４７３）、約（０．５６５〜０．５７０，０．３９５〜０．４００）、約（０．２９０〜０．２９５，０．４９５〜０．５００）、約（０．３６８〜０．３７３，０．４８５〜０．４９０）、または約（０．３７０〜０．３７５，０．４６０〜０．４６５）であり得る。
【０２０６】
一部の実施形態において、前記第１の色座標セットは、ＡもしくはＢであり、および／または前記第２の色座標セットは、Ａ’もしくはＢ’である。一部の実施形態において、前記第１の色座標セットは、表６中の色１〜９のうちの１つである。
【表６】
0006010121.tif 000031
【０２０７】
混同色線は、色覚異常病態を有する人には色弁別が困難であるＣＩＥ色三角形上の任意の線を含む。第２色盲についての混同色線の一部の例を表７に提供し、第１色盲についての混同色線の一部の例を表８に提供する。これらの混同色線は、式ｙ＝ｍｘ＋ｂ（式中、ｍは傾きであり、およびｂは、ｙ切片である）を有する。一部の実施形態において、前記第１の色座標セットに最も近い混同色線は、表７に示すような第２色盲混同色線１、第２色盲混同色線２、第２色盲混同色線３、第２色盲混同色線４、第２色盲混同色線５、第２色盲混同色線６、第２色盲混同色線７、第２色盲混同色線８または第２色盲混同色線９である。一部の実施形態において、前記第１の色座標セットに最も近い混同色線は、表８に示すような第１色盲混同色線１、第１色盲混同色線２、第１色盲混同色線３、第１色盲混同色線４、第１色盲混同色線５、第１色盲混同色線６、第１色盲混同色線７、第１色盲混同色線８、第１色盲混同色線９または第１色盲混同色線１０である。
【表７】
0006010121.tif 000032
【表８】
0006010121.tif 000033
【０２０８】
混同色線に対して垂直な方向の２つの色座標セット間の距離を決定するために用いることができる多くの方法があるだろうが、１つの方法を図１に示す。第１の色座標セット２１５を含み、または交差し、かつ混同色線２２０に平行である、第１の線２１０を算定する。第２の色座標セット２３５を含み、または交差し、かつ混同色線２２０に平行である、第２の線２３０を算定する。
【０２０９】
第１の線２１０および第２の線２３０は、混同色線と同じ傾きを有する。ｙ切片ｂ１は、第１の色座標セット２１５から決定することができ、およびｙ切片ｂ２は、第２の色座標セット２３５から決定することができる。例えば、第２の色座標セットが（ｘ２，ｙ２）である場合、ｙ切片ｂ２は、
ｂ２＝ｙ２−ｍｘ２
となり、式中のｍは、混同色線（および混同色線に平行な任意の線）の傾きである。
【０２１０】
第１の線２１０と第２の線２３０間の最短距離Ｄは、混同色線に垂直な方向の２つの色座標セット間の距離に等しい。次の式を用いてこの距離を決定することができる：
【数２】
0006010121.tif 000034
（式中、Ｄは、２本の平行線間の距離、または混同色線に垂直な方向の距離であり；ｂ２は、第２の色座標セットを含む線についてのｙ切片であり；ｂ１は、第１の色座標セットを含む線についてのｙ切片であり；およびｍは、混同色線の傾きである）。表２および３は、様々なｂ２−ｂ１値での数本の混同色線についてのＤの値を示す。それらの線をプロットし、線間の距離を測定することによって、距離を推定することもできる。一部の実施形態において、ｂ２−ｂ１は、少なくとも約０．０２、約０．０３、約０．０４、約０．０５または約０．０６であり得る。
【０２１１】
前記光学素子は、光吸収色素も含むことがあり、該光吸収色素も前記実質的に透明なマトリックス材料に分散されていることがある。ある実施形態において、光吸収色素は、第２の可視色波長と実質的に重なる吸収帯を有する。第１の可視光波長の光を発光するルミネセンス化合物と、第２の可視光波長の光を吸収する光吸収色素の組み合わせは、これら二色間の弁別の向上を助長することができる。例えば、赤色波長可視光を吸収する光吸収色素と併用される、可視光の緑色波長で発光するルミネセンス化合物は、使用者の赤色相と緑色相間の弁別能力を向上させることができる。
【０２１２】
光吸収色素は、１色、例えば赤色、を吸収することができ、および光の他のすべての波長に対して透明である。光吸収色素は、蛍光性であることもあり、またはないこともある。ある実施形態において、光吸収色素の目的は、フィルターを通して見たときに該色素の吸収帯と同じ色の物体をより濃く見えるようにすることである。公知の光吸収色素を使用することができる。ある実施形態において、光吸収色素は、フタロシアニン色素、例えばＥｐｏｌｉｇｈｔ  ６６６１および／またはＥｐｏｌｉｇｈｔ  ６０８４などを含み、これらは両方ともＥｐｏｌｉｎ，Ｉｎｃ（米国ニュージャージー州ニューアーク）の製品である。１つより多くの光吸収色素を使用してもよい。しかし、前記光学素子の実質的な透明性が維持されなければならない。
【０２１３】
本明細書に提供する教示によって導かれるような公知の成膜またはレンズ形成技術に従って光学素子を製造することができる。前記ルミネセンス化合物および／または光吸収色素を前記実質的に透明なマトリックス材料と適切な重量比で併せることができる。場合によっては音波処理を用いて、それらの成分をトルエンなどの適切な溶剤に溶解することができる。その後、その溶液をフィルムにまたは任意の実質的に透明な基板上にスピンコーティングすることができる。結果として生じた膜を加熱して溶剤を蒸発させることで補正光学素子を得、それを色覚異常の人の目と彼らが見ている物体の間に有効であるように配置することができる。
【０２１４】
フィルターの、特に低照度設定での、有効性を向上させるために、一部のルミネセンス化合物は、可能な限り狭い吸収帯（単数または複数）を有することができる。一部のルミネセンス化合物は、例えば約１５０ｎｍ未満または約１２０ｎｍ未満の、狭いストークスシフトを有することができる。ストークスシフトは、同じ電子遷移の吸収および発光スペクトルの最大帯域の位置間の（波長または周波数単位の）差である。例えば、化合物が約４８５ｎｍの吸収ピーク波長および約５５０ｎｍの発光ピーク波長を有する場合、その化合物は、約６５ｎｍのストークスシフトを有する。
【０２１５】
ある実施形態において、ルミネセンス化合物は、ＵＶ／青色吸収スペクトル内から吸収し、緑色発光スペクトル内で発光して、知覚される発光緑色光を強化する。ある実施形態において、ルミネセンス化合物は、緑色吸収スペクトル内から吸収し、赤色発光スペクトル内で発光して、知覚される発光赤色光を強化する。ある実施形態において、ルミネセンス化合物は、ＵＶまたは青色吸収スペクトル内から吸収し、赤色発光スペクトル内で発光して、知覚される発光赤色光を強化する。一部の実施形態において、前記ルミネセンス化合物は、光吸収色素であり得る。一部の実施形態において、前記光吸収色素は、約２００から約４５０ｎｍの領域の、ＵＶまたは青色光波長に近い色を吸収して、色の対比を増加させることおよび色識別力を向上させることができ、同時に、かかる短い、高エネルギー波長への長期曝露に付随する疲労および視覚的ストレスを最小にすることができる。ある実施形態において、これは、望ましくないＵＶ線から使用者を保護する相加効果を有することができる。一部の望ましくないＵＶ波長は、約２９０から約３２０ｎｍにわたるミッドレンジＵＶＢ、および約３２０から約４００ｎｍにわたるロングレンジＵＶＡと分類される。一部の実施形態において、レンズと共に使用するためのＵＶ吸収材料は、米国特許第８，１０６，１０８号および同第５，６２１，０５２号明細書に記載されているおよび参照により本明細書に援用されている、ベンゾフェノンおよびベンゾトリアゾールならびにそれらの誘導体であり得る。一部の実施形態において、光学素子にＵＶ吸収材料を浸潤させるまたは積層することができる。
【０２１６】
一部の実施形態において、前記ルミネセンス化合物は、約１２０ｎｍ未満、約１１０ｎｍ未満、約１００ｎｍ未満、約９０ｎｍ未満、約８０ｎｍ未満、約５０ｎｍ未満、約３０ｎｍ未満、約２０ｎｍ未満、約１０ｎｍ未満、約５０ｎｍから約１２０ｎｍ、約５０ｎｍから約１１０ｎｍ、約５０ｎｍから約１００ｎｍ、約５０ｎｍから約９０ｎｍ、約６０ｎｍから約８０ｎｍ、または約７０ｎｍであるストークスシフトを有する。
【０２１７】
ある実施形態において、前記ルミネセンス化合物は、狭い吸収帯を有する。半値全幅（ＦＷＨＭ）は、ナノメートルでの吸収または発光帯の幅であって、その帯域の最大吸収または強度値の半分である吸収または発光強度での幅である。ある実施形態において、前記ルミネセンス化合物は、前記実質的に透明なマトリックスに分散されたとき、約１００ｎｍ以下、約９０ｎｍ以下、約８５ｎｍ以下、約７５ｎｍ以下であるＦＷＨＭ値を有する吸収帯を有する。前記ルミネセンス化合物の吸収ピークは、様々であり得る。ある実施形態において、前記ルミネセンス化合物の吸収帯ピークは、約４４５ｎｍから約５２５ｎｍ、約４４５ｎｍから約５０５ｎｍ、約４７５ｎｍから約４９０ｎｍの領域内、または約４８３ｎｍである。
【０２１８】
一部の実施形態において、ルミネセンス化合物は、第１の可視色波長での最大発光波長と共に、高い量子収量を有することができる。例えば、前記第１の可視色波長が緑色である場合、緑色波長での最大発光を有するルミネセンス化合物を使用することができる。一部の実施形態において、前記ルミネセンス化合物は、約４５０ｎｍから約６００ｎｍ、約５００ｎｍから約５８０ｎｍ、または約５２０ｎｍから約５６０ｎｍの領域の波長のピーク発光を有する。可視光により励起されると、前記ルミネセンス化合物は、第１の色の波長内の発光強度を強化する。一部の実施形態において、前記ルミネセンス化合物は、約７５％より高い、約８０％より高い、約８５％より高い、または約９０％より高い量子収量を有する。
【０２１９】
一部の実施形態において、前記光学素子は、発光素子をさらに含む。前記発光素子は、前記ルミネセンス化合物の励起源を与えるために前記ルミネセンス化合物と光通信していてもよい。ある実施形態において、前記発光素子は、前記ルミネセンス化合物の吸収帯領域内の最大発光ピークを有する発光薄膜を含む。前記吸収帯領域としては、約１０ｎｍから約２０ｎｍの吸収ピーク波長、およびまたは発光ピークスペクトルのショルダーに沿って約１０ｎｍから約２０ｎｍが挙げられるが、これらに限定されない。ある実施形態において、前記発光素子は、無機または有機発光ダイオード（ＬＥＤ）を含む。発光ダイオードの例としては、例えば日亜化学工業株式会社（Ｎｉｃｈｉａ）（日本国）によって製造されている、無機青色発光ＬＥＤ、米国特許出願公開第２０１０／０３２６５２６号および同第２０１１／０１４００９３号明細書に記載されている有機発光ダイオード、ならびに米国特許出願第１３／１６６，２４６号明細書に記載されている有機発光ダイオードが挙げられ、前記特許文献各々の内容は、それら全体が参照により本明細書に援用されている。一般に、任意の薄膜可撓性発光素子、例えば、可撓性導波型可撓性ポリマー薄膜を伴うエッジタイプＬＥＤを使用することができる。一部の実施形態において、前記光学素子は、前記ルミネセンス成分および前記発光素子と光通信している光導波路をさらに含む。
【０２２０】
本明細書に記載する光学素子は、その形態の点で制限されない。好ましくは、前記光学素子は、使用者の目と知覚される任意の物体または画像の間に公知の手法で配置することができるように設計することができる。ある実施形態において、前記光学素子は、フィルムを含む。前記フィルムは、様々な厚みを有することができる。ある実施形態では、前記フィルムを１つのアイウェアに取り付ける。例えば、前記光学素子は、レンズを含むことができる。前記ルミネセンス化合物をレンズ材料内に分散させることができ、またはレンズ材料に取り付けられるフィルム内に分散させることができる。ある実施形態において、前記レンズは、コンタクトレンズまたはメガネレンズを含む。実質的に透明なマトリックスは、任意の適する材料から成り得る。
【０２２１】
一部の光学素子は、ポリマーの透明マトリックスと、ルミネセンス化合物としてのローダミンまたはローダミン誘導体、例えばローダミン６Ｇとを含有することがあり、この場合、前記ポリマーは、ポリビニルアルコールまたはその誘導体を含み、該誘導体は、Ｃ１−６エステルまたはＣ１−６アセタールペンダント基を含む。一部の実施形態において、ポリビニルアルコール誘導体は、繰り返し単位ａ、繰り返し単位ｂ、繰り返し単位ｃまたはこれらの組み合わせを含むことがある。
【化１０】
0006010121.tif 000035
【０２２２】
繰り返し単位に関して、Ｒｏは、ＨまたはＣ１−５アルキル、例えば、ＣＨ３、Ｃ２Ｈ５、Ｃ３Ｈ７、Ｃ４Ｈ９、Ｃ５Ｈ１１、Ｃ３−シクロアルキル、Ｃ４−シクロアルキル、Ｃ５−シクロアルキルなどであってよい。一部の実施形態において、Ｒｏは、ｎ−プロピルである。
【０２２３】
繰り返し単位に関して、ＲＰは、ＨまたはＣ１−５アルキル、例えば、ＣＨ３、Ｃ２Ｈ５、Ｃ３Ｈ７、Ｃ４Ｈ９、Ｃ５Ｈ１１、Ｃ３−シクロアルキル、Ｃ４−シクロアルキル、Ｃ５−シクロアルキルなどであってよい。一部の実施形態において、ＲＰは、メチルである。
【０２２４】
一部の実施形態において、繰り返し単位ａは、そのポリマーの重量の約７０％から約９０％または約８０％であり得る。
【０２２５】
一部の実施形態において、繰り返し単位ｂは、そのポリマーの重量の約５％から約３０％または約１７％から約２０％であり得る。
【０２２６】
一部の実施形態において、繰り返し単位ｃは、そのポリマーの重量の約０．０１％から約３％または約５％であり得る。
【０２２７】
一部の組成物は、ポリ（ビニルブチラール−ｃｏ−ビニルアルコール−ｃｏ−ビニルアセテート）（ＰＶＢＡＡ）、ＣＡＳ  ＮＯ．２７３６０−０７−２を含むことがあり、このポリマーは、繰り返し単位ａ、繰り返し単位ｂおよび繰り返し単位ｃを含む。一部の実施形態において、前記ＰＶＢＡＡは、約５０，０００ｇ／ｍｏｌから約１，０００，０００ｇ／ｍｏｌ、約１００，０００ｇ／ｍｏｌから約５０，０００ｇ／ｍｏｌ、または約１７０，０００ｇ／ｍｏｌから約２５０，０００ｇ／ｍｏｌの平均分子量を有する。以前の市販ＰＶＢＡＡは、Ｓｉｇｍａ−Ａｌｄｒｉｃｈ（ウィスコンシン州ミルウォーキー、＃４１８４２０）から入手可能であり、これは、１７０，０００〜２５０，０００ｇ／ｍｏｌの平均分子量を有し、および０〜２．５重量％アセテート、１７．５〜２０重量％ヒドロキシルおよび８０重量％ビニルブチラールを含む。
【０２２８】
一部の組成物は、約１％（ｗ／ｗ）から約２０％、約２％（ｗ／ｗ）から約１０％（ｗ／ｗ）、約４（ｗ／ｗ）から約６％（ｗ／ｗ）、または約５％（ｗ／ｗ）ローダミン６Ｇ、および約８０％（ｗ／ｗ）から約９９％（ｗ／ｗ）、約９０％（ｗ／ｗ）から約９９％（ｗ／）、約９０％（ｗ／ｗ）から約９５％（ｗ／ｗ）、約９４％（ｗ／ｗ）から約９６％（ｗ／ｗ）、または約９５（ｗ／ｗ）ＰＶＢＡＡであり得る。一部の組成物は、約５％（ｗ／ｗ）ローダミン６Ｇおよび約９５％（ｗ／ｗ）ＰＶＢＡＡであり得る。
【０２２９】
一部の実施形態において、前記光学素子がフィルム、例えば薄膜、を含むとき、その薄膜を他の従来の光学装置上にラミネートすることができ、該光学装置としては、メガネ、コンタクトレンズ、ゴーグル、鏡、ＬＥＤスクリーン（携帯電話スクリーン、ＩＰＯＤ、ＰＤＡなど）、コンピュータスクリーンおよび／またはフロントガラスが挙げられるが、これらに限定されない。ある実施形態において、前記実質的に透明なマトリックス材料は、ポリカーボネートを含む。
【０２３０】
ある実施形態において、前記光学素子は、実質的に透明なマトリックス材料を含み、該マトリックス材料は、フィルムまたはレンズの製造に有用な任意の材料であってよい。「実質的に透明な」材料は、それを通して使用者が見ることができる任意の材料である。例えば、「実質的に透明な」材料は、光を透過することが可能であるので、その材料の反対側の物体または画像を見ることができる。「実質的に透明な」材料は、場合によってはある程度の色むらを有することがあり、完全に透明である必要はない。全可視波長領域にわたって、例えば約３８０ｎｍから約７８０ｎｍにわたって、マルチチャンネル光検出器で全透過率を先ず測定することにより、透明度を算定することができる。約３８０ｎｍから約７８０ｎｍまで１ｎｍ波長刻みで記録した各透過百分率値の算術平均から透明率を報告することができる。そのような場合、４００のデータ点が平均を算定するために用いられることになる。ある実施形態において、前記光学素子は、少なくとも約７０％、約８０％、または約９０％である透明度を有する。
【０２３１】
前記実質的に透明なマトリックス材料は、ガラスまたは様々な組み合わせでの様々なタイプのポリマーをルミネセンス化合物との組み合わせで含む組成物を含有することができる。前記材料は、有害でなく、頑丈であることが望ましいだろう。ある実施形態において、前記実質的に透明なマトリックス材料は、ガラス；チオウレタン；ＰＣ；アリルジグリコールカーボネート（例えば、ＣＲ−３９）；ポリアクリル酸、ポリアルクアクリル酸（メタクリル酸を含む）、ポリアクリル酸またはポリアクリル酸のエステル、例えばメチル、エチル、プロピル、イソプロピル、ｎ−ブチル、ｓｅｃ−ブチル、イソブチル、ｔ−ブチル、ペンチル異性体、ヘキシル異性体、シクロブチル、シクロペンチルまたはシクロヘキシルエステルなど、２−ヒドロキシエチルメタクリレートなどの、およびポリアクリレートヒドロゲルを含む、ポリアクリレート；ポリビニルピロリジノン；１つ以上のヘキサフルオロアセトン−テトラフルオロエチレン−エチレンターポリマー（ＨＦＡ／ＴＦＥ／Ｅターポリマー）、ＰＭＭＡ、ＰＶＢ、エチレンビニルアセテート、エチレンテトラフルオロエチレン、ポリイミド、ポリスチレン、ポリウレタン、オルガノシロキサン、ポリ（ビニルブチラール−ｃｏ−ビニルアルコール−ｃｏ−ビニルアセテート、およびこれらの組み合わせを含む（しかしこれらに限定されない）材料を含む。
【０２３２】
一部の光学素子は、基板層でコーティングされた実質的に透明な要素を含むことがある。前記基板層を、実質的に透明な層と該透明層に分散されたルミネセンス化合物とを含む層でコーティングすることができる。基板層は、任意の適するポリマー材料、例えば、ポリ（エチレンテレフタレート）（ＰＥＴ）、三酢酸セルロースＴＡＣ、チオウレタン；ポリカーボネート（ＰＣ）；アリルジグリコールカーボネート（例えば、ＣＲ−３９）；ポリアクリル酸、ポリアルクアクリル酸（メタクリル酸を含む）、ポリアクリル酸またはポリアクリル酸のエステル、例えばメチル、エチル、プロピル、イソプロピル、ｎ−ブチル、ｓｅｃ−ブチル、イソブチル、ｔ−ブチル、ペンチル異性体、ヘキシル異性体、シクロブチル、シクロペンチルまたはシクロヘキシルエステルなど、２−ヒドロキシエチルメタクリレートなどの、およびポリアクリレートヒドロゲルを含む、ポリアクリレート；ポリビニルピロリジノン；１つ以上のヘキサフルオロアセトン−テトラフルオロエチレン−エチレンターポリマー（ＨＦＡ／ＴＦＥ／Ｅターポリマー）、ポリメチルメタクリレート（ＰＭＭＡ）、ポリビニルブチラール（ＰＶＢ）、エチレンビニルアセテート、エチレンテトラフルオロエチレン、ポリイミド、ポリスチレン、ポリウレタン、オルガノシロキサン、ポリ（ビニルブチラール−ｃｏ−ビニルアルコール−ｃｏ−ビニルアセテート、およびこれらの組み合わせを含むことができる。
【０２３３】
アイウェア、例えばメガネまたはサングラス、の形態のデバイスのための、レンズまたは光学素子は、任意の光学的に適するプラスチックから成ってもよく、またはガラスもしくは他のガラス質材料から主として成ってもよい。適する光学プラスチックには、ポリ（ジエチレングリコールビス（アリルカーボネート））を含む、熱可塑性合成樹脂；ジエチレングリコールポリオールを含むポリウレタン；イソシアネートおよびポリチオールからのチオウレタン樹脂；アクリレート、例えば、メタクリル酸のＣ１−６アルキルエステル（例えば、メチルメタクリレート、エチルメタクリレート、プロピルメタクリレート、ブチルメタクリレートなど）のポリマー、アクリル酸のＣ１−６アルキルエステル（メチルアクリレート、エチルアクリレート、プロピルアクリレート、ブチルアクリレートなどを含む）のポリマー、および関連アクリル酸樹脂；ポリスチレンホモポリマーはもちろん、スチレンとアクリロニトリルのコポリマー、ポリブタジエン改質ポリスチレンなども含む、ポリスチレン；ポリカーボネート；ビニル樹脂、例えば、ポリエチレン、ポリビニルクロリド、ポリビニルアセテート、ポリビニルアルコール、ポリビニルブチラールなど；アイオノマーおよびモノクロロトリフルオロエチレン樹脂；酢酸セルロース、硝酸セルロース、エチルセルロース、酢酸酪酸セルロースなどを含む、セルロース誘導体；エポキシ；ポリエステル樹脂；などが含まれる。
【０２３４】
接眼レンズ、例えばソフト・コンタクト・レンズ、ハード・コンタクト・レンズまたは眼内レンズ（本明細書では総称して「接眼レンズ」と呼ぶ）、の形態でのデバイスのためのレンズまたは光学素子のマトリックス材料としては、眼科用ポリマー（ｏｃｕｌａｒ  ｐｏｌｙｍｅｒ）を挙げることができる。
【０２３５】
より軟質の接眼レンズ、例えばソフト・コンタクト・レンズ、のために、軟質モノマーを眼科用ポリマーに組み込むことができる。より硬質のレンズ、例えばハード・コンタクト・レンズ、のために、硬質モノマーを眼科用ポリマーに組み込むことができる。多くの接眼レンズは、軟質モノマーと硬質モノマーの組み合わせを含むことがあり、または軟質モノマーと硬質モノマーの組み合わせを含有する混合物の反応生成物であることがある。一部の実施形態において、接眼レンズは、軟質および／または硬質モノマーを含有する混合物の反応の生成物である眼科用ポリマーを含有することがあり、場合によってはさらに架橋剤、他の重合性モノマー、開始剤および／または他の材料を含有することがある。
【０２３６】
軟質モノマーとしては、ヒドロゲル形成性モノマー、すなわちヒドロゲルポリマーを形成するモノマーを挙げることができる。ヒドロゲルポリマーとしては、平衡状態で水を吸収して保持することができるポリマー系が挙げられる。ヒドロゲルポリマーは、ヒドロゲル形成性モノマーを含むことがあり、該ヒドロゲル形成性モノマーとしては、親水性アクリレート、例えばヒドロキシアルキルアクリレート、ヒドロキシアルキルメタクリレート、アクリル酸、メタクリル酸など；場合により置換されているＮ−ビニルピロリドン、例えば非置換１−ビニル−２−ピロリジノンを含む、ビニルラクタム；アクリルアミド、例えば、メタクリルアミドおよびＮ，Ｎ−ジメチルアクリルアミド；などが挙げられる。一部のヒドロゲルポリマーは、任意選択の架橋剤および：２−ヒドロキシエチルメタクリレート（ＨＥＭＡ）、ＨＥＭＡとメタクリル酸；ＨＥＭＡと１−ビニル−２−ピロリジノン；ＨＥＭＡと１−ビニル−２−ピロリジノンとメタクリル酸；ＨＥＭＡと１−ビニル−２−ピロリジノンとメチルメタクリレート；ＨＥＭＡとＮ−（１，１−ジメチル−３−オキソブチル）アクリルアミド；または１−ビニル−２−ピロリジノンとメチルメタクリレートとアリルメタクリレートを含む重合反応の反応生成物であり得る。
【０２３７】
硬質モノマーとしては、エステルのＣＯ２基以外の親水性官能基がないアクリレートモノマー、例えば、アルキルアクリレートモノマーまたはアルキルメタクリレートモノマーが挙げられる。他の硬質モノマーとしては、セルロース誘導体、例えば酢酸酪酸セルロース、およびスチレンを挙げることができる。
【０２３８】
硬質アルキルアクリレートモノマーとしては、アクリル酸のアルキルエステル、例えば、メチルアクリレート、エチルアクリレート、プロピルアクリレート、ブチルアクリレート、ペンチルアクリレート、ヘキシルアクリレート、ヘプチルアクリレート、イソブチルアクリレート、ｎ−ペンチルアクリレート、ｔｅｒｔ−ペンチルアクリレート、ヘキシルアクリレート、２−メチルブチルアクリレート、ヘプチルアクリレート、オクチルアクリレート、２−エチルヘキシルアクリレート、ノニルアクリレート、デシルアクリレート、ドデシルアクリレート、ステアリルアクリレート、シクロペンチルアクリレート、シクロヘキシルアクリレートなどを挙げることができる。アルキルメタクリレートモノマーとしては、メタクリル酸のアルキルエステル、例えば、メチルメタクリレート、エチルメタクリレート、プロピルメタクリレート、ブチルメタクリレート、ペンチルメタクリレート、ヘキシルメタクリレート、ヘプチルメタクリレート、イソブチルメタクリレート、ｎ−ペンチルメタクリレート、ｔｅｒｔ−ペンチルメタクリレート、ヘキシルメタクリレート、２−メチルブチルメタクリレート、ヘプチルメタクリレート、オクチルメタクリレート、２−エチルヘキシルメタクリレート、ノニルメタクリレート、デシルメタクリレート、ドデシルメタクリレート、ステアリルメタクリレート、シクロペンチルメタクリレート、シクロヘキシルメタクリレート、イソプロピルメタクリレート、ｓ−ブチルメタクリレート、ｔ−ブチルメタクリレート、３，３，５−トリメチルシクロヘキシルメタクリレート、ｔ−ブチルアクリレートなどを挙げることができる。一部のアルキルアクリレートまたはアルキルメタクリレートにおいて、該アルキルエステルのアルキル基は、１、２、３または４個の炭素原子を含有することができる。一部の接眼レンズポリマーは、メチルアクリレート、エチルアクリレート、プロピルアクリレート、ブチルアクリレート、メチルメタクリレート、エチルメタクリレート、プロピルメタクリレート、またはブチルメタクリレートを含む重合反応の生成物である。
【０２３９】
一部の接眼レンズのための、アルキルアクリレートおよび／またはアルキルメタクリレートから誘導される繰り返し単位は、眼科用ポリマーの重量の、少なくとも約１０％、約２０％、約３０％であり、かつ約９０％以下、約９５％以下、約９９％以下であり得、またはほぼ１００％に近いこともある。
【０２４０】
他の硬質アクリレートモノマーとしては、フェニルメタクリレート、テトラヒドロフルフリルアクリレート、テトラヒドロフルフリルメタクリレート、アリルメタクリレートなどを挙げることができる。
【０２４１】
架橋剤の例としては、エチレングリコールジアクリレート、ブタンジオールジアクリレート、ヘキサンジオールジアクリレート、ヘキサンジオールジメタクリレート、ジエチレングリコールジアクリレート、トリエチレングリコールジアクリレート、プロピレングリコールジアクリレート、ジプロピレングリコールジアクリレート、ジビニルベンゼン、アリルアクリレート、ビニルアクリレート、トリメチロールプロパントリアクリレート、アクリロイルオキシエチルアクリレート、ジアリルフマレート、ジアリルフタレート、ジアリルアジペート、ジビニルアジペート、α−メチレン−Ｎ−ビニルピロリドン、４−ビニルベンジルアクリレート、３−ビニルベンジルアクリレート、２，２−ビス（アクリロイルオキシフェニル）ヘキサフルオロプロパン、２，２−ビス（アクリロイルオキシフェニル）プロパン、１，２−ビス（２−（アクリロイルオキシヘキサフルオロイソプロピル）ベンゼン、１，３−ビス（２−（アクリロイルオキシヘキサフルオロイソプロピル）ベンゼン、１，４−ビス（２−（アクリロイルオキシヘキサフルオロイソプロピル）ベンゼン、１，２−ビス（２−（アクリロイルオキシイロプロピル）ベンゼン、１，３−ビス（２−（アクリロイルオキシイロプロピル）ベンゼン、１，４−ビス（２−（アクリロイルオキシイロプロピル）ベンゼン、エチレングリコールジメタクリレート、ブタンジオールジメタクリレート、ジエチレングリコールジメタクリレート、トリエチレングリコールジメタクリレート、プロピレングリコールジメタクリレート、ジプロピレングリコールジメタクリレート、ジビニルベンゼン、アリルメタクリレート、ビニルメタクリレート、トリメチルプロパントリメタクリレート、メタクリロイルオキシエチルメタクリレート、４−ビニルベンジルメタクリレート、３−ビニルベンジルメタクリレート、２，２−ビス（メタクリロイルオキシフェニル）ヘキサフルオロプロパン、２，２−ビス（メタクリロイルオキシフェニル）プロパン、１，２−ビス（２−（メタクリロイルオキシヘキサフルオロイソプロピル）ベンゼン、１，３−ビス（２−（メタクリロイルオキシヘキサフルオロイソプロピル）ベンゼン、１，４−ビス（２−（メタクリロイルオキシヘキサフルオロイソプロピル）ベンゼン、１，２−ビス（２−（メタクリロイルオキシイソプロピル）ベンゼン、１，３−ビス（２−（メタクリロイルオキシイソプロピル）ベンゼン、１，４−ビス（２−（メタクリロイルオキシイソプロピル）ベンゼン、Ｎ，Ｎ’−ビス−アクリロイルシスタミン、Ｎ，Ｎ’−ビス−メタクリロイルシスタミン、メチレンビス−アクリルアミド、またはメチレンビス−メタクリロイルシスタミンを挙げることができる。一部のアクリルポリマーは、エチレングリコールジアクリレート、ブタンジオールジアクリレート、４−ビニルベンジルメタクリレート、エチレングリコールジメタクリレート、ブタンジオールジメタクリレートおよび／または４−ビニルベンジルメタクリレートを架橋剤として含む混合物の重合反応の生成物である。一部のアクリルポリマーのための架橋剤は、重合反応混合物の重量の約０．００１重量％から１５重量％または約０．１％から１０％である。一部の実施���態において、架橋剤の過剰使用は、接眼レンズを脆くさせることがある。
【０２４２】
１つ以上の追加の重合性モノマーを場合により重合反応混合物に添加することができる。一部の実施形態において、アクリレートモノマーではない重合性モノマーは、重合反応混合物の約９０重量％未満、約８０重量％未満、約５０重量％未満、約３０重量％未満、約２０重量％未満、約１０重量％未満または約５重量％未満であり得る。
【０２４３】
ヒドロゲル形成性モノマー混合物の具体的な例は、架橋性モノマーとして少量のジエチレングリコールジメタクリレートを伴う主として２−ヒドロキシエチルメタクリレートから成る、ポリマコン（ｐｏｌｙｍａｃｏｎ）である。
【０２４４】
追加の重合性モノマーの例としては、ケイ素含有メタクリレートモノマー、ケイ素含有スチレンの誘導体、フッ素含有スチレンの誘導体、フッ素含有アクリレートモノマー、ケイ素含有マクロモノマーなどを挙げることができる。これらのタイプの重合性モノマーは、眼科用ポリマーにおける酸素透過性および／または耐汚染性を向上させることができる。スチレンを添加して、接眼レンズなどの眼科用レンズの機械的強度および硬度を向上させることができる。
【０２４５】
ケイ素含有アクリレートモノマーとしては、ペンタメチルジシロキサニルメチルアクリレート、ペンタメチルジシロキサニルプロピルアクリレート、メチルビス（トリメチルシロキシ）シリルプロピルアクリレート、トリス（トリメチルシロキシ）シリルプロピルアクリレート、モノ［メチル−ビス（トリメチルシロキシ）シロキシ］ビス（トリメチルシロキシ）シリルプロピルアクリレート、トリス［メチル−ビス（トリメチルシロキシ）シロキシ］シリルプロピルアクリレート、メチル−ビス（トリメチルシロキシ）シリルプロピルグリセロールアクリレート、トリス（トリメチルシロキシ）シリルプロピルグリセロールアクリレート、モノ［メチル−ビス（トリメチルシロキシ）シロキシ］ビス（トリメチルシロキシ）シリルプロピルグリセロールアクリレート、トリメチルシリルエチルテトラメチルジシロキサニルプロピルグリセロールアクリレート、トリメチルシリルメチルアクリレート、トリメチルシリルプロピルアクリレート、トリメチルシリルプロピルグリセロールアクリレート、ペンタメチルジシロキサニルプロピルグリセロールアクリレート、メチルビス（トリメチルシロキシ）シリルエチルテトラメチルジシロキサニルメチルアクリレート、テトラメチルトリイソプロピルシクロテトラシロキサニルプロピルアクリレート、テトラメチルトリイソプロピルシクロテトラシロキシビス（トリメチルシロキシ）シリルプロピルアクリレート  ペンタメチルジシロキサニルメチルメタクリレート、ペンタメチルジシロキサニルプロピルメタクリレート、メチルビス（トリメチルシロキシ）シリルプロピルメタクリレート、トリス（トリメチルシロキシ）シリルプロピルメタクリレート、モノ［メチル−ビス（トリメチルシロキシ）シロキシ］ビス（トリメチルシロキシ）シリルプロピルメタクリレート、トリス［メチル−ビス（トリメチルシロキシ）シロキシ］シリルプロピルメタクリレート、メチル−ビス（トリメチルシロキシ）シリルプロピルグリセロールメタクリレート、トリス（トリメチルシロキシ）シリルプロピルグリセロールメタクリレート、モノ［メチル−ビス（トリメチルシロキシ）シロキシ］ビス（トリメチルシロキシ）シリルプロピルグリセロールメタクリレート、トリメチルシリルエチルテトラメチルジシロキサニルプロピルグリセロールメタクリレート、トリメチルシリルメチルメタクリレート、トリメチルシリルプロピルメタクリレート、トリメチルシリルプロピルグリセロールメタクリレート、ペンタメチルジシロキサニルプロピルグリセロールメタクリレート、メチルビス（トリメチルシロキシ）シリルエチルテトラメチルジシロキサニルメチルメタクリレート、テトラメチルトリイソプロピルシクロテトラシロキサニルプロピルメタクリレート、テトラメチルトリイソプロピルシクロテトラシロキシビス（トリメチルシロキシ）シリルプロピルメタクリレートなどを挙げることができる。
【０２４６】
スチレンのケイ素含有誘導体の例としては、トリメチルシリルスチレン、トリス（トリメチルシロキシ）シリルスチレンなどを挙げることができる。
【０２４７】
ケイ素含有マクロモノマーとしては、ケイ素（Ｓｉ）を含有するマクロモノマー、例えば、ウレタン結合によってビニル含有モノマーに結合されている、ポリシロキサンマクロマーの両末端に重合性基を有する、ポリシロキサンマクロマーが挙げられる。
【０２４８】
一部の重合反応混合物は、該重合混合物中に反応してシリコーンヒドロゲルコポリマーを形成することができるシリコーン含有モノマーを含むことがある。シリコーン含有モノマーの例としては、単一の活性化二重結合を含むモノマー、例えば、メタクリルオキシプロピルトリス（トリメチルシロキシ）シラン、ペンタメチルジシロキサニルメチルメタクリレート、トリス（トリメチルシロキシ）メタクリルオキシプロピルシラン、メチルジ（トリメチルシロキシ）メタクリルオキシメチルシラン、３−［トリス（トリメチルシロキシ）シリル］プロピルビニルカルバメート、および３−［トリス（トリメチルシロキシ）シリル］プロピルビニルカーボネート；ならびに多官能性のエチレン「エンドキャップト」シロキサン含有モノマー、特に、２つの活性化二重結合を有する二官能性モノマーが挙げられる。
【０２４９】
スチレンのフッ素含有誘導体の例としては、ｏ−フルオロスチレン、ｍ−フルオロスチレン、ｐ−フルオロスチレン、トリフルオロスチレン、ペルフルオロスチレン、ｐ−トリフルオロメチルスチレン、ｏ−トリフルオロメチルスチレンおよびｍ−トリフルオロメチルスチレンなどを挙げることができる。
【０２５０】
フッ素含有アクリレートモノマーの例としては、２，２，２−トリフルオロエチルアクリレート、２，２，３，３−テトラフルオロプロピルアクリレート、２，２，３，３，３−ペンタフルオロプロピルアクリレート、２，２，２−トリフルオロ−１−トリフルオロメチルエチルアクリレート、２，２，３，３−テトラフルオロ−ｔｅｒｔ−ペンチルアクリレート、２，２，３，４，４，４−ヘキサフルオロブチルアクリレート、２，２，３，３，４，４−ヘキサフルオロブチルアクリレート、２，２，３，４，４，４−ヘキサフルオロ−ｔｅｒｔ−ヘキシルアクリレート、２，２，３，３，４，４，４−ヘプタフルオロブチルアクリレート、２，２，３，３，４，４，５，５−オクタフルオロペンチルアクリレート、３，３，４，４，５，５，６，６−オクタフルオロヘキシルアクリレート、２，３，４，５，５，５−ヘキサフルオロ−２，４−ビス（トリフルオロメチル）ペンチルアクリレート、２，２，３，３，４，４，５，５，５−ノナフルオロペンチルアクリレート、２，２，３，３，４，４，５，５，６，６，７，７−ドデカフルオロヘプチルアクリレート、３，３，４，４，５，５，６，６，７，７，８，８−ドデカフルオロオクチルアクリレート、３，３，４，４，５，５，６，６，７，７，８，８，８−トリデカフルオロオクチルアクリレート、２，２，３，３，４，４，５，５，６，６，７，７，７−トリデカフルオロヘプチルアクリレート、３，３，４，４，５，５，６，６，７，７，８，８，９，９，１０，１０−ヘキサデカフルオロデシルアクリレート、３，３，４，４，５，５，６，６，７，７，８，８，９，９，１０，１０，１０−ヘプタデカフルオロデシルアクリレート、３，３，４，４，５，５，６，６，７，７，８，８，９，９，１０，１０，１１，１１−オクタデカフルオロウンデシルアクリレート、３，３，４，４，５，５，６，６，７，７，８，８，９，９，１０，１０，１１，１１，１１−ノナデカフルオロウンデシルアクリレート、３，３，４，４，５，５，６，６，７，７，８，８，９，９，１０，１０，１１，１１，１２，１２−エイコサフルオロドデシルアクリレート、２−ヒドロキシ−４，４，５，５，６，７，７，７−オクタフルオロ−６−トリフルオロメチルヘプチルアクリレート、２−ヒドロキシ−４，４，５，５，６，６，７，７，８，９，９，９−ドデカフルオロ−８−トリフルオロメチルノニルアクリレート、および２−ヒドロキシ−４，４，５，５，６，６，７，７，８，８，９，９，１０，１１，１１，１１−ヘキサデカフルオロ−１０−トリフルオロ−メチルウンデシルアクリレート、２，２，２−トリフルオロエチルメタクリレート、２，２，３，３−テトラフルオロプロピルメタクリレート、２，２，３，３，３−ペンタフルオロプロピルメタクリレート、２，２，２−トリフルオロ−１−トリフルオロメチルエチルメタクリレート、２，２，３，３−テトラフルオロ−ｔｅｒｔ−ペンチルメタクリレート、２，２，３，４，４，４−ヘキサフルオロブチルメタクリレート、２，２，３，３，４，４−ヘキサフルオロブチルメタクリレート、２，２，３，４，４，４−ヘキサフルオロ−ｔｅｒｔ−ヘキシルメタクリレート、２，２，３，３，４，４，４−ヘプタフルオロブチルメタクリレート、２，２，３，３，４，４，５，５−オクタフルオロペンチルメタクリレート、３，３，４，４，５，５，６，６−オクタフルオロヘキシルメタクリレート、２，３，４，５，５，５−ヘキサフルオロ−２，４−ビス（トリフルオロメチル）ペンチルメタクリレート、２，２，３，３，４，４，５，５，５−ノナフルオロペンチルメタクリレート、２，２，３，３，４，４，５，５，６，６，７，７−ドデカフルオロヘプチルメタクリレート、３，３，４，４，５，５，６，６，７，７，８，８−ドデカフルオロオクチルメタクリレート、３，３，４，４，５，５，６，６，７，７，８，８，８−トリデカフルオロオクチルメタクリレート、２，２，３，３，４，４，５，５，６，６，７，７，７−トリデカフルオロヘプチルメタクリレート、３，３，４，４，５，５，６，６，７，７，８，８，９，９，１０，１０−ヘキサデカフルオロデシルメタクリレート、３，３，４，４，５，５，６，６，７，７，８，８，９，９，１０，１０，１０−ヘプタデカフルオロデシルメタクリレート、３，３，４，４，５，５，６，６，７，７，８，８，９，９，１０，１０，１１，１１−オクタデカフルオロウンデシルメタクリレート、３，３，４，４，５，５，６，６，７，７，８，８，９，９，１０，１０，１１，１１，１１−ノナデカフルオロウンデシルメタクリレート、３，３，４，４，５，５，６，６，７，７，８，８，９，９，１０，１０，１１，１１，１２，１２−エイコサフルオロドデシルメタクリレート、２−ヒドロキシ−４，４，５，５，６，７，７，７−オクタフルオロ−６−トリフルオロメチルヘプチルメタクリレート、２−ヒドロキシ−４，４，５，５，６，６，７，７，８，９，９，９−ドデカフルオロ−８−トリフルオロメチルノニルメタクリレート、および２−ヒドロキシ−４，４，５，５，６，６，７，７，８，８，９，９，１０，１１，１１，１１−ヘキサデカフルオロ−１０−トリフルオロ−メチルウンデシルメタクリレートなどが挙げられる。
【０２５１】
スチレンの例としては、非置換スチレン、ｏ−メチルスチレン、ｍ−メチルスチレン、ｐ−メチルスチレン、ｐ−エチルスチレン、ｏ−ヒドロキシスチレン、ｍ−ヒドロキシスチレン、ｐ−ヒドロキシスチレン、トリメチルスチレン、ｔｅｒｔ−ブチルスチレン、ペルブロモスチレン、ジメチルアミノスチレン、α−メチルスチレンなどが挙げられる。
【０２５２】
反応混合物の重合を熱重合によって果たすことができる。例えば、重合開始剤が重合反応混合物中に存在するときには重合反応混合物を高温、例えば約５０℃から約３００℃、約１００℃から約２００℃、または約１００℃から約１５０℃に加熱することができる。熱重合は、他の重合方法と比較して重合後の変色または退色を低減させることができる。あるいは、重合反応系を、例えば、電磁放射線、例えばマイクロ波、紫外線、放射線（γ線）などに曝露することにより、光重合することができる。
【０２５３】
用いる重合方法に基づいて重合開始剤を選択することができる。例えば、熱重合を用いる場合、ラジカル重合開始剤を使用することができる。重合を電磁放射線への曝露によって達成する場合、光重合開始剤または光増感剤を使用することができる。重合を塩基性もしくは酸性触媒によって、または求電子試薬もしくは求核試薬によって開始させることもできる。
【０２５４】
任意の適するラジカル重合開始剤を使用することができる。ラジカル重合開始剤の例としては、アゾビスイソブチロニトリル、アゾビス−２，４−ジメチルバレロニトリル、過酸化ベンゾイル、過酸化ジベンゾイル、ベンゾインメチルエーテル、ｔｅｒｔ−ブチルヒドロペルオキシド、クメンヒドロペルオキシドなどを挙げることができる。
【０２５５】
任意の適する光重合開始剤を重合反応混合物の光重合反応の際に使用することができる。光重合開始剤の例としては、ベンゾイン系光重合開始剤、例えば、メチルオルトベンゾイルベンゾエート、メチルベンゾイルフマレート、ベンゾインメチルエーテル、ベンゾインエチルエーテル、ベンゾインイソプロピルエーテル、ベンゾインイソブチルエーテル、ベンゾイン−ｎ−ブチルエーテルなど；フェノン光重合開始剤、例えば、２−ヒドロキシ−２−メチル−１−フェニルプロパン−１−オン、ｐ−イソプロピル−α−ヒドロキシイソブチルフェノン、ｐ−ｔｅｒｔ−ブチルトリクロロアセトフェノン、２，２−ジメトキシ−２−フェニルアセトフェノン、α，α−ジクロロ−４−フェノキシアセトフェノン、Ｎ，Ｎ−テトラエチル−４，４−ジアミノベンゾフェノンなど；１−ヒドロキシシクロヘキシルフェニルケトン；１−フェニル−１，２−プロパンジオン−２−（ｏ−エトキシカルボニル）オキシム；チオキサントン光重合開始剤、例えば、２−クロロチオキサントン、２−メチルチオキサントンなど；ジベンゾスベロン；２−エチルアントラキノン；ベンゾフェノンアクリレート；ベンゾフェノン；ベンジル；などが挙げられる。
【０２５６】
任意の適する量、例えば、ポリマー反応混合物の１００重量部あたり少なくとも約０．００５重量部または少なくとも約０．０１重量部の重合開始剤を使用することができる。一部の実施形態において、重合開始剤の量は、重合反応混合物の１００重量部あたり約２重量部未満または１重量部未満であり得る。
【０２５７】
多数の方法のいずれを用いて接眼レンズを形成してもよい。例えば、切削加工法を用いることができる。切削加工法では、機械加工法、例えば切削加工、研削加工などによってポリマーを所望の形状にすることができる。成形法を用いて接眼レンズを形成することもできる。成形法では、重合反応混合物を金型キャビティに入れ、その金型キャビティ内でのその重合反応混合物の反応により所望の形を得ることができる。他の形成法を用いてもよい。加えて、成形法と切削加工法を併用してもよい。
【０２５８】
レンズをキャストする際に眼科用ポリマーにルミネセンス化合物を添合することができ、または完成したレンズを、例えば、ルミネセンス化合物を含有する溶液に浸漬することによってもしくはルミネセンス化合物を含有する溶液でコーティングすることによって、ルミネセンス化合物で処理することができる。
【０２５９】
場合により、ヒドロゲルコポリマーに重合されることになるモノマーの混合物は、シリコーンヒドロゲルコポリマーを形成するためにシリコーン含有モノマーを含むことがある。シリコーン含有モノマーの例としては、単一の活性化二重結合を含むモノマー、例えば、メタクリルオキシプロピルトリス（トリメチルシロキシ）シラン、ペンタメチルジシロキサニルメチルメタクリレート、トリス（トリメチルシロキシ）メタクリルオキシプロピルシラン、メチルジ（トリメチルシロキシ）メタクリルオキシメチルシラン、３−［トリス（トリメチルシロキシ）シリル］プロピルビニルカルバメート、および３−［トリス（トリメチルシロキシ）シリル］プロピルビニルカーボネート；ならびに多官能性のエチレン「エンドキャップト」シロキサン含有モノマー、特に、２つの活性化二重結合を有する二官能性モノマーが挙げられる。
【０２６０】
一部の実施形態において、デバイスの光学素子は、コーティング、例えば耐スクラッチ性コーティングを含むことがあり、この場合、実質的に透明なマトリックスは、耐スクラッチ性材料を含み、ルミネセンス材料をその耐スクラッチ性材料に分散させることができる。耐スクラッチ性材料の例、例えば、酢酸酪酸セルロース、硝酸セルロース、三酢酸セルロース、硬質アクリレート（例えば、上に記載した硬質アクリレート）、ポリアルキレン、例えばポリエチレンまたはポリプロピレン、ポリ（アクリロニトリル）、ポリ（ビニルアセテート）、ポリ（ビニルクロリド）、場合により置換されているポリスチレン、ポリブタジエン、ナイロン、ビニルクロリド−ビニルアセテートコポリマー、ポリカーボネート、スチレン−ブタジエンコポリマー樹脂、ポリウレタン、例えば光架橋熱可塑性ポリウレタン、ポリウレアウレタン、ポリシロキサン、ポリシラン、フルオロポリマー、例えばフルオロエチレン、ジフルオロエチレン、トリフルオロエチレン、テトラフルオロエチレンのポリマーまたはコポリマー（例えば、ポリ（テトラフルオロエチレン））、エポキシ官能性アルコキシシラン、オキシ窒化ケイ素ＰＥＣＶＤフィルム、金属酸化物など。
【０２６１】
任意の適するポリカーボネート、例えば、ホモポリカーボネート、コポリカーボネート、分岐ポリカーボネート、またはこれらの混合物を使用することができる。一部のポリカーボネートは、ホスゲンなどの炭酸誘導体とジヒドロキシ化合物との反応によって調製することができる。有用なジヒドロキシ化合物としては、式Ｓによって表すことができるビスフェノール化合物が挙げられる：
【化１１】
0006010121.tif 000036
【０２６２】
ＲＡ１は、Ｈであってもよく、あるいはＣ１−１２アルキルであってもよく、該Ｃ１−１２アルキルとしては、式ＣａＨａ＋１もしくはＣａＨａを有する直鎖もしくは分岐アルキルまたは式ＣａＨａ―１もしくはＣａＨａ−２を有するシクロアルキル（式中のａは、１、２、３、４、５、６、７、８、９、１０、１１もしくは１２である）、例えば、式ＣＨ３、Ｃ２Ｈ５、Ｃ３Ｈ７、Ｃ４Ｈ９、Ｃ５Ｈ１１、Ｃ６Ｈ１３、Ｃ７Ｈ１５、Ｃ８Ｈ１７、Ｃ９Ｈ１９、Ｃ１０Ｈ２１などの直鎖もしくは分岐アルキル、または式Ｃ３Ｈ５、Ｃ４Ｈ７、Ｃ５Ｈ９、Ｃ６Ｈ１１、Ｃ７Ｈ１３、Ｃ８Ｈ１５、Ｃ９Ｈ１７、Ｃ１０Ｈ１９などのシクロアルキルが挙げられる。
【０２６３】
ＲＡ２は、Ｈであってもよく、あるいはＣ１−１２アルキルであってもよく、該Ｃ１−１２アルキルとしては、式ＣａＨａ＋１もしくはＣａＨａを有する直鎖もしくは分岐アルキルまたは式ＣａＨａ―１もしくはＣａＨａ−２を有するシクロアルキル（式中のａは、１、２、３、４、５、６、７、８、９、１０、１１もしくは１２である）、例えば、式ＣＨ３、Ｃ２Ｈ５、Ｃ３Ｈ７、Ｃ４Ｈ９、Ｃ５Ｈ１１、Ｃ６Ｈ１３、Ｃ７Ｈ１５、Ｃ８Ｈ１７、Ｃ９Ｈ１９、Ｃ１０Ｈ２１などの直鎖もしくは分岐アルキル、または式Ｃ３Ｈ５、Ｃ４Ｈ７、Ｃ５Ｈ９、Ｃ６Ｈ１１、Ｃ７Ｈ１３、Ｃ８Ｈ１５、Ｃ９Ｈ１７、Ｃ１０Ｈ１９などのシクロアルキルが挙げられる。
【０２６４】
一部の実施形態において、ＲＡ１およびＲＡ２は、水素、メチル、プロピルもしくはフェニルであり、または
【化１２】
0006010121.tif 000037
は、
【化１３】
0006010121.tif 000038
である。一部の実施形態において、ＲＡ１およびＲＡ２は、メチルである。ポリカーボネートは、任意の適する分子量を有してよい。一部の実施形態において、ポリカーボネートは、約１０，０００ｇ／ｍｏｌから約２００，０００ｇ／ｍｏｌ、または約２０，０００ｇ／ｍｏｌから約８０，０００ｇ／ｍｏｌの分子量を有することがある。
【０２６５】
一般に、ポリウレタンは、ポリイソシアネートとポリオールの反応によって形成され得るポリマーを含む。ポリウレアウレタンは、ポリイソシアネートとポリオールとポリアミンの反応によって形成され得るポリマーを含む。
【０２６６】
ポリイソシアネートは、２つ以上のイソシアネート官能基を有する有機イソシアネートを含む。一部のポリイソシアネートは、１分子あたり平均で約２から約３のイソシアネート官能基を有することができる。ポリイソシアネートは、脂肪族ポリイソシアネート；イソシアナト基の１つ以上が脂環式環に直接結合されている脂環式ポリイソシアネート；イソシアナト基の１つ以上が脂環式環に直接結合されていない脂環式ポリイソシアネート；イソシアナト基の１つ以上が芳香族環に直接結合されている芳香族ポリイソシアネート；およびイソシアナト基の１つ以上が芳香族環に直接結合されていない芳香族ポリイソシアネート；またはこれらの混合物であり得る。適するポリイソシアネートの非限定的な例としては、テトラメチレン−１，４−ジイソシアネート；ヘキサメチレン−１，６−ジイソシアネート；２，２，４−トリメチルヘキサン−１，６−ジイソシアネート；シクロブタン−１，３−ジイソシアネート；シクロヘキサン−１，３−ジイソシアネート；シクロヘキサン−１，４−ジイソシアネート；メチルシクロヘキシルジイソシアネート、例えば２，４−および２，６−メチルシクロヘキシルジイソシアネート、イソホロンジイソシアネート；４，４’−メチレンビス（シクロヘキシルイソシアネート）の異性体および異性体の混合物、例えばｔｒａｎｓ−ｔｒａｎｓ、ｃｉｓ−ｃｉｓおよびｃｉｓ−ｔｒａｎｓ異性体；ヘキサヒドロトルエン−２，４−ジイソシアネート；ヘキサヒドロトルエン−２，６−ジイソシアネート；ヘキサヒドロフェニレン−１，３−ジイソシアネート；ヘキサヒドロフェニレン−１，４−ジイソシアネート；ヘキサヒドロフェニレン−１，４−ジイソシアネート；フェニルシクロヘキシルメタンジイソシアネート；などが挙げられる。
【０２６７】
ポリアミンは、２つ以上の第１級（例えば、−ＮＨ２）および／または第２級アミノ官能基、例えば、２つの第１級アミノ官能基、２つの第２級アミノ官能基、または１つの第１級アミノ官能基と１つの第２級アミノ官能基を含む任意の化合物であってよい。適するポリアミンの例としては、脂肪族ポリアミン、例えば、２から１０個の炭素原子を有する脂肪族ジアミン、例えば１，２−エタンジアミン、１，３−プロパンジアミン、１，４−ブタンジアミン、１，５−ペンタンジアミン、１，６−ヘキサンジアミン、１，８−オクタンジアミンおよび１，１０−デカンジアミンなど；脂環式ポリアミン；芳香族ポリアミン、例えば、１，２−ベンゼンジアミン、１，３−ベンゼンジアミン、１，４−ベンゼンジアミン、１，５−ナフタレンジアミン、１，８−ナフタレンジアミン、２，４−トルエンジアミン、２，５−トルエンジアミン、３，３’−ジメチル−４，４’−ビフェニルジアミン、４，４’−メチレンビス（アニリン）、４，４’−メチレンビス（２−クロロアニリン）；アルキル基各々が１から３個の炭素原子を含有するジアルキルトルエンジアミン、例えば、３，５−ジメチル−２，４−トルエンジアミン、３，５−ジメチル−２，６−トルエンジアミン、３，５−ジエチル−２，４−トルエンジアミン、３，５−ジエチル−２，６−トルエンジアミン、３，５−ジイソプロピル−２，４−トルエンジアミン、３，５−ジイソプロピル−２，６−トルエンジアミンなど；アルキル基各々が１から３個の炭素原子を含有する４，４’−メチレン−ビス（ジアルキルアニリン）、例えば、４，４’−メチレンビス（２，６−ジメチルアニリン）、４，４’−メチレンビス（２，６−ジエチルアニリン）、４，４’−メチレンビス（２−エチル−６−メチルアニリン）、４，４’−メチレンビス（２，６−ジイソプロピルアニリン）、４，４’−メチレンビス（２−イソプロピル−６−メチルアニリン）および４，４’−メチレンビス（２，６−ジエチル−３−クロロアニリン）などが挙げられる。ジアルキルトルエンジアミンは、異性体混合物、例えば、３，５−ジエチル−２，４−トルエンジアミンと３，５−ジエチル−２，６−トルエンジアミンの異性体混合物として販売されていることがある。ポリアミンは、２つより多くのアミノ基を含有することもある、例えば、ジエチレントリアミン、トリエチレンテトラアミンおよびテトラエチレンペンタアミン。
【０２６８】
ポリウレタンまたはポリウレアウレタンは、ポリウレタンまたはポリウレアウレタンを形成するために使用されるポリオールのタイプに関連して、ポリエーテル系ポリウレタンもしくはポリウレアウレタン、ポリカーボネート系ポリウレタンもしくはポリウレアウレタン、またはポリエステル系ポリウレタンもしくはポリウレアウレタンであることがある。
【０２６９】
ポリエーテルポリオールの例としては、ポリオキシアルキレンポリオール、およびポリアルコキシル化ポリオールが挙げられるが、これらに限定されない。ポリオキシアルキレンポリオールは、エチレングリコール、プロピレングリコール、グリセロール、ソルビトールおよびこれらに類するものなどの多価開始剤または多価開始剤の混合物を使用して、アルキレンオキシドまたはアルキレンオキシドの混合物を反応させることにより調製することができるポリオールを含む。アルキレンオキシドの例としては、エチレンオキシド、プロピレンオキシド、ブチレンオキシド、アミレンオキシド、アラルキレンオキシド、例えばスチレンオキシド、エチレンオキシドとプロピレンオキシドの混合物などが挙げられる。アルキレンオキシドの混合物を用いて調製されるポリオキシアルキレンポリオールは、ランダムオキシアルキル化または段階的オキシアルキル化を用いて調製することができる。かかるポリオキシアルキレンポリオールの例としては、ポリオキシエチレン、例えばポリエチレングリコール、ポリオキシプロピレン、例えばポリプロピレングリコールが挙げられる。ポリアルコキシル化ポリオールは、ジオール、例えばＣ１−８アルキレンジオール、ジヒドロキシベンゼンなどをアルキレンオキシド、例えばエチレンオキシド、プロピレンオキシド、ブチレンオキシドなどと反応させることによって調製することができるポリオールを含む。
【０２７０】
ポリエーテルポリオールは、任意の適する分子量を有してよい。例えば、一部のポリエーテルポリオールは、約５００ｇ／ｍｏｌから約３０００ｇ／ｍｏｌ、約６５０ｇ／ｍｏｌから約２０００ｇ／ｍｏｌ、約６５０ｇ／ｍｏｌから約１４００ｇ／ｍｏｌ、約８５０ｇ／ｍｏｌから約１０００ｇ／ｍｏｌ、または約１２００ｇ／ｍｏｌの重量平均分子量を有することがある。
【０２７１】
ポリカーボネートポリオールは、有機グリコール、例えばジオール、例えばグリコールと、ジアルキルカーボネートの反応によって調製することができるポリオールを含む。一部のポリカーボネートポリオールは、式Ｈ−（Ｏ−Ｃ（Ｏ）−Ｏ−（ＣＨ２）ｍ）ｎ−ＯＨ（式中、ｍは、２、３、４、５、６、７、８、９または１０であり、およびｎは、４から２４、４から１０、または５から７である）によって表すことができる。一部の実施形態において、ジアルキルカーボネートは、式中のｍが６であるポリヘキサメチレンカーボネートである。ポリカーボネートポリオールは、任意の適する分子量、例えば、約５００ｇ／ｍｏｌから３５００ｇ／ｍｏｌまたは約６５０ｇ／ｍｏｌから約１０００ｇ／ｍｏｌの数平均分子量を有することができる。
【０２７２】
グリコールは、低分子量ポリオール、例えば、５００ｇ／ｍｏｌ未満の分子量を有するポリオール、例えば、低分子量ジオールおよびトリオールを含む。一部のグリコールは、２から１６個、２から６個、または１０個の炭素原子を含有する。グリコールの非限定的な例としては、エチレングリコール、プロピレングリコール、ジエチレングリコール、トリエチレングリコール、テトラエチレングリコール、ジプロピレングリコール、トリプロピレングリコール、１，２−、１，３−および１，４−ブタンジオール、２，２，４−トリメチル−１，３−ペンタンジオール、２−メチル−１，３−ペンタンジオール、１，３−、２，４−および１，５−ペンタンジオール、２，５−および１，６−ヘキサンジオール、２，４−ヘプタンジオール、２−エチル−１，３−ヘキサンジオール、２，２−ジメチル−１，３−プロパンジオール、１，８−オクタンジオール、１，９−ノナンジオール、１，１０−デカンジオール、１，４−シクロヘキサンジオール、１，４−シクロヘキサンジメタノール、１，２−ビス（ヒドロキシエチル）−シクロヘキサン、グリセリン、テトラメチロールメタン、例えばペンタエリトリトール、トリメチロールエタンおよびトリメチロールプロパンが挙げられる。これらのグリコールの他の異性体も使用することができる。ポリエーテルポリオールおよび／またはポリカーボネートポリオール成分に関して使用されるグリコールの量は、３から２０重量パーセントまで様々であり得る。
【０２７３】
ポリエステルポリオールとしては、飽和ジカルボン酸またはその無水物（または酸と無水物の組み合わせ）と多価アルコールとのエステル化によって調製することができるポリオール；少量の二官能性活性水素化合物、例えば水または低分子量グリコール、例えば１，４−ブタンジオール、の存在下でラクトン、例えばイプシロンカプロラクトンまたはデルタ−バレロラクトン、を重合させることによって調製することができるポリラクトン、例えばポリカプロラクトンおよびポリバレロラクトンが挙げられる。
【０２７４】
飽和ジカルボン酸としては、４から１０個の炭素原子または６から９個の炭素原子を含有するもの、例えば、コハク酸、グルタル酸、アジピン酸、ピメリン酸、スベリン酸、アゼライン酸、セバシン酸などが挙げられる。
【０２７５】
多価アルコールは、少なくとも２つのヒドロキシ基を含有する脂肪族アルコール、例えば、２から１０個または４から８個の炭素原子を含有する直鎖グリコールを含む。非限定的な例としては、上に記載したグリコールが挙げられる。一部の実施形態において、多価アルコールは、１，４−ブタンジオールである。
【０２７６】
ポリエステルポリオールは、任意の適する分子量、例えば、約１０００ｇ／ｍｏｌから約３０００ｇ／ｍｏｌまたは約１０００ｇ／ｍｏｌから約２０００ｇ／ｍｏｌの数平均分子量を有することができる。ポリエステルポリオールの非限定的な例としては、ポリ（ブタンジオール−１，４−アジペート）、ポリ（ブタンジオール−１，４−スクシネート）、ポリ（ブタンジオール−１，４−グルタレート）、ポリ（ブタンジオール−１，４−ピメレート）、ポリ（ブタンジオール−１，４−スベレート）、ポリ（ブタンジオール−１，４−アゼレート）、ポリ（ブタンジオール−１，４−セバケート）およびポリ（イプシロンカプロラクトン）が挙げられる。
【０２７７】
耐スクラッチ性コーティングは、組成物の全重量に基づき０から２０重量パーセントまたは約１から約９０重量パーセントの金属酸化物、例えば二酸化ケイ素、酸化アルミニウム、酸化アンチモン、酸化スズ、酸化チタン、酸化ジルコニウムなど、またはこれらの混合物を含むことがある。
【０２７８】
耐スクラッチ性コーティングは、任意の適する厚み、例えば、約１ミルから約２０ミル（約０．０２５ｍｍから約０．５ｍｍ）または約５ミルから約１０ミル（約０．１２５ｍｍから約０．２５ｍｍ）の厚みを有することができる。耐スクラッチ性コーティングを別の材料に直接適用することができ、または接着層、例えば、２５マイクロメートル未満、約０．１マイクロメートルから約１０マイクロメートル、約０．１マイクロメートルから約５マイクロメートル、もしくは約１マイクロメートルの厚みを有する実質的に透明な層を使用して適用することができる。
【０２７９】
コーティングのスクラッチに対する耐性を回転スチールウール試験によって測定することができ、この試験は、被定義圧力、通常は１２または２４ｐｓｉでの００００グレード・スチールウールのパッドの５回の回転にコーティングを付すことを含む。耐スクラッチ摩耗性は、摩耗からのヘーズの増加を測定することによって評価される。透明プラスチック材料の摩耗に対する耐性を光学的に測定するためにＡＳＴＭ  Ｄ−１０４４などの試験法が開発されている。耐摩耗性についての他の標準試験法は、ＡＳＴＭ  Ｄ−１００４−５６に記載されているテーバー摩耗試験である。
【０２８０】
多くの用途において、靭性および耐衝撃性は、耐スクラッチ性コーティングにとって重要であり得る。コーティングの靭性および衝撃摩耗性は、一般に、「砂落とし」試験（ＡＳＴＭ  Ｄ９６８−５１）によって測定される。良好な耐スクラッチ摩耗性を有するコーティングが必ずしも良好な耐衝撃摩耗性を有するとは限らないこともある。砂落とし試験では、砂を所定の高さからコーティング上に注ぎ、その間のコーティングの厚みを観察する。結果は、１ミルの１０分の１のコーティング厚をすりへらすために必要とされる砂のリットル数によって表される。
【０２８１】
光学素子を組み込んで、電子表示装置と光学素子とタッチスクリーン要素と含む電子デバイスにすることができる。かかるデバイス１０の一例を図２に図示する。このタイプのデバイスでは、タッチスクリーン要素３０を電子表示装置２０の上に配置することができる。光学素子１５も含める。光学素子１５を図２に示すようにタッチスクリーン要素３０上に配置することができ、または光学素子１５を図３に示すように電子表示装置２０とタッチスクリーン要素３０の間に、もしくは電子表示装置２０からの光の光学素子１５の通過を可能にする他の位置に配置することができる。タッチスクリーン要素３０は、第１の導電層４０、第２の導電層５０、および第１の導電層４０と第２の導電層５０の間のスペーサ６０を含む。図２Ａに示すように、使用者とデバイス１０間の接触がないとき、第１の導電層４０と第２の導電層５０間に電気的接触はない。図２Ｂに示すように、使用者による接触８０に起因して第１の導電層４０は第２の導電層５０に接触することができ、それによって第１の導電層４０と第２の導電層５０間の電気的接触が生じ得る。この接触が、電流を第１の導電層４０と第２の導電層５０間に流れさせる。このように、タッチスクリーン要素は、使用者のタッチに敏感に反応するオン／オフスイッチとしての役割を果たす。表示装置２０から放射される光７０は、タッチスクリーン要素３０を通過し、そして光学素子１５を通過する。光学素子３０は、表示装置２０からの光７０の色を変更することができる。
【０２８２】
図４に図示するように、タッチスクリーン要素、例えばタッチスクリーン要素３０は、第１の支持層、例えば第１の支持層９０をさらに含むことがある。第１の支持層９０を、第１の導電層４０がスペーサ６０と第１の支持層９０の間に配置されるように位置づけることができる。加えて、タッチスクリーン要素は、第２の支持層、例えば第２の支持層１００をさらに含むことがある。第２の支持層１００を、第２の導電層５０がスペーサ６０と第２の支持層１００の間に配置されるように位置づけることができる。図５に図示するように、タッチスクリーン要素は、第１の誘電体層、例えば第１の誘電体層１１０も含むことがあり、この第１の誘電体層１１０を第１の導電層４０と第１の支持層９０の間に配置することができる。タッチスクリーン要素３０は、第２の誘電体層、例えば第２の誘電体層１２０も含むことがあり、この第２の誘電体層１２０を第２の導電層５０と第２の支持層１００の間に配置することができる。
【０２８３】
タッチスクリーン要素、例えばタッチスクリーン要素３０は、そのタッチスクリーン要素を通して表示装置、例えば表示装置２０が見られるほどに透明でなければならない。
【０２８４】
導電層、例えば、第１の導電層４０または第２の導電層５０は、任意の導電材料から成ってよい。第１の導電層および第２の導電層は、同じ材料から成ってもよいし、または異なる材料から成ってもよい。使用することができる導電材料の例としては、金属、例えば金、銀、白金、パラジウム、銅、アルミニウム、ニッケル、クロム、チタン、鉄、コバルト、スズなど、およびこれらの合金；金属酸化物、例えば酸化インジウム、酸化スズ、酸化チタン、酸化カドミウム、およびこれらの混合物が挙げられるが、それらに限定されない。他の金属化合物、例えばヨウ化銅も使用することができる。一部の実施形態において、導電層は、酸化スズを含有する酸化インジウム、またはアンチモンを含有する酸化スズを含む。導電層は、その膜が十分に導電性かつ十分に透明であることを可能にする任意の厚み、例えば約１０ｎｍから約３００ｎｍ、を有することができる。
【０２８５】
スペーサ、例えばスペーサ６０は、真空であってもよいし、または任意の非導電材料、例えば空気、窒素、アルゴンもしくは別の不活性ガスから成ってもよい。スペーサは、任意の適する厚みのもの、例えば、約１０μｍから約５００μｍ、約１００μｍから約２００μｍ、または約１５０μｍのものであってよい。
【０２８６】
支持層は、導電層の所望の機能を助長する任意の層であってよい。第１の支持層、例えば第１の支持層９０、および第２の支持層、例えば第２の支持層１００は、同じであってもよいし、異なってもよく、および構成が同じ材料から成ってもよいし、または異なる材料から成ってもよい。適する支持材料の例としては、ポリエステル系樹脂、アセテート系樹脂、ポリエーテルスルホン系樹脂、ポリカーボネート系樹脂、ポリアミド系樹脂、ポリイミド系樹脂、ポリオレフィン系樹脂、アクリレート系樹脂、ポリビニルクロリド系樹脂、ポリスチレン系樹脂、ポリビニルアルコール系樹脂、ポリフェニレンスルフィド系樹脂、ポリビニリデンクロリド系樹脂などが挙げられるが、これらに限定されない。一部の実施形態において、支持層は、ポリスチレン系樹脂、ポリカーボネート系樹脂、またはポリオレフィン系樹脂を含む。支持層は、任意の適する厚み、例えば、約７５μｍから約４００μｍ、約１００μｍから約２００μｍ、約２μｍから約３００μｍ、または約１０μｍから約１３０μｍを有することができる。
【０２８７】
誘電体層は、任意の誘電材料から成ってよい。第１の誘電体層、例えば第１の誘電体層１１０、および第２の誘電体層、例えば第２の誘電体層１２０は、同じであってもよいし、異なってもよく、および同じ材料から成ってもよいし、または異なる材料から成ってもよい。非限定的な例としては、ＮａＦ、Ｎａ３ＡｌＦ６、ＬｉＦ、ＭｇＦ２、ＣａＦ２、ＢａＦ２、ＳｉＯ２、ＬａＦ３、ＣｅＦ３、Ａｌ２Ｏ３などが挙げられる。誘電体層は、任意の適する厚み、例えば、約１０ｎｍから約３００ｎｍ、約１０ｎｍから約２００ｎｍ、約１０ｎｍから約１２０ｎｍ、または約１５ｎｍから約６０ｎｍを有することができる。
【０２８８】
本明細書に記載する光学素子は、哺乳動物の視覚不感受性の補正方法に有用である。ある実施形態において、前記方法は、第１の可視色波長と第２の可視色波長間の視覚不感受性を有する個体を同定することを含む。ある実施形態において、前記方法は、視覚不感受性を補正する、本明細書に記載の光学素子を選択することを含む。ある実施形態において、前記方法は、前記個体に前記光学素子を提供することまたは提供するために準備することを含む。ある実施形態において、前記視覚不感受性は、第２色弱を含む。
【０２８９】
１つの実施形態において、第１の可視色波長と第２の可視色波長間の視覚不感受性を有する個体の同定は、遺伝子型判定を含む。例えば、視覚不感性を有する個体の同定は、アミノ酸シークエンシングと併用される医学的被験体試料採取用スワブを少なくとも有する試料採取キットの使用を含む場合がある。標準化された配列表（Ｎｅｉｔｚ、Ｊａｙら、「Ｔｈｅ  ｇｅｎｅｔｉｃｓ  ｏｆ  ｎｏｒｍａｌ  ａｎｄ  ｄｅｆｅｃｔｉｖｅ  ｃｏｌｏｒ  ｖｉｓｉｏｎ」、Ｖｉｓｉｏｎ  Ｒｅｓ．５１（２０１１）：６３３−６５１；  Ｎｅｉｔｚ、Ｍａｕｒｅｅｎら、「Ｍｏｌｅｃｕｌａｒ  Ｇｅｎｅｔｉｃｓ  ｏｆ  Ｃｏｌｏｒ  Ｖｉｓｉｏｎ  ａｎｄ  Ｃｏｌｏｒ  Ｖｉｓｉｏｎ  Ｄｅｆｅｃｔｓ」、Ａｒｃｈ  Ｏｐｈｔｈａｌｍｏｌ  １１８：６９１−７００（２０００））との比較により、被験体のアミノ酸配列と正常または機能不全配列との一致または不一致に関する遺伝子型情報を得ることができる。任意の適するシークエンシング手順および判定が、かかる判定を行うために適切である。例えば、その全体が参照により本明細書に援用されている米国特許第５，８３７，４６１号明細書を参照されたし。これらの方法による錐体−光受容体系視覚障害の診断は、赤色および緑色光色素遺伝子の中で少なくとも１８の二型性ヌクレオチド位置（ｄｉｍｏｒｐｈｉｃ  ｎｕｃｌｅｏｔｉｄｅ  ｐｏｓｉｔｉｏｎｓ）のすべてまたはサブセットの同一性を調査するために、ポリメラーゼ連鎖反応（ＰＣＲ）をはじめとする標準的な分子生物学法の使用を含む場合がある。ヌクレオチド相違パターンにより視覚障害の存在または不在が予測される。異なるヌクレオチド同一性パターンが１つの障害クラスの中の異なる障害および異なる重症度に対応する。
【０２９０】
１つの例示的方法における試験は、赤色および緑色錐体光色素のエクソン２における位置６５、１１１および１１６；エクソン３における位置１５３、１７１、１７４、１７８および１８０；エクソン４における位置２３０、２３３および２３６；ならびにエクソン５における位置２７４、２７５、２７７、２７９、２８５、２９８または３０９に指定される、および視覚障害の診断の際にこれらの位置のアミノ酸の「有毒な」組み合わせを探すための、アミノ酸を決定する。診断を行うために１８すべての二型性位置を調査する必要がないこともある。例えば、エクソン５における二型性位置は密接に関連しているので、典型的には、赤色錐体光色素または緑色錐体光色素のいずれかをコードするような遺伝子の最初の同定を行うためにエクソン５におけるコドン位置のうちの１つを調査するだけでよい。好ましくは、エクソン２、３および４にコードされている二型性位置をすべて検査する。しかし、一部の障害は、すべての位置を再調査する必要がない。
【０２９１】
現在、赤色および緑色光色素遺伝子のＤＮＡ配列の検査を可能にする、利用可能な様々な分子生物学的方法がある。例えば、ポリメラーゼ連鎖反応（ＰＣＲ）を用いて遺伝子断片を増幅することができる。以前に記載されたように（Ｊ．Ｎｅｉｔｚ、Ｍ．ＮｅｉｔｚおよびＧｒｉｓｈｏｋ、Ｖｉｓｉｏｎ  Ｒｅｓｅａｒｃｈ  ３５：２３９５−２４０７、１９９５）、赤色および緑色色素遺伝子を別々にかつ選択的に増幅することができる。
【０２９２】
増幅された遺伝子断片を、ＤＮＡ配列についての情報を与える次の手順の内の１つ以上に付すことができる：１）以前に記載されたような（Ｊ．Ｎｅｉｔｚ、Ｍ．ＮｅｉｔｚおよびＧｒｉｓｈｏｋ、上掲、１９９５）ＰＣＲ産物の直接ＤＮＡ配列；および／または２）制限消化分析（以前にＪ．Ｎｅｉｔｚ、Ｍ．ＮｅｉｔｚおよびＧｒｉｓｈｏｋ、上掲、１９９５に記載）。上に示したアミノ酸置換の一部は、制限部位多型性によって果たされる。例えば、位置１８０のアミノ酸は、セリンまたはアラニンのいずれかである。アラニンがコードされている場合、そのＤＮＡ断片は、セリンがコードされているアミノ酸である場合には不在であるＢｓｏＦＩ制限部位を含有する。したがって、ＰＣＲ増幅されたＤＮＡ断片を適切な制限酵素で消化することができ、それらの消化産物を電気泳動によって分離することになる。それらの断片のサイズを決定することができる。観察される断片のサイズに基づき、ＤＮＡ配列についての情報およびしたがってアミノ酸配列についての情報が演繹されることになる。３）一本鎖高次構造多型性または他の類似の手順。増幅されたＤＮＡ断片の末端を蛍光標識または放射性標識し、変性させて一本鎖にし、それらの鎖を電気泳動により分離する。電場におけるそれらの鎖の移動度に基づき、ＤＮＡ配列についての情報を演繹することができる。
【０２９３】
上記コドン位置に指定されるアミノ酸を決定したら、次に、このアミノ酸データと様々な色覚不全を示唆する、以前に決定されたアミノ酸の組み合わせとを比較することができる。米国特許第５，８３７，４６１号明細書を参照されたし。Ｇｅｎｅｖｏｌｖｅ  Ｖｉｉｏｎ  Ｄｉａｇｎｏｓｔｉｃｓ，Ｉｎｃ．（米国ニューメキシコ州アルバカーキ）によって提供されている商標「ｅｙｅｄｏｘ」遺伝子型判定試験キットおよびシークエンシングサービスは、かかる情報を確保するためのもう１つの適する手法である。
【０２９４】
一部の実施形態において、第１の可視色波長と第２の可視色波長間の視覚不感受性を有する個体の同定は、個体の表現型判定を含む。一部の実施形態において、これらの表現型判定は、カラー写真または検査表を提示し、その被験者に、彼または彼女に見えるその検査表に描かれているものを指摘するように頼むことによって達成することができる。ある実施形態において、哺乳動物における視覚不感受性を補正するための前記方法は、標準化された検査を施すことを含む。ある実施形態において、哺乳動物における視覚不感受性を補正するための前記方法は、検査のスコアを視覚障害と相関させることを含む。これらが、同色検査表およびそれらの使用、例えば、石原１４／２４／３８表版（有限会社カネハラトレーディング（Ｋａｎｅｈａｒａ  ｔｒａｄｉｎｇ）、日本国東京、２００９）、Ｈａｒｄｙ  Ｒａｎｄ  ａｎｄ  Ｒｉｔｔｅｒ  Ｐｓｅｕｄｏｉｓｏｃｒｏｍｉｃ  Ｐｌａｔｅ  ｔｅｓｔ、第４版；Ｄｏｖｏｒｉｎｅ第２版、Ａｍｅｒｉｃａｎ  Ｏｐｔｉｃａｌ  Ｃｏｍｐａｎｙ、１９６５；および／またはＲｉｃｈｍｏｎｄ  ＨＲＲ仮性同色表（１９９１版）を含むことは、当業者には理解されるだろう。もう１つの適する例としては、「Ａ  Ｎｅｗ  Ｍａｓｓ  Ｓｃｒｅｅｎｉｎｇ  Ｔｅｓｔ  ｆｏｒ  Ｃｏｌｏｒ−Ｖｉｓｉｏｎ  Ｄｅｆｉｅｎｃｉｅｓ  ｉｎ  Ｃｈｉｌｄｒｅｎ」、Ｎｅｉｔｙ、Ｍａｕｒｅｅｎら、Ｃｏｌｏｒ  Ｒｅｓｅａｒｃｈ  ａｎｄ  Ａｐｐｌｉｃａｔｉｏｎ、別巻２６号、Ｓ２３９−Ｓ２４９（２０００）に記載されている筆記試験が挙げられる。他の器具使用、例えば、Ｆａｒｎｓｗａｒｔｈ  １００  Ｈｕｅ  Ｔｅｓｔ（Ｒｉｃｈｍｏｎｄ  Ｐｒｏｄｕｃｔｓ，Ｉｎｃ．、米国ニューメキシコ州アルバカーキ）、Ｈｅｉｄｅｌｂｅｒｇ  Ｍｕｌｔｉ−ｃｏｌｏｒ（ＨＭＣ）Ａｎｏｍａｌｏｓｃｏｐｅｓ（Ｏｃｕｌｕｓ，Ｉｎｃ．、米国ワシントン州リンウッド）を、かかる視覚不全の判定を行うために利用することができる。視覚不全の存在および／またはかかる不全の重症度の判定を上記器具使用もしくは方法およびまたはそれらの組み合わせによって達成することができる。
【０２９５】
一部の実施形態では、前記不全を少なくとも２つの光色素間のスペクトル分離の差で判定し、説明する。一部の実施形態において、前記少なくとも２つの光色素は、Ｌ光色素、Ｍ光色素、およびまたはＬもしくはＭ光色素の組み合わせ、ハイブリッドもしくは変異体である。一部の実施形態では、前記スペクトル分離をスペクトル励起の差として説明し、少なくとも２つの光色素は、Ｌ光色素、Ｍ光色素、およびまたはＬもしくはＭ光色素の組み合わせ、ハイブリッドもしくは変異体である。
【０２９６】
ある実施形態において、前記方法は、視覚不感受性を補正する、本明細書に記載の光学素子を提供することを含む。一部の実施形態において、光学素子の提供は、第１の可視色波長と第２の可視色波長間の視覚感受性を増加させるために十分な量の蛍光化合物を該光学素子に組み込むことをさらに含む。
【０２９７】
一部の実施形態において、光学素子の提供は、第１の可視色波長と第２の可視色波長間の視覚感受性を増加させるために十分な量の第２の蛍光材料を該光学素子に組み込むことをさらに含む。
【０２９８】
一般式（Ｉ）によるルミネセンス色素を合成するための１つの一般的合成手順を下に示す：
（スキーム１：一般式（Ｉ）の化合物を製造するための一般合成手順）
【化１４】
0006010121.tif 000039
【０２９９】
スキーム１の第１段階では、本開示によって導かれる当業者に公知の典型的なエステル化法を用いることにより、ペリレンジカルボン酸を対応するジエステルに転化させる。第２段階では、本開示によって導かれる当業者に公知の条件下で臭素化／ヨウ素化試薬を用いることにより、ペリレンジカルボン酸ジ−エステルをジブロモ誘導体またはジヨード誘導体のいずれかに転化させる。これらのタイプの試薬の一部の例としては、Ｎ−ブロモスクシンイミド（ＮＢＳ）およびＮ−ヨードスクシンイミド（ＮＩＳ）が挙げられる。スキーム１の第３段階は、触媒の存在下での前記対応するペリレンジカルボン酸ジ−エステルヨード／ブロモと−ＣＦ３基含有ボロン酸誘導体とのカップリングである。１つより多くの−ＣＦ３基をペリレンコアにカップリングさせる場合には、上で説明した第２段階の間に追加の臭素またはヨウ素原子を付加させる。典型的な例としてはパラジウム錯体誘導体および銅誘導体が挙げられるが、多くの触媒を使用できることは当業者には理解されるであろう。
【０３００】
以下、本明細書に特に意図された実施の形態について一覧である。
（実施形態１）
色弁別能力を向上させるための光学素子であって、マトリックス材料に分散されたルミネセンス化合物を含み、人が該光学素子を通して見ることを可能にするほどに透明である光学素子。
（実施形態２）
第１の可視色波長と第２の可視色波長間の視覚不感受性（ｖｉｓｕａｌ  ｉｎｓｅｎｓｉｔｉｖｉｔｙ）を補正するように構成され；
前記マトリックス材料が実質的に透明であり；および
前記第１の可視色波長と実質的に重なる発光波長を有するルミネセンス化合物が、前記実質的に透明なマトリックス材料中に分散した、実施形態１に記載の光学素子。
（実施形態３）
前記ルミネセンス化合物が、前記第１の可視波長で９０％より高い透過率をもたらす量で存在する、実施形態２に記載の光学素子。
（実施形態４）
前記ルミネセンス化合物が、前記実質的に透明なマトリックス材料中にその組成物の重量に基づき約１重量％から約１５重量％の範囲の量で存在する、実施形態２または３に記載の光学素子。
（実施形態５）
光吸収色素をさらに含有し、該光吸収色素が、前記第２の可視色波長と実質的に重なる吸収帯を有する、実施形態２〜４のいずれかに記載の光学素子。
（実施形態６）
前記ルミネセンス化合物が、ペリレン誘導体色素を含む、前記いずれかの実施形態に記載の光学素子。
（実施形態７）
前記ペリレン誘導体色素が、式：
【化１５】
0006010121.tif 000040
（式中、
Ｒ１およびＲ１’は、独立して、水素、Ｃ１−Ｃ１０アルキル、Ｃ３−Ｃ１０シクロアルキル、Ｃ２−Ｃ１０アルコキシアルキル、Ｃ６−Ｃ１８アリールまたはＣ６−Ｃ２０アリールアルキルであり；ｍは、１、２、３、４または５であり；およびｎは、１、２、３、４または５である）
によって表される、実施形態６に記載の光学素子。
（実施形態８）
前記ペリレン誘導体色素が：
【化１６】
0006010121.tif 000041
である、実施形態７に記載の光学素子。
（実施形態９）
第２のルミネセンス化合物をさらに含有し、該第２のルミネセンス化合物が、前記第１の可視色波長の発光を増加させる、前記第２の可視色波長の発光を増加させる、さらに前記第１の色の波長のピーク発光波長を前記第２の色の波長から分離する、または前記ピーク発光波長を増加させもし、さらに分離もする、前記いずれかの実施形態に記載の光学素子。
（実施形態１０）
前記第２のルミネセンス化合物が、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミンまたは４，４’−ビス［Ｎ−（ナフチル）−Ｎ−フェニル−アミノ］ビフェニルである、実施形態９に記載の光学素子。
（実施形態１１）
ポリマーとローダミンまたはローダミン誘導体とを含有する組成物であって、該ポリマーが、ポリビニルアルコールまたはその誘導体を含み、該誘導体が、Ｃ１−６エステルまたはＣ１−６アセタールペンダント基を含有するものである組成物。
（実施形態１２）
前記ローダミンが、
【化１７】
0006010121.tif 000042
である、実施形態１１に記載の組成物。
（実施形態１３）
前記ポリマーが、繰り返し単位ａ、繰り返し単位ｂ、および繰り返し単位ｃ：
【化１８】
0006010121.tif 000043
（式中、ＲｏおよびＲｐは、独立してＨまたはＣ１−５アルキルである）
の組み合わせである、実施形態１１または１２に記載の組成物。
（実施形態１４）
ＲｏがＣＨ２ＣＨ２ＣＨ３である、実施形態１３に記載の組成物。
（実施形態１５）
ＲｐがＣＨ３である、実施形態１３または１４に記載の組成物。
（実施形態１６）
繰り返し単位ａが前記ポリマーの重量の約８０％であり、繰り返し単位ｂが、前記ポリマーの重量の約１７％から約２０％であり、および繰り返し単位ｃが、前記ポリマーの重量の約０．０１％から約３％である、実施形態１３〜１５のいずれかに記載の組成物。
（実施形態１７）
前記ローダミンまたは前記ローダミン誘導体が、前記組成物の約２％（ｗ／ｗ）から約１０％（ｗ／ｗ）である、実施形態１１〜１６のいずれかに記載の組成物。
（実施形態１８）
約４％（ｗ／ｗ）から約６％（ｗ／ｗ）の量のローダミン６Ｇと、
約１７０，００００ｇ／ｍｏｌから約２５０，０００ｇ／ｍｏｌの範囲の平均分子量を有し、かつ約９０％（ｗ／ｗ）から約９６％（ｗ／ｗ）の量のポリ（ビニルブチラール−ｃｏ−ビニルアルコール−ｃｏ−ビニルアセテート）と
を含有する、実施形態１７に記載の組成物。
（実施形態１９）
実施形態１１〜１８のいずれかに記載の組成物を含有し、該組成物が固体である、光学素子。
（実施形態２０）
前記ルミネセンス化合物が、
【化１９】
0006010121.tif 000044
である、実施形態１〜１０のいずれかに記載の光学素子。
（実施形態２１）
前記ルミネセンス化合物が、吸収波長の光を吸収し、および発光波長の光を発光し、ヒト錐体光色素には前記吸収波長より前記発光波長に対する実質的に高い感受性があり；ならびに前記光学素子が、人が該光学素子を通してそれらの色を含有する画像または物体を見ることによってそれらの色をより良好に弁別できるように構成される、実施形態１〜１０および１９〜２０のいずれかに記載の光学素子。
（実施形態２２）
前記光学素子が、該光学素子を通して物体または画像を見たとき、第１の色座標セットを有する第１の色を、第２の色座標セットを有する第２の色に変換して色の弁別を助けるために、可視光を吸収し、発光するように構成され；および前記第１の色座標セットと前記第２の色座標セット間の距離が、少なくとも約０．０２色座標単位である、実施形態１〜１０および１９〜２１のいずれかに記載の光学素子。
（実施形態２３）
光学素子を調製するための方法であって、
前記光学素子に使用するためのルミネセンス化合物を選択することを含み；
前記光学素子が、第１の色座標セットを有する色を、第２の色座標セットを有する色に可視光の吸収および発光によって変換するように構成され；
前記ルミネセンス化合物が、前記第１の色座標セットと前記第２の色座標セットの間の距離が少なくとも約０．０２色座標単位であるように選択される方法。
（実施形態２４）
前記第１の色座標セットと前記第２の色座標セット間の距離が、少なくとも約０．０４色座標単位である、実施形態２２に記載の光学素子または実施形態２３に記載の方法。
（実施形態２５）
前記第１の色座標セットに最も近い混同色線に垂直な方向の前記第１の色座標セットと前記第２の色座標セット間の距離が、少なくとも約０．０２色座標単位である、実施形態２２に記載の光学素子または実施形態２３に記載の方法。
（実施形態２６）
前記第１の色座標セットに最も近い混同色線に垂直な方向の前記第１の色座標セットと前記第２の色座標セット間の距離が、少なくとも約０．０４色座標単位である、実施形態２５に記載の光学素子または方法。
（実施形態２７）
前記混同色線が、第２色盲（ｄｅｕｔｅｒｏｎｏｐｉａ）混同色線である、実施形態２５または２６に記載の光学素子または方法。
（実施形態２８）
前記混同色線が、第２色盲（ｄｅｕｔｅｒｏｎｏｐｉａ）混同色線７である、実施形態２７に記載の光学素子または方法。
（実施形態２９）
前記混同色線が、第２色盲（ｄｅｕｔｅｒｏｎｏｐｉａ）混同色線７である、実施形態２８に記載の光学素子または方法。
（実施形態３０）
前記混同色線が、第２色盲（ｄｅｕｔｅｒｏｎｏｐｉａ）混同色線７である、実施形態２９に記載の光学素子または方法。
（実施形態３１）
前記第１の色座標セットが、約（０．３７５〜０．３８０，０．４８５〜０．４９０）、約（０．４７５〜０．４８０，０．４１０〜０．４１５）、約（０．３６８〜０．３７３，０．４８５〜０．４９０）、または約（０．３７０〜０．３７５，０．４６０〜０．４６５）である、実施形態２２〜３０のいずれかに記載の光学素子または方法。
（実施形態３２）
前記第１の色座標セットが、約（０．３３０〜０．３３５，０．３４０〜０．３４５）である、実施形態２２〜３０のいずれかに記載の光学素子または方法。
（実施形態３３）
前記第１の色座標セットが、約（０．５７０〜０．５７５，０．３４０〜０．３４５）、約（０．４７５〜０．４８０，０．４６８〜０．４７３）、または約（０．５６５〜０．５７０，０．３９５〜０．４００）である、実施形態２２〜３０のいずれかに記載の光学素子または方法。
（実施形態３４）
前記第１の色座標セットが、約（０．５１０〜０．５１５，０．３４０〜０．３４４）、または約（０．４８０〜０．４８５，０．３８８〜０．３９２）である、実施形態２２〜３０のいずれかに記載の光学素子または方法。
（実施形態３５）
第１の色座標セットが、約（０．２９０〜０．２９５，０．４９５〜０．５００）である、実施形態２２〜３０のいずれかの光学素子または方法。
（実施形態３６）
実施形態２３〜２５のいずれかに記載の方法によって調製される、色弁別能力を向上させるためのデバイス。
（実施形態３７）
Ｍヒト錐体光色素についてのピーク感受性付近の波長領域内の光を吸収し、Ｌヒト錐体光色素についてのピーク感受性付近の波長領域内のより長波長の光を発光する、実施形態１〜１０、１９〜２２および２４〜３５のいずれかに記載の光学素子。
（実施形態３８）
コーティングである、実施形態１〜１０、１９〜２２、２４〜３５および３７のいずれかに記載の光学素子。
（実施形態３９）
前記コーティングが、耐スクラッチ性である、実施形態３８に記載の光学素子。
（実施形態４０）
前記コーティングが、ポリカーボネート、硬質アクリレート、ポリウレタン、またはポリウレアウレタンを含有する、実施形態３８または３９に記載の光学素子。
（実施形態４１）
前記光学素子が、該光学素子を通して使用者が見る物体または画像の色を変更するように構成され、その色の変更が、使用者によるより良好な色弁別を可能にする、実施形態１〜１０、１９〜２２、２４〜３５および３７〜４０のいずれかに記載の光学素子。
（実施形態４２）
デバイスであって、
電子表示装置と、
実施形態１〜１０、１９〜２２、２４〜３５および３７〜４１のいずれかに記載の光学素子と
を含み；
前記表示装置から放射された光の少なくとも一部分が、前記光学素子を通過するように、および前記光学素子が、該光学素子を通過する前記表示装置から放射された光の色を変更するように構成されるデバイス。
（実施形態４３）
前記光学素子および前記電子表示装置に連結されたタッチスクリーン要素をさらに含み、該タッチスクリーン要素が、
第１の導電層、第２の導電層、および該第１の導電層と該第２の導電層の間のスペーサを含み、前記第１の導電層および前記第２の導電層が、実質的に透明である
電子デバイスであって、
前記タッチスクリーンへの使用者による接触が、前記第１の導電層を前記第２の導電層に接触させて、それによって前記第１の導電層と前記第２の導電層の間に電流を流すことを可能にするように構成され；および
前記表示装置から放射される光の少なくとも一部分が、前記タッチスクリーン要素を通過し、かつ前記光学素子を通過するように構成される、
実施形態１に記載の電子デバイス。
（実施形態４４）
前記タッチスクリーン要素が、第１の支持層をさらに含み、前記第１の導電層が、前記スペーサと前記第１の支持層の間に配置される、実施形態４３に記載のデバイス。
（実施形態４５）
前記タッチスクリーン要素が、第２の支持層をさらに含み、前記第２の導電層が、前記スペーサと前記第２の支持層の間に配置される、実施形態４３または４４に記載のデバイス。
（実施形態４６）
前記タッチスクリーン要素が、第１の誘電体層をさらに含み、前記第１の誘電体層が、前記第１の導電層と前記第１の支持層の間に配置される、実施形態４４または４５に記載のデバイス。
（実施形態４７）
前記タッチスクリーン要素が、第２の誘電体層をさらに含み、前記第２の誘電体層が、前記第２の導電層と前記第２の支持層の間に配置される、実施形態４５または４６に記載のデバイス。
（実施形態４８）
接眼レンズである、実施形態１〜１０、１９〜２２、２４〜３５および３７〜４１のいずれかに記載の光学素子を備えるデバイス。
（実施形態４９）
前記接眼レンズが眼内レンズである、実施形態４８に記載のデバイス。
（実施形態５０）
前記接眼レンズがハード・コンタクト・レンズである、実施形態４８に記載のデバイス。
（実施形態５１）
前記接眼レンズがソフト・コンタクト・レンズである、実施形態４８に記載のデバイス。
（実施形態５２）
前記光学素子がヒドロゲルポリマーを含む、実施形態４８〜５１のいずれかに記載のデバイス。
（実施形態５３）
前記ヒドロゲルポリマーが親水性アクリレートモノマーを含む、実施形態５２に記載のデバイス。
（実施形態５４）
前記ヒドロゲルポリマーがさらにアルキルアクリレートモノマーまたはアルキルメタクリレートモノマーを含む、実施形態５３に記載のデバイス。
（実施形態５５）
アイウェア・アイテムである、実施形態１〜１０、１９〜２２、２４〜３５および３７〜４１のいずれかに記載の光学素子を備えるデバイス。
（実施形態５６）
前記アイウェアが、メガネまたはサングラスである、実施形態５５に記載のデバイス。
（実施形態５７）
窓である、実施形態１〜１０、１９〜２２、２４〜３５および３７〜４１のいずれかに記載の光学素子を備えるデバイス。
（実施形態５８）
前記ルミネセンス化合物が、吸収帯領域を有し、および前記光学素子が、発光素子をさらに含み、
前記発光素子が、前記ルミネセンス化合物の励起源を与えるために前記ルミネセンス化合物と光通信している、
実施形態１〜１０、１９〜２２、２４〜３５および３７〜４１のいずれかに記載の光学素子を備えるデバイス。
（実施形態５９）
前記発光素子が、前記ルミネセンス化合物の吸収帯領域内に最大発光ピークを有する発光薄膜を含む、実施形態５８に記載のデバイス。
（実施形態６０）
前記ルミネセンス成分および前記発光素子と光通信している光導波路をさらに含む、実施形態５８または５９に記載のデバイス。
（実施形態６１）
前記光学素子が、７０％以上である透明度を有する、実施形態３６および４２〜６０のいずれかに記載のデバイス。
（実施形態６２）
前記マトリックス材料が、ガラス、チオウレタン、ポリカーボネート（例えば、ＣＲ−３９）、ポリアクリレート、１つ以上のヘキサフルオロアセトン−テトラフルオロエチレン−エチレンターポリマー（ＨＦＡ／ＴＦＥ／Ｅターポリマー）、ポリメチルメタクリレート（ＰＭＭＡ）、ヒドロゲル、オルガノシロキサン、または組み合わせを含む、実施形態３６および４２〜６１のいずれかに記載のデバイス。
（実施形態６３）
前記光学素子が、正常ヒト錐体中波長感受性（Ｍ）光色素によって最大未満に検出される波長の光を吸収し、および前記正常ヒト錐体Ｍ光色素によって実質的により大きい程度に検出される波長の光を発光する、実施形態３６および４２〜６２のいずれかに記載のデバイス。
（実施形態６４）
前記光学素子が、変異体ヒト錐体中波長感受性（ＭＶ）光色素によって最大未満に検出される波長の光を吸収し、および前記ヒト錐体ＭＶ光色素によって実質的により大きい程度に検出される波長の光を発光する、実施形態３６および４２〜６３のいずれかに記載のデバイス。
（実施形態６５）
前記光学素子が、正常ヒト錐体長波長感受性（Ｌ）光色素によって最大未満に検出される波長の光を吸収し、および前記正常ヒト錐体Ｌ光色素によって実質的により大きい程度に検出される波長の光を発光する、実施形態３６および４２〜６４のいずれかに記載のデバイス。
（実施形態６６）
前記光学素子が、変異体ヒト錐体長波長感受性（ＬＶ）光色素によって最大未満に検出される波長の光を吸収し、および前記ヒト錐体ＬＶ光色素によって実質的により大きい程度に検出される波長の光を発光する、実施形態３６および４２〜６５のいずれかに記載のデバイス。
（実施形態６７）
前記光学素子が、約５２０ｎｍから約５４０ｎｍの可視吸収ピーク波長および約５５０ｎｍから約５７０ｎｍの可視発光ピーク波長を有する、実施形態３６および４２〜６６のいずれかに記載のデバイス。
（実施形態６８）
前記光学素子が、約５４０ｎｍから約５５０ｎｍの可視吸収ピーク波長を有する、実施形態３６および４２〜６６のいずれかに記載のデバイス。
（実施形態６９）
前記光学素子が、約４５０ｎｍから約６００ｎｍの可視吸収ピーク波長および約５６０ｎｍから約７２０ｎｍの可視発光ピーク波長を有する、実施形態３６および４２〜６６のいずれかに記載のデバイス。
（実施形態７０）
前記光学素子が、約３８０ｎｍから約４５０ｎｍの可視吸収の中心波長を有する、実施形態３６および４２〜６６のいずれかに記載のデバイス。
（実施形態７１）
前記光学素子が、約４２０ｎｍから約４８０ｎｍの可視吸収の中心波長を有する、実施形態３６および４２〜６６のいずれかに記載のデバイス。
（実施形態７２）
前記光学素子が、約５００ｎｍから約６００ｎｍの可視発光の中心波長を有する、実施形態３６および４２〜６６のいずれかに記載のデバイス。
（実施形態７３）
前記光学素子が、約３８０ｎｍから約４５０ｎｍの可視吸収の平均波長を有する、実施形態３６および４２〜６６のいずれかに記載のデバイス。
（実施形態７４）
前記光学素子が、約４２０ｎｍから約４８０ｎｍの可視吸収の平均波長を有する、実施形態３６および４２〜６６のいずれかに記載のデバイス。
（実施形態７５）
前記光学素子が、約５００ｎｍから約６００ｎｍの可視発光の平均波長を有する、実施形態３６および４２〜６６のいずれかに記載のデバイス。
（実施形態７６）
前記光学素子が、約３８０ｎｍから約４５０ｎｍの可視吸収ピーク波長を有する、実施形態３６および４２〜６６のいずれかに記載のデバイス。
（実施形態７７）
前記光学素子が、約４２０ｎｍから約４８０ｎｍの可視吸収ピーク波長を有する、実施形態３６および４２〜６６のいずれかに記載のデバイス。
（実施形態７８）
前記光学素子が、約５００ｎｍから約６００ｎｍの可視発光ピーク波長を有する、実施形態３６および４２〜６６のいずれかに記載のデバイス。
（実施形態７９）
前記光学素子が、約５１０ｎｍから約５５０ｎｍの可視吸収の中心波長を有する、実施形態３６および４２〜６６のいずれかに記載のデバイス。
（実施形態８０）
前記光学素子が、約５４０ｎｍから約５８０ｎｍの可視発光の中心波長を有する、実施形態７９に記載のデバイス。
（実施形態８１）
前記光学素子が、約５１０ｎｍから約５５０ｎｍの可視吸収の平均波長を有する、実施形態３６および４２〜６６のいずれかに記載のデバイス。
（実施形態８２）
前記光学素子が、約５４０ｎｍから約５８０ｎｍの可視発光の平均波長を有する、実施形態８１に記載のデバイス。
（実施形態８３）
前記光学素子が、約５１０ｎｍから約５５０ｎｍの可視吸収ピーク波長を有する、実施形態３６および４２〜６６のいずれかに記載のデバイス。
（実施形態８４）
前記光学素子が、約５４０ｎｍから約５８０ｎｍの可視発光ピーク波長を有する、実施形態８３に記載のデバイス。
（実施形態８５）
前記光学素子が、約５３０ｎｍから約５５０ｎｍの可視吸収ピーク波長および約５６０ｎｍから約５８０ｎｍの可視発光ピーク波長を有する、実施形態８４のいずれかに記載のデバイス。
（実施形態８６）
前記光学素子が、約５４５ｎｍから約５５０ｎｍの可視吸収ピーク波長を有する、実施形態３６および４２〜６６のいずれかに記載のデバイス。
（実施形態８７）
前記光学素子が、約５６０ｎｍから約５８０ｎｍの可視発光ピーク波長を有する、実施形態３６、４２〜６６、および８６のいずれかに記載のデバイス。
（実施形態８８）
前記光学素子が、約５６５ｎｍから約５７５ｎｍの可視発光ピーク波長を有する、実施形態８７に記載のデバイス。
（実施形態８９）
前記光学素子が、前記マトリックス材料に分散されたとき、約５１ｎｍ〜約１２０ｎｍの範囲のストークスシフトを有する、実施形態３６および４２〜６６のいずれかに記載のデバイス。
（実施形態９０）
前記光学素子が、前記マトリックス材料に分散されたとき、８５ｎｍ以下の半値全幅値を有する吸収帯を有する、実施形態３６および４２〜８９のいずれかに記載のデバイス。
（実施形態９１）
実施形態１〜１０、１９〜２２、２４〜３５および３７〜４１のいずれかに記載の光学素子または実施形態３６および４２〜９０のいずれかに記載のデバイスを、前記光学素子を通して個体が画像または物体を見ることができるような位置に置くことを含む、色弁別能力を向上させる方法。
（実施形態９２）
前記個体が、正常色覚を有する、実施形態９１に記載の方法。
（実施形態９３）
前記個体が、色弁別能力障害を有する、実施形態９１に記載の方法。
（実施形態９４）
視覚不感受性を補正するための方法であって、
実施形態１〜１０、１９〜２２、２４〜３５および３７〜４１のいずれかに記載の光学素子または実施形態３６および４２〜９０のいずれかに記載のデバイスを、第１の可視色波長と第２の可視色波長間の視覚不感受性を有すると同定された個体に提供することまたは提供するために準備することを含み；
前記光学素子が、前記第１の可視色波長と前記第２の可視色波長間の視覚的不感を補正するように選択されたものである方法。
（実施形態９５）
視覚不感受性を補正するための方法であって、
視覚不感受性を有すると同定された個体における視覚不感受性を補正するための実施形態１〜１０、１９〜２２、２４〜３５および３７〜４１のいずれかに記載の光学素子または実施形態３６および４２〜９０のいずれかに記載のデバイスを選択することを含み；
前記視覚的不感受性が、第１の可視色波長と第２の可視色波長間の弁別に関する不感受性を含む方法。
（実施形態９６）
前記光学素子またはデバイスを前記個体に提供することまたは提供するために準備をすることをさらに含む、実施形態９５に記載の方法。
（実施形態９７）
前記個体が、第２色弱を有する、実施形態９１〜９６のいずれかに記載の方法。
（実施形態９８）
前記個体が、
前記個体の赤色または緑色光色素のアミノ酸配列を調査すること；
前記アミノ酸配列を、視覚障害と関連づけられるアミノ酸の組み合わせと相関させること
によって視覚不感受性を有すると同定された方法であって、
前記アミノ酸配列が、赤色または緑色光色素をコードする遺伝子のコドン位置６５、１１１、１１６、１５３、１７１、１７４、１７８、１８０、２３０、２３３、２３６、２７４、２７５、２７７、２７９、２８５、２９８および３０９からなる群より選択される位置の配列であり；ならびに前記相関が、前記アミノ酸配列と、視覚障害の症状を示すことが証明されているアミノ酸配列との比較を含む、実施形態９４〜９７のいずれかに記載の方法。
（実施形態９９）
前記個体が、
標準検査を施すこと；および
前記検査のスコアを視覚障害と相関させること
によって視覚不感受性と同定された、実施形態９４〜９８のいずれかに記載の方法。
【実施例】
【０３０１】
本明細書に記載する光学素子の実施形態は、第１の色と異なる波長を有する第２の色とを弁別する色覚異常個体の能力を向上させることが判明した。これらの恩恵を以下の実施例によってさらに証明する。以下の実施例は、本開示の実施形態の例証を意図したものであるが、いかなる点においてもその範囲または基礎となる原理の限定を意図したものではない。
【０３０２】
〔実施例１〕
（ルミネセンス色素）
ルミネセンス色素、４，１０−ビス（４−（トリフルオロメチル）フェニル）ペリレン−３，９−ジカルボン酸ジイソブチル（グリーン−１）、を以下の工程に従って合成した：
【０３０３】
ａ）段階１：中間体、４，１０−ジブロモペリレン−３，９−ジカルボン酸ジイソブチル、の合成：
【化２０】
0006010121.tif 000045
４，１０−ジブロモペリレン−３，９−ジカルボン酸ジイソブチルを合成するために、Ａｌｄｒｉｃｈ  Ｃｈｅｍｉｃａｌ  Ｃｏ．から購入することができるペリレンジカルボン酸ジイソブチルエステルの溶液にＮ−ブロモスクシンイミド（７．８５ｇ、４４ｍｏｌ）を添加した。３時間（初期懸濁液が透明溶液に変わるまで）６５℃で加熱しながらＤＭＦ（５０ｍＬ）中のイソブチルアルコールでエステル化することによって、対応する二酸誘導体からもペリレンジカルボン酸ジイソブチルエステルを合成した。冷却後、メタノール（５００ｍＬ）をその撹拌反応混合物に添加した。速やかに重い沈殿物が形成され、それを濾過によって分離し、少量の冷メタノールで洗浄し、真空オーブンで乾燥させて、１Ｈ  ＮＭＲにより純粋な４，１０−ジブロモペリレン−３，９−ジカルボン酸ジイソブチルを黄色固体として得た（９．６ｇ、７８％）。
【０３０４】
ｂ）段階２：４，１０−ビス（４−（トリフルオロメチル）フェニル）ペリレン−３，９−ジカルボン酸ジイソブチル（グリーン−１）の合成
【化２１】
0006010121.tif 000046
４，１０−ビス（４−（トリフルオロメチル）フェニル）ペリレン−３，９−ジカルボン酸ジイソブチルを合成するために、テトラキス（トリフェニルホスフィン）パラジウム（０）（５００ｍｇ、０．４３ｍｍｏｌ）を、アルゴン雰囲気下でトルエン（５０ｍＬ）と２Ｍ  Ｎａ２ＣＯ３の水溶液（２０ｍＬ）とエタノール（３０ｍＬ）の混合物中の４，１０−ジブロモペリレン−３，９−ジカルボン酸ジイソブチル（３．０５ｇ、５ｍｍｏｌ）、４−フルオロメチルフェニルボロン酸（２．０９ｇ、１１．０ｍｍｏｌ）の溶液に添加した。その反応混合物１時間（有機層と水と固体の明瞭な分離が観察されるまで）９０℃で加熱した。有機層を分離し、ＣＥＬＩＴＥ（登録商標）（Ｃｅｌｉｔｅ  Ｃｏｒｐ．、カリフォルニア州）に通して濾過してパラジウム触媒を除去し、その後、減圧下で溶剤をある程度除去した。その生成物をメタノールから沈殿させ、濾過して除去し、冷メタノールで洗浄し、真空オーブンで乾燥させて、（１Ｈ  ＮＭＲにより）純粋な４，１０−ビス（４−（トリフルオロメチル）フェニル）ペリレン−３，９−ジカルボン酸ジイソブチルを黄色固体として得た（３．３０ｇ、８９％）。カラムクロマトグラフィー（移動相としてシリカゲルおよびヘキサン−酢酸エチルの４：１混合物）により代替精製を行った。
【０３０５】
〔実施例２〕
（重合性色素）
ａ）８−ヒドロキシメチル−２，６−ジエチル−１，３，５，７−テトラメチルピロメテンフルオロボレート（ＰＭＯＨ）
【化２２】
0006010121.tif 000047
化合物ＰＭＯＨ（Ａｍａｔ−Ｇｕｅｒｒｉ，Ｆ．；Ｌｉｒａｓ，Ｍ．；Ｃａｒｒａｓｃｏｓｏ，Ｍ．Ｌ．；Ｓａｓｔｒｅ，Ｒ．、Ｐｈｏｔｏｃｈｅｍ．Ｐｈｏｔｏｂｉｏｌ．２００３、７７、５７７−５８４）を次のように調製した：無水ＣＨ３ＯＨ（５００ｍＬ）中の８−アセトキシメチル−２，６−ジエチル−１，３，５，７−テトラメチルピロメテンフルオロボレート（ＰＭ６０５）（１．１９ｇ、３．１７ｍｍｏｌ）の撹拌溶液に、１，８−ジアザビシクロ［５．４．０］ウンデス−７−エン（３．３２ｍＬ、２２．２ｍｍｏｌ）を注射器によって滴下した。ＴＬＣ（ＳｉＯ２、４：１  ヘキサン−アセトン）が出発原料の消費を示すまで（２０分）ＲＴで撹拌を継続し、その後、反応系を真空下で濃縮した。フラッシュクロマトグラフィー（ＳｉＯ２、１００％ジクロロメタン）による粗生成物の精製によりＰＭＯＨ（０．７０ｇ、６６％）を明赤色固体として得た。
【０３０６】
ｂ）８−メタクリロキシメチル−２，６−ジエチル−１，３，５，７−テトラメチルピロメテンフルオロボレート（Ｐ１ＭＡ）
【化２３】
0006010121.tif 000048
文献に報告されている手順（Ａｍａｔ−Ｇｕｅｒｒｉ，Ｆ．；Ｌｉｒａｓ，Ｍ．；Ｃａｒｒａｓｃｏｓｏ，Ｍ．Ｌ．；Ｓａｓｔｒｅ，Ｒ．、Ｐｈｏｔｏｃｈｅｍ．Ｐｈｏｔｏｂｉｏｌ．２００３、７７、５７７−５８４）に従って、ＰＭＯＨ（０．１０ｇ、０．３０ｍｍｏｌ）、４−（ジメチルアミノ）ピリジン（３７ｍｇ、０．３０ｍｍｏｌ）、メタクリロイルクロリド（３１ｍｇ、０．３０ｍｍｏｌ）およびジクロロメタン（３０ｍＬ）によりＰ１ＭＡ（９０ｍｇ、７５％）をフラッシュクロマトグラフィー（ＳｉＯ２、９：１−ヘキサン：酢酸エチル）後にメタリックグリーンの結晶質固体として得た。
【０３０７】
〔実施例３〕
（重合性色素）
実施例２で合成した重合性ＢＯＤＩＰＹ（Ｐ１ＭＡ）（０．０１４ｇ）を、０．８４９ｇ  ＵｎｉＤｉｃ  １７−８０６［固形分８０％、大日本インキ化学工業株式会社（Ｄａｉｎｉｐｐｏｎ  Ｉｎｋ  ａｎｄ  Ｃｈｍｉｄａｌｓ）、日本国東京］と、０．０２ｇ光重合開始剤（ＩＲＧＡＣＵＲＥ  ９０７、チバ・スペシャルティ・ケミカルズ株式会社（Ｃｉｂａ  Ｓｐｅｃｉａｌｔｙ  Ｃｈｅｍｉｃａｌｓ  Ｋ．Ｋ．））と、０．０００６８ｇコーティング添加剤−ガンマ−メタクルガンマ−メタクリロキシプロピルトリメトキシシラン（ｇａｍｍａ−ｍｅｔｈａｃｒｇａｍｍａ−ｍｅｔｈａｃｒｙｌｏｘｙｐｒｏｐｙｌｔｒｉｍｅｔｈｏｘｙｓｉｌａｎｅ）（ＰＣ４１００、Ｐｏｗｅｒ  Ｃｈｅｍｉｃａ）と、０．４５２ｇシクロペンタノンと、０．６７８ｇのメトキシ−２−プロパノールとの混合物に添加した。均一な溶液が得られるまで約３０分間、その混合物を音波処理した。その後、約１０秒間２０００ｒｐｍで保持してその溶液をスライドガラスにスピンコーティングした。その後、そのコーティングされたスライドガラスを１０分間、約１００℃のホットプレートに載せて溶剤を蒸発させた。その後、そのコーティングを約４５秒間、４５０Ｗ  ＵＶランプで照射してその膜を硬化させた。
【０３０８】
〔実施例４〕
（光学素子−ＵＶ吸収色素）
光学素子を次のように調製した。ｎ−ブタノール（１．５２ｇ）中のポリ（ビニルアセテート−ｃｏ−ビニルアルコール−ｃｏ−ビニルブチラール）（０．１ｇ）と１−メチルピロリジノン（０．３８ｇ）の混合物に、ローダミンＢ（０．０１ｇ）およびピロメテン５６７［Ｅｘｃｉｔｏｎ  Ｉｎｃ．、オハイオ州デイトン］（０．００８ｇ）を添加した。得られた混合物を約４５分間、音波処理して均質溶液、溶液１、を得た。ｎ−ブタノール（１．５２ｇ）中のポリ（ビニルアセテート−ｃｏ−ビニルアルコール−ｃｏ−ビニルブチラール）（０．１ｇ）と１−メチルピロリジノン（０．３８ｇ）の混合物が入っている別のバイアルに、ピロメテン５９７［Ｅｘｃｉｔｏｎ  Ｉｎｃ］（０．００８ｇ）および６６３−５０、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン（００８ｇ）を添加した。
【０３０９】
ａ）Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン（６６３−５０）
【化２４】
0006010121.tif 000049
Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン（６６３−５０）を合成するための工程は、Ｃｈｉｅｌ  Ｉｎｄｕｓｔｒｉｅｓの韓国特許出願公開第１０−２００７−０１４１９２０号から得た。化合物６６３−５０を次のように合成した。Ｎ−フェニルナフタレン−１−アミン（３．０ｇ、１３．６８ｍｍｏｌ）、１−ブロモ−４−ヨードベンゼン（９．６８ｇ、３４．２０ｍｍｏｌ）、ナトリウムｔｅｒｔ−ブトキシド（３．２９ｇ、３４．２０ｍｍｏｌ）およびＰｄ（ｄｐｐｆ）Ｃｌ２（０．６０ｇ、０．８２ｍｍｏｌ）を８０ｍＬの無水トルエンに溶解した。その反応混合物を１時間、アルゴンで脱気し、その後、アルゴン下で４０時間、８０℃に加熱した。反応混合物を濾過し、固体を酢酸エチルで洗浄した。酢酸エチルで抽出を行い、有機層を水およびブラインで洗浄した。抽出物を硫酸ナトリウムで乾燥させ、濾過し、濃縮した。得られた残留物を、溶離剤として１：９  ジクロロメタン：ヘキサンを用いてシリカゲルカラムにより精製し、その極性を１：４  ジクロロメタン：ヘキサンへと増加させた。その後、その材料を濃縮して化合物１を薄黄色固体として得た（５７．２％）。
【０３１０】
化合物２を次のように合成した。Ｎ１−フェニルベンゼン−１，２−ジアミン（８．５６ｇ、４６．４８ｍｍｏｌ）を２３０ｍＬの無水ジクロロメタンに溶解し、得られた混合物を氷浴内で撹拌した。その混合物に４−ブロモベンジルクロリド（１０．００ｇ、４５．５７ｍｍｏｌ）を添加し、続いてトリエチルアミン（１２．７ｍＬ、９５．６５ｍｍｏｌ）をゆっくりと滴下した。トリエチルアミンを添加し次第、その反応混合物を氷浴から取り出した。反応混合物を室温で一晩、アルゴン下で撹拌した。反応混合物をジクロロメタンで抽出し、有機層を重炭酸ナトリウム、水およびブラインで洗浄した。その抽出物を硫酸マグネシウムで乾燥させ、濾過し、濃縮した。この粗製混合物に２０１ｍＬの無水１，４−ジオキサンを添加し、その後、その混合物を７５℃に加熱して材料を溶解した。固体を溶解した後、その反応系を冷却し、その後、オキシ塩化リン（１２．８ｍＬ、１３７．３５ｍｍｏｌ）を注射器によって滴下した。その反応混合物を２時間、アルゴン下で１１５℃に加熱した。その反応系を室温に冷却し、２００ｍＬの重炭酸ナトリウムの添加によって失活させた。反応を失活させた後、その反応混合物を１Ｌの撹拌冷却重炭酸ナトリウムに注入し、一晩撹拌させた。その混合物をジクロロメタンで抽出し、有機層を重炭酸ナトリウム、水およびブラインで洗浄した。その抽出物を硫酸マグネシウムで乾燥させ、濾過し、濃縮した。得られた残留物をジクロロメタン／ヘキサン中で２回沈殿させることによって精製して、化合物３を褐色固体として得た（９６％）。
【０３１１】
化合物３を次のように合成した。化合物２（１４．６１ｇ、４１．８２ｍｍｏｌ）、ビス（ピナコラト）ジボロン（１１．６８ｇ、４６．００ｍｍｏｌ）、Ｐｄ（ｄｐｐｆ）Ｃｌ２（１．５３ｇ、２．０９ｍｍｏｌ）および（１２．３ｇ、１２５．４７ｍｍｏｌ）を２００ｍＬの無水１，４−ジオキサンに溶解した。その反応混合物をアルゴンで１．５時間脱気し、その後、アルゴン下で一晩、８０℃に加熱した。反応混合物を濾過し、酢酸エチルで抽出を行い、有機層を重炭酸ナトリウム、水およびブラインで洗浄した。その抽出物を硫酸マグネシウムで乾燥させ、濾過し、濃縮した。得られた残留物を、１：４  酢酸エチル：ヘキサン（≒６Ｌのこの溶剤を利用）を溶離剤として用いてシリカゲルカラムによって精製し、その後、２５％酢酸エチルから４０％酢酸エチルへの勾配を２Ｌの新たに増加する極性を利用してゆっくりと５％ずつ増加させた。その後、その材料を濃縮して、化合物４を桃色固体として得た（８６．０％）。
【０３１２】
６６３−５０を次のように合成した。化合物３（２．１９ｇ、５．５２ｍｍｏｌ）、化合物１（２．１５ｇ、５．７４ｍｍｏｌ）、Ｐｄ（ＰＰｈ３）４（．３２ｇ、．２８ｍｍｏｌ）および炭酸カリウム（２．２９ｇ、１６．５６ｍｍｏｌ）を１：５比の水（１０ｍＬ）および１，４−ジオキサン（５０ｍＬ）に溶解した。その反応混合物を４５分間、アルゴンで脱気し、その後、アルゴン下で一晩、９５℃に加熱した。反応混合物をジクロロメタンで抽出し、有機層を重炭酸ナトリウム、水およびブラインで洗浄した。その抽出物を硫酸ナトリウムで乾燥させ、濾過し、濃縮した。得られた残留物を、ジクロロメタンを溶離剤として用いてシリカゲルカラムにより精製した。その後、その材料を濃縮し、ジクロロメタン：ヘキサンから晶出させて６６３−５０を得た（６４％）。
【０３１３】
その後、ｎ−ブタノール中のポリ（ビニルアセテート−ｃｏ−ビニルアルコール−ｃｏ−ビニルブチラール）と、１−メチルピロリジノンと、ピロメテン５９７［Ｅｘｃｉｔｏｎ  Ｉｎｃ］と、６６３−５０の混合物を約４５分間、音波処理して均質溶液、溶液２、を得た。
【０３１４】
ｂ）ＵＶ吸収色素
スライドガラスの片側を２０００ＲＰＭで約１０秒間、溶液１でスピンコーティングし、その後、ホットプレートで約１１０℃に加熱して溶剤を蒸発させ、その結果、コーティングされたスライドガラスを得た。その後、同スライドガラスを反転させ、その後、反対側のコーティングされていない面を１０分間、２０００ＲＰＭでのスピンコーティングによって溶液２でコーティングした。ホットプレートで約１１０℃に加熱した後、異なる溶液で両面がコーティングされたスライドガラスを得た。この光学素子は、図１４に示す透過率スペクトルを有する。図１４に類似して、一部の光学素子は、約６３０ｎｍから約８００ｎｍの透過性プラトーを有することができる。かかる透過性プラトーは、約９０％より高い、約９５％より高い、または約９９％より高い透過率を有することができる。
【０３１５】
〔実施例５〕
（光学素子、青色吸収色素）
ｎ−ブタノール（１．９ｇ）中のポリ（ビニルアセテート−ｃｏ−ビニルアルコール−ｃｏ−ビニルブチラール）（０．１ｇ）およびローダミン６Ｇ（０．００５ｇ）の溶液を約４５分間の音波処理によって調製した。その均質溶液を約１０分間、２０００ＲＰＭでスライドガラスにスピンコーティングした。そのスライドを約２０分間、約１１０℃のホットプレートに載せておくことによってコーティングを乾燥させた。その膜が乾燥した後、約１時間の音波処理によって均一にさせた、無水ポリカーボネート（２００ｍｇ）、４，１０−ビス（４−（トリフルオロメチル）フェニル）ペリレン−３，９−ジカルボン酸ジイソブチル（２０ｍｇ）およびトルエン（１．８ｇ）の溶液を前のＰＶＢ中のローダミン６Ｇの層の頂部に直接スピンコーティングした。その後、そのスライドガラスを約３０分間、約１１０℃のホットプレートに再び載せて、コーティングを乾燥させた。得られた二層素子は、図１５に示す透過率スペクトルを有した。図１５に類似して、一部の光学素子は、約５５０ｎｍから約７５０ｎｍの透過性プラトーを有することができる。かかる透過性プラトーは、約９０％より高い、約９５％より高い、または約９９％より高い透過率を有することができる。
【０３１６】
〔実施例６〕
（光学素子（デバイスＡ））
実施例１に従って製造したルミネセンス色素、４，１０−ビス（４−（トリフルオロメチル）フェニル）ペリレン−３，９−ジカルボン酸ジイソブチル、をさらに抽出または精製することなく使用し、該色素と非晶質ポリカーボネート（ＡＰＣ）（Ａｃｒｏｓ  Ｏｒｇａｎｉｃｓ、ベルギー国ヘール［Ｆｉｓｈｅｒ  Ｓｃｉｅｎｔｉｆｉｃ  ＵＳＡ、米国ペンシルバニア州ピッツバーグ］）とを結果として約１０：９０のルミネセンス色素：非晶質ポリカーボネート重量比となる量で混ぜ合わせた。その後、その混合物をトルエン溶剤に溶解し、音波処理を用いて溶剤の９０重量％である組成物を得た。その後、その得られた溶液を、予め５ｃｍ×５ｃｍ面積に切断しておいた清浄スライドガラス（Ｃｏｒｎｉｎｇ  ｐｌａｉｎ  Ｍｉｃｒｏ  Ｓｌｉｄｅｓ、＃２９４７）上に約５秒間、約２０００ｒｐｍでスピンコーティングした。得られた膜を約２０から約３０分間、空気下で約１２０℃に加熱して溶剤を蒸発させた。これらのスピンコーティング条件および溶液組成物を用いたとき、膜厚は、約１から約３マイクロメートルにわたり得る。ルミネセンス化合物の重量百分率は、組成物の重量に基づき約１０重量％であった。
【０３１７】
実施例２の光学素子（デバイスＡ［ポリカーボネートを用いる］）についてのスペクトルデータを得た。実施例２の正規化光吸収および光ルミネセンスを図６に示す。光吸収は、Ｖａｒｉａｎ  Ｃａｒｙ  ５０  ｓｃａｎ  ＵＶ／Ｖｉｓ  Ｓｐｅｃｔｒｏｐｈｏｔｏｍｅｔｅｒ（Ａｇｉｌｅｎｔ  Ｔｅｃｈｎｏｌｏｇｉｅｓ［Ｖａｒｉａｎ，Ｉｎｃ．］、米国カリフォルニア州サンタクララ）で測定した。光ルミネセンス発光データは、Ｊｏｂｉｎ  Ｙｖｏｎ  Ｈｏｒｉｂａ  Ｆｌｕｏｒｏｍａｘ−３蛍光計（Ｈｏｒｉｂａ  Ｊｏｂｉｎ  Ｙｖｏｎ，Ｉｎｃ．、米国ニュージャージー州エディソン）を用いて得た。このＰＬスペクトルを得るために用いた励起波長は、４８０ｎｍであった。図６に示すように、４，１０−ビス（４−（トリフルオロメチル）フェニル）ペリレン−３，９−ジカルボン酸ジイソブチルおよびポリカーボネートを含む膜は、青色領域の光を吸収し、緑色領域の光を発光した。光吸収は、約２５０ｎｍから約３００ｎｍおよび約３７０ｎｍから約５２０ｎｍにわたった。波長発光は、約４６０ｎｍから約６４０ｎｍにわたった。
【０３１８】
実施例１に記載した材料の透過率も測定した。ポリカーボネートを蛍光色素グリーン−１に添加しなかったことを除き、実施例２において説明した手法で、実施例１に記載した化合物（グリーン−１）をスピンコーティングした。グリーン−１／トルエン溶液をガラス基板上にスピンコーティングした。得られた光学素子の全光透過率を、照明光源としてＰｈｏｔａｌ  ＭＣ−２５３０  ＵＶ／Ｖｉｓ  Ｌｉｇｈｔ  Ｓｏｕｒｃｅ  Ｉ２ランプを用いてＰｈｏｔａｌ  ＭＣＰＤ−７０００（大塚電子株式会社（Ｏｔｓｕｋａ  Ｅｌｅｃｔｒｏｎｉｃｓ）、日本国大阪）で測定した。１００％透過率についての基準としてブランクガラス基板を使用した。それを図７に「ブランク」と示す。図７に示すように、グリーン−１をコーティングしたガラス基板光学素子において緑色光の透過率は実際に１００％より高い。事実上、約５２０ｎｍ以上からの可視光光吸収は観察されなかった。約４３０ｎｍから約５００ｎｍの領域において吸収される光子の一部は、約５３０ｎｍから約６００ｎｍの可視光領域におけるように再び発光され、それに起因して、その領域の一部の波長での透過率が１００％より高くなる。ピーク透過率は、約５３４ｎｍで約１０５．５％である。
【０３１９】
（ルミネセンス薄膜を載置した発光デバイスの光ルミネセンス量子収量（ＰＬＱＹ）の評価）
所定の強度の励起光の照射下での発光薄膜層から発光される光ルミネセンスを測定することにより、発光薄膜のルミネセンス効率を評価した。大塚電子株式会社（日本国大阪）ＭＣＰＤ  ７０００マルチチャンネル光検出器システムを、必要な光学部品、例えば光ファイバ（大塚電子株式会社）、１２インチ径積分球（Ｇａｍｍａ  Ｓｃｉｅｎｔｉｆｉｃ［米国カリフォルニア州サンディエゴ］、ＧＳ０ＩＳ１２−ＴＬＳ）、全流束測定用に構成された校正光源（Ｇａｍｍａ  Ｓｃｉｅｎｔｉｆｉｃ、ＧＳ−ＩＳ１２−ＯＰ１）、および励起青色ＬＥＤ光源（Ｃｒｅｅ［米国ノースカロライナ州ダラム］青色ＬＥＤチップ、主波長４５５ｎｍ、Ｃ４５５ＥＺ１０００−Ｓ２００１）と共に用いて測定を行った。
【０３２０】
４５２ｎｍのピーク波長を有する青色ＬＥＤを積分球の中心位置に配置し、２５ｍＡの駆動電流で動作させた。先ず、裸青色ＬＥＤチップからの放射電力を励起光として獲得した。次に、実施例２のルミネセンス薄膜がコーティングされたガラス基板１５ｍｍ×１５ｍｍをそのＬＥＤチップ上に載置した。その結果、ルミネセンス薄膜と青色ＬＥＤの組み合わせの放射電力を獲得した。
【０３２１】
前記薄層のＰＬＱＹを次の式：
【数３】
0006010121.tif 000050
によって表すことができ、この式中、任意の波長λで、Ｐｅｘｃ（λ）は、薄膜層上に入射する励起スペクトルの放射電力であり、およびＰｅｍｉ（λ）は、薄膜層からの発光と励起光の結合スペクトルに関する放射電力である。したがって、色度データをＭＣＰＤデータから直接得ることができる。
【０３２２】
（光学測定）
効率測定は、大塚電子株式会社ＭＣＰＤ  ７０００マルチチャンネル光検出器システムを、必要な光学部品、例えば光ファイバ（大塚電子株式会社）、１２インチ径積分球（Ｇａｍｍａ  Ｓｃｉｅｎｔｉｆｉｃ、ＧＳ０ＩＳ１２−ＴＬＳ）、全流束測定用に構成された校正光源（Ｇａｍｍａ  Ｓｃｉｅｎｔｉｆｉｃ、ＧＳ−ＩＳ１２−ＯＰ１）、および励起光源（Ｃｒｅｅ青色ＬＥＤチップ、主波長４５５［４５２］ｎｍ、Ｃ４５５ＥＺ１０００−Ｓ２００１）と共に用いて行った。
【０３２３】
４５２ｎｍのピーク波長を有する青色ＬＥＤを積分球の中心位置に配置し、２５ｍＡの駆動電流で動作させた。先ず、裸青色ＬＥＤチップからの放射電力を励起光として獲得した。ＬＥＤチップの発光面間隔は、１ｍｍであった。その後、１５ｍｍ×１５ｍｍ薄層被覆ガラス基板をＬＥＤチップから約１００μｍ離して載置した。その結果、薄膜と青色ＬＥＤの組み合わせの放射電力を獲得した。０．５６のＰＬＱＹ値を獲得した。
【０３２４】
〔比較例１〕
１つの市販色強調メガネ、Ｓｏｌａｒｃｈｒｏｍｉｃ，Ｉｎｃ．（米国コロラド州コロラドスプリングズ）から入手可能なＳｏｌａｚ（Ｓｔｙｌｅ  ３）、を入手し、比較研究のために比較例１として使用した。
【０３２５】
ガラス基板ブランク（「ブランク」）、グリーン−１をコーティングしたガラス基板（「グリーン−１」［ガラス基板／無ポリカーボネート上にスピンコートしたグリーン−１］）、の可視光透過率を図８に示す。比較例１の可視光透過率も測定し、それらの結果も図８に示す。図８から分かるように、比較例１は、大量の可視波長光を吸収する。その透過率は、可視光スペクトルの大部分について約２０％未満である。このデバイスはそのように大量の光を吸収するので、低および中照度環境では有効でない。
【０３２６】
（結果）
実施定６で製造した光学素子（デバイスＡ）を第１の可視色波長と第２の可視色波長間の視覚不感受性の補正について試験した。フィルムの形態の光学素子を１つの透明安全メガネに貼った。色覚異常症状を判定するための公式石原式色覚異常検査本（３８表）（「Ｉｓｈｉｈａｒａ’ｓ  Ｔｅｓｔｓ  ｆｏｒ  Ｃｏｌｏｕｒ  Ｄｅｆｉｃｉｅｎｃｙ」、Ｓｈｉｎｏｂｕ  Ｉｓｈｉｈａｒａ、Ｋａｎｅｈａｒａ  Ｔｒａｄｉｎｇ  Ｉｎｃ．、Ｔｏｋｙｏ、Ｊａｐａｎ、［２００９］）（ｈｔｔｐ：／／ｗｗｗ．ａｌｌｅｇｒｏｍｅｄｉｃａｌ．ｃｏｍ／ｄｉａｇｎｏｓｔｉｃ−ｐｒｏｄｕｃｔｓ−ｃ５２１／ｏｆｆｉｃｉａｌ−ｉｓｈｉｈａｒａ−ｃｏｌｏｒ−ｂｌｉｎｄｎｅｓｓ−ｔｅｓｔ−ｐ１９２０１６．ｈｔｍｌからも入手可能）を、以前に第２色弱と診断されたことがある２６歳男性の前に置いた。
【０３２７】
アンビエント照明の部屋で視覚検査を行った。この被験者は、裸眼で、実施例６を用いて、および比較例１を用いて、石原式色覚異常検査本（３８表）を見た。被験者は、裸眼で、すなわち光学素子なしで、見たとき、石原式色覚異常検査本（３８表）の中の隠れている形の幾つかを識別できないことを認めた。
【０３２８】
実施例６からの光学素子および比較例１からのメガネを択一的にその被験者の視覚経路（ｖｉｓｉｏｎ  ｐａｔｈ）に別々に挿入した。別々の実施例各々を通して３８検査画像を見た後、それらの視覚検査実施例で隠れている形を彼が主観的にいかに容易に識別できたかをその被験者に尋ね、彼が識別できた隠れている画像の部分を描くように頼んだ。被験者は、実施例６からの光学素子に関して、比較例１と比較して実施例６を被験者の視覚経路に挿入したほうが１７表多くの表について隠れている画像の多くの部分または隠れている形の全体像を識別できると報告した。さらに、その被験者は、比較例１からのメガネが、場合によっては、隠れている画像を背景と完全に弁別できなくすると報告した。このように、実施例６からの光学素子は、裸眼に比べても市販メガネに比べても向上した色識別力をもたらした。
【０３２９】
上で述べたように、一部の実施形態において、光学素子は、図６に図示するものに類似した吸収および／または発光プロファイルを有することができる。例えば、光学素子は、約４２５ｎｍから約５００ｎｍ、約４４０ｎｍから約５００ｎｍ、約４５０ｎｍ、または約５３０ｎｍの波長を有する光を吸収することができる。一部の実施形態において、光学素子は、約５１０ｎｍから約５８５ｎｍ、約５１５ｎｍから約５７５ｎｍ、約５３０ｎｍ、または約５６０ｎｍの波長を有する光を発光することができる。類似に、一部の実施形態において、また光学素子は、図７のものへの透過率スペクトルを有することができる。例えば、光学素子は、約５００ｎｍから約７００ｎｍ、約５１０ｎｍから約５５０ｎｍ、約５５０ｎｍから約６２０ｎｍ、または約６４０ｎｍから約７２０ｎｍでの波長の透過率ピークを有することができる。一部の実施形態において、ピークでの前記透過率は、約９０％より高い、約９５％より高い、または約１００％より高いことがある。
【０３３０】
〔実施例７〕
（光学素子）
実施例７（デバイスＢ）は、膜中のルミネセンス色素、４，１０−ビス（４−（トリフルオロメチル）フェニル）ペリレン−３，９−ジカルボン酸ジイソブチル、の量を組成物の約５重量％に低減させたことを除き、実施例６と同様に構築した。光吸収色素、Ｅｐｏｌｉｇｈｔ  ６６６１（Ｅｐｏｌｉｎ，Ｉｎｃ．、米国ニュージャージー州ニューアーク）を、結果として組成物の５重量％になる量でその膜に添加した。
【０３３１】
実施例６において説明したのと同じ方法を用いて、実施例７の透過率も測定した。結果を図９に示す。図９に示すように、実施例７の光学素子は、緑色波長領域で高い透過率および赤色波長領域で減衰された透過率を示す。これは、赤色相と緑色相間の視覚不感受性を有する人による色識別を向上させる。
【０３３２】
上に示したような色覚異常症状の判定のための視覚検査を、実施例７を用いて同じ個体で繰り返した。別々の実施例各々を通して３８検査画像を見た後、それらの視覚検査実施例で隠れている形を彼が主観的にいかに容易に識別できたかをその被験者に尋ねた。被験者は、実施例７からの光学素子に関して、比較例１と比較して実施例７を用いたほうが１８表多くの表について隠れている画像の部分をまたは隠れている形の全体像を識別できると報告した。これらの１８表は、実施例２を用いて知覚された同じ１７表を含んだが、大部分の表に関して、被験者は、より良くできる（認識するのがより容易、より多くの隠れている画像を識別する）と述べた。したがって、実施例６および実施例３は、両方とも、概して同じ表において裸眼と比較例１の両方に比べて色識別を向上させた。
【０３３３】
上で述べたように、一部の実施形態において、光学素子は、図９に図示するものに類似した透過率スペクトルを有することができる。例えば、光学素子は、約３５０ｎｍから約４００ｎｍ、約３７５ｎｍから約４２５ｎｍ、約５００ｎｍから約６００ｎｍ、または約５００ｎｍから約５５０ｎｍの波長での透過率ピークを有することができる。一部の実施形態において、ピークでの透過率は、約８０％より大きい、約８５％より大きい、約９０％より大きい、または約９２％より大きいことがある。
〔実施例８〕
（光学素子）
【０３３４】
膜中のルミネセンス色素、４，１０−ビス（４−（トリフルオロメチル）フェニル）ペリレン−３，９−ジカルボン酸ジイソブチル、の量が（デバイスＣでは）全重量に対して約９重量％および（デバイスＤでは）全重量に対して約３重量％であったことを除き、実施例２と同様にさらなるデバイスを構築した。
【０３３５】
実施例２と同様に別のセットのデバイスを構築した。膜中のルミネセンス色素４，１０−ビス（４−（トリフルオロメチル）フェニル）ペリレン−３，９−ジカルボン酸ジイソブチル（グリーン−１）、の量は、（デバイスＥでは）全重量に対して約１０重量％、（デバイスＦでは）全重量に対して約２．５重量％、および（デバイスＧ）では全重量に対して約１重量％であった。さらに、第２のルミネセンス化合物、Ｎ−フェニル−Ｎ−（４’−（１−フェニル−１Ｈ−ベンゾ［ｄ］イミダゾール−２−イル）−［１，１’−ビフェニル］−４−イル）ナフタレン−１−アミン、をデバイスＥ、ＦおよびＧの光学素子に添加した。デバイスＥでは、ブルー−１を全重量に対して約２．５重量％の量で添加した。デバイスＦでは、ブルー−１を全重量に対して約１０重量％の量で添加した。デバイスＧでは、ブルー−１を全重量に対して約１０重量％の量で添加した。
【０３３６】
実施例２において説明したのと同じ方法を用いて、実施例４におけるデバイスの透過率も測定した。結果を表９に示す。
【表９】
0006010121.tif 000051
【０３３７】
表９に示したように、実施例４の光学素子は、発光の測定強度の同時低下なしに緑色可視光波長の高い透過率を示す。これは、ピーク透過波長の同調を可能にし、および赤色相と緑色相間の視覚不感受性を有する人による色識別を向上させる。
【０３３８】
したがって、一部の実施形態において、光学素子は、表４におけるデバイスＣ〜Ｇのいずれかについてのものの周辺のピーク透過波長を有することができる。例えば、光学素子は、約５３０ｎｍから約５４０ｎｍ、約５３５ｎｍから約５４０ｎｍ、約５４０ｎｍから約５５０ｎｍ、約５４５ｎｍから約５５０ｎｍ、または約５５５ｎｍから約５６０ｎｍのピーク透過波長を有することができる。一部の実施形態において、ピークは、少なくとも約１００％、約１０２％または約１０５％の透過率を有することができる。
【０３３９】
〔実施例９〕
ＰＶＢＡＡ（１６０ｍｇ）を３．０４ｇの無水アルコール試薬に２時間の音波処理によって溶解した。その後、８ｍｇのローダミン６Ｇをその溶液に添加し、音波処理を１０分間、適用した。この溶液の最終組成がおおよそ４．７５重量％ポリマー、０．２５重量％ローダミン６Ｇおよび９５％溶剤であったことに留意されたし。その後、５ｃｍ×５ｃｍに切断した清浄化スライドガラス上にその溶液をスピンコーティングした。スピンコーティング後、１００℃に設定したホットプレートで１０分間、その膜を乾燥させた。溶剤を蒸発させた後、その乾燥膜の最終組成が９５重量％ポリマー中、５重量％ローダミン６Ｇであることに留意されたし。
【０３４０】
ＰＶＢＡＡ（１６０ｍｇ、Ｓｉｇｍａ−Ａｌｄｒｉｃｈ、米国ウィスコンシン州ミルウォーキー＃４１８４２０）を３．０４ｇの無水ｎ−ブタノールに約２時間の音波処理によって溶解した。その後、８ｍｇのローダミン６Ｇ（Ｓｉｇｍａ−Ａｌｄｒｉｃｈ）をその溶液に添加し、約１０分間、音波処理を適用して、おおよそ４．７５重量％ポリマー、０．２５重量％ローダミン６Ｇおよび９５％溶剤の溶液を得た。約５ｃｍ×５ｃｍに切断した清浄化スライドガラス上にその得られた溶液を（約０．１秒の０から２０００ｒｐｍへのランプアップ後、約１０秒間、約２０００ｒｐｍで）スピンコーティングした。スピンコーティング後、空気中、約１０℃で約１０分間、ホットプレートでその膜を乾燥させ、結果として、９５重量％ポリマー中、約５重量％ローダミン６Ｇの乾燥膜を得た。その膜は、図１０に図示する透過率スペクトル、ならびに図１１に図示する吸収および発光スペクトルを有した。
【０３４１】
上で述べたように、一部の実施形態において、光学素子は、図１０に図示するものに類似した透過率プロファイル、ならびに／または図１１に図示するものに類似した吸収および／もしくは発光スペクトルを有することができる。例えば、図１０に類似して、一部の光学素子は、約６００ｎｍから約７００ｎｍの領域に透過性プラトーを有することができる。その領域内で、透過率は、約９０％より高い、約９５％より高い、または約９９％より高いことがある。図１１に類似して、一部の実施形態において、光学素子は、約５００ｎｍから約５６０ｎｍ、約５２０ｎｍから約５５０ｎｍ、または約５２３ｎｍの波長を有する光を吸収することができる。一部の実施形態において、光学素子は、約５５０ｎｍから約６１５ｎｍ、約５６０ｎｍから約６１０ｎｍ、または約５６８ｎｍの波長の光を発光することができる。
【０３４２】
ローダミン６Ｇフィルムを使用して実施例２において説明したように光学素子を調製した。フィルムの形態のその光学素子を１つの透明安全メガネに貼った。上に示したような色覚異常症状の判定のための視覚検査を、実施例３を用いて同じ個体で繰り返した。その個体は、３８表すべてについて隠れている画像または形のすべてを認識できた。
【０３４３】
〔実施例１０〕
（光学素子（デバイスＩ））
ルミネセンス色素、ローダミン６Ｇ、をさらに抽出または精製することなく使用し、該色素とシリカ充填メチルポリシロキサンポリマー［ＰｅｒｍａＮｅｗ  ６０００，２８％固形分］（Ｃａｌｉｆｏｒｎｉａ  Ｈａｒｄｃｏａｔｉｎｇ  Ｃｏ．、米国カリフォルニア州チュラヴィスタ）を含むコーティング溶液とを、結果として約０．２５：９９．７５のルミネセンス色素：全溶液重量比になる量で混ぜ合せた。その後、アリルグリコールカーボネート（ＣＲ−３９プラスチック、ＳＰ  Ｏｐｔｉｃａｌ  Ｌａｂｓ、カリフォルニア州ヴィスタ）製の予め切断された清浄プラスチックレンズ上にその得られた溶液を約１０秒間、約２０００ｒｐｍでスピンコーティングした。その後、その得られたコーティングされたレンズを約四（４）時間、空気下で約１２０℃に加熱してコーティング材料を硬化させた。硬化されたコーティング中のルミネセンス化合物の重量百分率は、その組成物の重量に基づき約１重量％であった。
【０３４４】
ルミネセンス色素、ローダミン６Ｇが（デバイスＪでは）全重量に対して約０．５重量％、（デバイスＫでは）全重量に対して約０．７５重量％、および（デバイスＬでは）全重量に対して約１．０重量％であったことを除き、デバイスＩと同様にさらなるデバイスを構築した。
【０３４５】
〔実施例１１〕
ピロメテン６０５（ＰＭ６０５）［Ｅｘｃｉｔｏｎ，Ｉｎｃ］（０．０８２ｇ）、ＵＮＩＤＩＣ  １７−８０６［電離放射線硬化型塗料（ＵｎｉＤｉｃ  １７−８０６、８０％固形分、大日本インキ化学工業株式会社］、（１０ｇ）；光重合開始剤（ＩＲＧＡＣＵＲＥ  ９０７、チバ・スペシャルティ・ケミカルズ株式会社）（０．２４ｇ）、コーティング添加剤−ガンマ−メタクリロキシプロピルトリメトキシシラン（ＰＣ４１００、Ｐｏｗｅｒ  Ｃｈｅｍｉｃａ）（０．００８ｇ）をシクロペンタノン（５．３２ｇ）および１−メトキシ−２−プロパノール（７．９８ｇ）に約２時間の音波処理によって溶解した。
【０３４６】
得られた溶液をＰＥＴ基板上にハンドキャストした。キャスティング後、その膜を空気循環オーブンの中で空気中、約９０℃で約６０秒間乾燥させて、溶剤を蒸発させた。その後、その膜を５００Ｗ  Ｘｅ／ＨｇＸｅランプで少なくとも２５０Ｊ／ｃｍ２のＵＶ放射線量が適用されるまで照射し、その結果、９９重量％ポリマー中、約１重量％ピロメタン６０５の硬化膜を得た。この膜は、図１２に図示する透過率スペクトルならびに図１３に図示する吸収および発光スペクトルを有した。
【０３４７】
上で述べたように、一部の実施形態において、光学素子は、図１２に図示するものに類似した透過率プロファイルならびに／または図１３に図示するものに類似した吸収および／もしくは発光スペクトルを有することができる。例えば、図１２に類似して、一部の光学素子は、約６００ｎｍから約８００ｎｍの領域に透過性プラトーを有することができる。その領域内で、透過率は、約８０％または約９０％より高いことがある。図１３に類似して、一部の光学素子は、約５００ｎｍから約５６０ｎｍ、約５４０ｎｍから約５５０ｎｍ、または約５５０ｎｍの波長の光を吸収することができる。一部の実施形態において、光学素子は、約５５０ｎｍから約６５０ｎｍ、約５６０ｎｍから約６００ｎｍ、または約５７０ｎｍの波長の光を発光することができる。
【０３４８】
ローダミン６Ｇフィルムを使用して実施例６において説明したように光学素子を調製した。フィルムの形態のその光学素子を１つの透明安全メガネに貼った（デバイスＭ）。上に示したような色覚異常症状の判定のための視覚検査を、実施例７を用いて同じ個体で繰り返した。その個体は、３８表すべてについて隠れている画像または形のすべてを認識できた。
【０３４９】
図１４に類似して、一部の光学素子は、約６３０ｎｍから約８００ｎｍの透過性プラトーを有することができる。かかる透過性プラトーは、約９０％より高い、約９５％より高い、または約９９％より高い透過率を有することができる。
【０３５０】
別段の指示がない限り、本明細書および請求項において用いる成分の量、特性、例えば分子量、反応条件、などを表すすべての数は、すべての場合、用語「約」によって修飾されていると解するべきである。したがって、相反する指示がない限り、本明細書および添付の請求項に示す数値パラメータは、得ようと努める所望の特性に依存して変わることがある近似値である。最低でも、および本請求項の範囲と等価の教義の適用を制限する試みとしてではなく、各数値パラメータは、少なくとも、報告有効桁数に鑑みておよび通常のまるめ技法によって解釈すべきである。
【０３５１】
本発明を説明する文脈で（とりわけ後続の請求項の文脈で）用いる用語「ある（ａ）」、「ある（ａｎ）」、「その（ｔｈｅ）」および同様の指示物は、本願書類中に別段の指示がない限りまたは明瞭な文脈の矛盾がない限り、単数形と複数形の両方を包含すると解釈すべきである。本願書類中に記載するすべての方法は、本願書類中に別段の指示がない限りまたは明瞭な文脈の矛盾がない限り、任意の適する順序で行うことができる。本願書類に提供する任意のおよびすべての例、または例示的な言葉（例えば、「などの」）の使用は、単に本発明をより明らかにするためのものであり、いずれの請求項の範囲にも制限を課さない。本発明の実施に不可欠な何らかの非請求項記載要素を示すと解釈すべき言葉は本明細書中にはない。
【０３５２】
本願書類に開示する代替要素または実施形態の群分けは、限定と解釈すべきでない。各群の構成員を、個々に、またはその群の他の構成員もしくは本願書類中で見つけられる他の要素との任意の組み合わせで、言及するまたは請求項に記載することがある。ある群の１つ以上の構成員を便宜的理由である群に含めることまたはある群から削除することがあると予想される。任意のかかる包含または削除が存在する場合、変更され、かくて添付の請求項において用いるすべてのマーカッシュ群の記述要件を満たすような群を本明細書は含有すると考えられる。
【０３５３】
本発明を行うための本発明者らが知っている最良の方法を含めて、一定の実施形態を本明細書に記載する。もちろん、記載するこれらの実施形態の変形形態は、上述の説明を読むことで当業者に明らかになるだろう。本発明者らは、当業者が、かかる変形形態を適宜利用することを予想しており、また本発明者らは、本発明が本願書類中で具体的に説明するのとは別様に実施されることを意図している。したがって、本請求項は、準拠法によって許可される、本請求項に記載する主題のすべての変更形態および等価物を包含する。さらに、本願書類中に別段の指示がない限りまたは明瞭な文脈の矛盾がない限り、それらのすべての可能な変形形態において上記要素のあらゆる組み合わせが企図される。
【０３５４】
最後に、本明細書に開示する実施形態は、本請求項の原理の例証するものであると解さなければならない。用いることができる他の変更形態は、本請求項の範囲内である。したがって、限定としてではないが、例として、代替実施形態を本明細書中の教示に従って用いることができる。したがって、本請求項は、示したおよび説明したまさにそのとおりの実施形態に限定されない。
【図１】
0006010121.tif 000054
【図２Ａ】
0006010121.tif 000055
【図２Ｂ】
0006010121.tif 000056
【図３】
0006010121.tif 000057
【図４】
0006010121.tif 000058
【図５】
0006010121.tif 000059
【図６】
0006010121.tif 000060
【図７】
0006010121.tif 000061
【図８】
0006010121.tif 000062
【図９】
0006010121.tif 000063
【図１０】
0006010121.tif 000064
【図１１】
0006010121.tif 000065
【図１２】
0006010121.tif 000066
【図１３】
0006010121.tif 000067
【図１４】
0006010121.tif 000068
【図１５】
0006010121.tif 000069